(57)【要約】      （修正有）【課題】アップリンクチャネルにおける復調基準信号（ＤＭ−ＲＳ）の送信において、干渉消去能力を改善可能な方法を提供する。【解決手段】アップリンクチャネルリソースブロック６００は、第１のリソース要素６０５及び第２のリソース要素６１０を含む。各リソース要素は、いくつかの直交周波数分割多元接続（ＯＦＤＭＡ）のシンボル位置６１５のうちの１つと、いくつかの周波数サブキャリア６２０のうちの１つとに対応する。ＤＭ−ＲＳ６２５は、スロット０及びスロット１の各々における、周波数サブキャリア０、５、および１０と、ＯＦＤＭシンボル位置５および６との交差におけるリソース要素のセットにおいて送信される。【選択図】図６
2019165454.tif 000002
【特許請求の範囲】
【請求項１】
ワイヤレス通信のための方法であって、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、リソースブロックの共通セットを識別することと、前記リソースブロックの共通セットの前記識別が、前記仮想セル識別子に少なくとも部分的に基づく
を備える方法。
【請求項２】
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、請求項１に記載の方法。
【請求項３】
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信することと
をさらに備える、請求項２に記載の方法。
【請求項４】
前記アップリンクチャネルにおける送信を用いて前記第１のリンク識別子を送信することが、前記第１のリンク識別子に応じて前記ＤＭ−ＲＳを生成することを備え、
前記ダウンリンクチャネルにおける送信を用いて前記第２のリンク識別子を送信することが、前記第２のリンク識別子に応じて前記ＤＭ−ＲＳを生成することを備える、請求項３に記載の方法。
【請求項５】
ワイヤレス通信のための装置であって、
第１の基地局の仮想セル識別子を、前記第１の基地局と第１のユーザ機器（ＵＥ）との間の送信に関連付けるための手段と、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、リソースブロックの共通セットを識別するための手段と、前記リソースブロックの共通セットの前記識別が、前記仮想セル識別子に少なくとも部分的に基づく
を備える装置。
【請求項６】
前記第１の基地局と前記第１のＵＥとの間の前記ＤＭ−ＲＳの送信のための第１の空間多重化に関連付けられた第１のポートを識別するための手段、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、請求項５に記載の装置。
【請求項７】
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けるための手段と、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信するための手段と
をさらに備える、請求項６に記載の装置。
【請求項８】
前記アップリンクチャネルにおける送信を用いて前記第１のリンク識別子を送信するための前記手段が、前記第１のリンク識別子に応じて前記ＤＭ−ＲＳを生成するための手段を備え、
前記ダウンリンクチャネルにおける送信を用いて前記第２のリンク識別子を送信するための前記手段が、前記第２のリンク識別子に応じて前記ＤＭ−ＲＳを生成するための手段を備える、請求項７に記載の装置。
【請求項９】
ワイヤレス通信のためのコンピュータ実行可能コードを記憶する非一時的コンピュータ可読媒体であって、前記コードが、
請求項１〜請求項４の何れか一項に記載の方法
を実施するように前記プロセッサによって実行可能である、非一時的コンピュータ可読媒体。
【発明の詳細な説明】
【技術分野】
【０００１】
相互参照
[0001]本特許出願は、各々が本出願の譲受人に譲渡された、２０１４年１０月１日に出願された、「Ｔｅｃｈｎｉｑｕｅｓ  ｆｏｒ  Ｃｏｎｆｉｇｕｒｉｎｇ  Ｕｐｌｉｎｋ  Ｃｈａｎｎｅｌｓ  ｉｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄｓ」と題する、Ｌｕｏらによる米国特許出願第１４／５０３，５８４号、および２０１３年１２月２０日に出願された、「Ｔｅｃｈｎｉｑｕｅｓ  ｆｏｒ  Ｃｏｎｆｉｇｕｒｉｎｇ  Ｕｐｌｉｎｋ  Ｃｈａｎｎｅｌｓ  ｉｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄｓ」と題する、Ｌｕｏらによる米国仮特許出願第６１／９１９，５１８号の優先権を主張する。
【０００２】
[0002]本開示は、たとえば、ワイヤレス通信システムに関し、より詳細には、無認可無線周波数スペクトル帯域においてアップリンクチャネルを構成するための技法に関する。
【背景技術】
【０００３】
[0003]ワイヤレス通信システムは、音声、ビデオ、パケットデータ、メッセージング、ブロードキャストなどの様々なタイプの通信内容を提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]たとえば、ワイヤレス多元接続通信システムは、各々が複数のユーザ機器（モバイルデバイスなどのＵＥ）のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]アップリンクチャネルの構成は、アップリンクチャネルに関連付けられた１つまたは複数のメトリクス（たとえば、シンボル電力またはチャネル品質に関するメトリクス）に影響を及ぼすことがある。アップリンクチャネルの構成はまた、たとえば、アップリンクチャネルを受信および／または復号するとき、他の波形からの干渉を消去するための能力にも影響を及ぼすことがある。
【発明の概要】
【０００６】
[0006]本開示は、たとえば、無認可無線周波数スペクトル帯域におけるアップリンク通信のためのアップリンクチャネルを構成するための、１つまたは複数の技法に関する。いくつかの例では、この技法は、無認可無線周波数スペクトル帯域（たとえば、Ｗｉ−Ｆｉ（登録商標）および／またはＬＴＥ（登録商標）／ＬＴＥ−Ａ通信のために使用可能な共有無線周波数スペクトル帯域）におけるアップリンク通信のためのアップリンクチャネルの構成を動的に選択することを提供し得る。この構成は、たとえば、ＯＦＤＭＡ構成、シングルキャリア周波数分割多元接続（ＳＣ−ＦＤＭＡ）構成、およびリソースブロック（ＲＢ）インターリーブＦＤＭＡ構成の中から選択され得る。他の例では、この技法は、アップリンクチャネルを使用して、無認可無線周波数スペクトル帯域における信号において、ＯＦＤＭＡ波形を生成および／または通信することを提供し得る。ＯＦＤＭＡ波形は、たとえば、物理アップリンク共有チャネル（ＰＵＳＣＨ）、物理アップリンク制御チャネル（ＰＵＣＣＨ）、および／または物理ランダムアクセスチャネル（ＰＲＡＣＨ）を含むアップリンクチャネルのために、様々に構成され得る。他の例では、この技法は、アップリンクチャネルが受信および／または復号されるとき、干渉消去を提供し得る。
【０００７】
[0007]例示的な例の第１のセットでは、ワイヤレス通信のための方法が説明される。一例では、この方法は、無認可無線周波数スペクトル帯域におけるアップリンク通信のためのアップリンクチャネルのＯＦＤＭＡ構成を識別することと、識別されたＯＦＤＭＡ構成に基づいて、ＯＦＤＭＡ波形を生成することと、アップリンクチャネルを使用して、無認可無線周波数スペクトル帯域における信号において、生成されたＯＦＤＭＡ波形を通信することとを含み得る。
【０００８】
[0008]いくつかの例では、アップリンクチャネルは、物理アップリンク共有チャネル（ＰＵＳＣＨ）を含み得る。これらの例では、この方法は、インターレースもしくはリソースブロックのビットマップに少なくとも部分的に基づいて、または、開始リソースブロックおよびリソースブロックの数に少なくとも部分的に基づいて、ＰＵＳＣＨのためのリソースを割り振ることをさらに含み得る。いくつかの例では、この方法は、開始インターレースおよびインターレースの数に少なくとも部分的に基づいて、ＰＵＳＣＨのためのリソースを割り振ることを含み得、インターレースは、帯域幅全体に及ぶように選択されたリソースブロックのあらかじめ定義されたセットであり得る。いくつかの例では、ＰＵＳＣＨのためのリソースを割り振ることは、ユーザ機器が互いに隣接する２つ以上のクラスタに割り当てられる、マルチクラスタ送信のためである。そのような場合、この方法は、ユーザ機器に割り当てられたリソースブロックのうちの２つ以上に部分的に基づいて、ＰＵＳＣＨのためのリソースを割り振ることを含み得る。この方法はまた、または代替的に、１つまたは複数のＯＦＤＭシンボル位置に従って、１つまたは複数のリソース要素に、１つまたは複数の変調シンボルをマッピングすること、あるいは、１つまたは複数の周波数サブキャリアに従って、１つまたは複数のリソース要素に、１つまたは複数の変調シンボルをマッピングすること、あるいは、タイムスロットと周波数サブキャリアとのインターリーブに従って、１つまたは複数のリソース要素に、１つまたは複数の変調シンボルをマッピングすることを含み得る。この方法はまた、または代替的に、１つまたは複数のタイムスロットと１つまたは複数の第１の周波数サブキャリアとの第１のセットにおいて、アップリンクチャネル上で復調基準信号（ＤＭ−ＲＳ）を送信することを含み得る。１つまたは複数のタイムスロットと１つまたは複数の第１の周波数サブキャリアとの第１のセットは、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであり得る。この方法はまた、または代替的に、１つまたは複数のタイムスロットと１つまたは複数の第１の周波数サブキャリアとの第１のセットにおいて、アップリンクチャネル上でＤＭ−ＲＳを送信することを含み得る。１つまたは複数のタイムスロットと１つまたは複数の第１の周波数サブキャリアとの第１のセットは、ダウンリンクチャネル上でＵＥ−ＲＳを受信するために使用される、１つまたは複数のタイムスロットと１つまたは複数の第２の周波数サブキャリアとの第２のセットとは、少なくとも１つの点で異なり得る。
【０００９】
[0009]いくつかの例では、この方法は、識別されたＯＦＤＭＡ構成に基づいて、ＯＦＤＭＡ波形を生成するとき、ＰＲＢバンドリングを使用することを含み得る。この方法はまた、または代替的に、識別されたＯＦＤＭＡ構成に基づいて、ＯＦＤＭＡ波形を生成するとき、プリコーダ循環を使用すること、ここにおいて、プリコーダが、プリコーダのあらかじめ定義されたセットを循環させられ得る、を含み得る。プリコーダ循環のために使用されるプリコーダは、アップリンクグラントの一部として基地局によって示され得る。いくつかの例では、プリコーダは、ダウンリンクチャネル状態情報基準信号（ＣＳＩ−ＲＳ）送信に少なくとも部分的に基づいて、ＵＥによって導出され得る。
【００１０】
[0010]いくつかの例では、アップリンクチャネルは、アップリンク多入力多出力（ＵＬ−ＭＩＭＯ）チャネルまたはマルチユーザＭＩＭＯ（ＭＵ−ＭＩＭＯ）チャネルを含み得る。
【００１１】
[0011]いくつかの例では、この方法は、識別されたＯＦＤＭＡ構成に基づいて、ＯＦＤＭＡ波形を生成するとき、シンボル電力を示すメトリックを低減するために、シンボル並べ替えまたは位相回転を適用することを含み得る。この方法はまた、または代替的に、ＯＦＤＭＡ波形に異なるスクランブリングシーケンスを適用することと、無認可無線周波数スペクトル帯域における信号において、生成されたＯＦＤＭＡ波形を通信するときに使用するために、スクランブリングシーケンスのうちの１つを選択することとを含み得る。
【００１２】
[0012]いくつかの例では、アップリンクチャネルは、物理アップリンク制御チャネル（ＰＵＣＣＨ）を含み得る。これらの例では、アップリンクチャネルを使用して、無認可無線周波数スペクトル帯域における信号において、生成されたＯＦＤＭＡ波形を通信することは、複数のインターリーブリソースブロックにおいてＰＵＣＣＨの重複コピーを送信することを含み得る。アップリンクチャネルを使用して、無認可無線周波数スペクトル帯域における信号において、生成されたＯＦＤＭＡ波形を通信することはまた、または代替的に、符号分割多重化シーケンスまたは他の直交シーケンスに従って、複数のインターリーブリソースブロック内でＰＵＣＣＨを多重化することを含み得る。アップリンクチャネルを使用して、無認可無線周波数スペクトル帯域における信号において、生成されたＯＦＤＭＡ波形を通信することはまた、または代替的に、拡張リソース要素グループの複数のリソース要素内でＰＵＣＣＨを多重化することを含み得る。
【００１３】
[0013]いくつかの例では、アップリンクチャネルは、１つまたは複数の事前に割り振られたインターレース上で送信される物理ランダムアクセスチャネル（ＰＲＡＣＨ）を含み得る。
【００１４】
[0014]いくつかの例では、この方法は、アップリンクチャネル上でサウンディング基準信号（ＳＲＳ）を送信することを含み得る。ＳＲＳは、サブフレームの最後のＯＦＤＭシンボル位置とは異なるサブフレームのＯＦＤＭシンボル位置に配置され得る。他の例では、この技法は、アップリンクチャネルを使用して、無認可無線周波数スペクトル帯域における信号において、ＳＲＳなしに、生成されたＯＦＤＭＡ波形を通信することを含み得る。
【００１５】
[0015]いくつかの例では、この方法は、リソースの割振りとは無関係に、およびすべてのリソースブロック上で、アップリンクチャネルにおいてチャネル状態情報基準信号（ＣＳＩ−ＲＳ）を送信することを含み得る。いくつかの例では、ＣＳＩ−ＲＳは、リソース割振りに応じて送信され得る。これらの例では、この方法は、ＣＳＩ−ＲＳの送信を調整するために、ＰＵＳＣＨおよびＰＵＣＣＨのためのレートマッチングを示すことを含み得る。この方法はまた、または代替的に、アップリンクチャネルにおいてチャネル状態情報干渉測定値（ＣＳＩ−ＩＭ：channel state information interference measurement）を送信することを含み得る。いくつかの例では、この方法は、基地局によって、アップリンクＣＳＩ−ＲＳ送信に少なくとも部分的に基づいて、ダウンリンクチャネルにおいて使用されるべきプリコーダを生成することをさらに含み得る。
【００１６】
[0016]いくつかの例では、この方法は、アップリンクチャネルがＰＵＣＣＨを備えるがＰＵＳＣＨを備えないとき、アップリンクチャネルを送信するために、リソースブロックの第１のセットを使用することと、アップリンクチャネルがＰＵＳＣＨを備えるがＰＵＣＣＨを備えないとき、アップリンクチャネルを送信するために、リソースブロックの第２のセットを使用することとを含み得る。リソースブロックの第２のセットは、リソースブロックの第１のセットとは異なり得る。これらの例では、および、アップリンクチャネルがＰＵＣＣＨとＰＵＳＣＨとを備えるとき、この方法は、アップリンクチャネル上でＰＵＣＣＨとＰＵＳＣＨとを周波数分割多重化することと、ＰＵＣＣＨを送信するために、リソースブロックの第１のセットのすべてよりも少ないもののサブセットを使用することと、ＰＵＳＣＨを送信するために、リソースブロックの第２のセットのうちの少なくともいくつかを使用することとをさらに含み得る。ＰＵＣＣＨおよびＰＵＳＣＨが周波数分割多重化されるとき、この方法はまた、ＰＵＳＣＨを送信するために、リソースブロックの第１のセットのうちの少なくとも１つをも使用することを含み得る。また、または代替的に、アップリンクチャネルがＰＵＣＣＨとＰＵＳＣＨとを含むとき、この方法は、ＰＵＳＣＨの少なくとも一部を送信するために、リソースブロックの第１のセットのうちの少なくとも１つのリソースブロックの少なくとも１つの周波数サブキャリアをパンクチャすることによって、ＰＵＣＣＨとＰＵＳＣＨとを周波数分割多重化することを含み得る。
【００１７】
[0017]いくつかの例では、この方法は、アップリンクチャネル上で、ＰＵＣＣＨとＰＵＳＣＨとを周波数分割多重化することと、ＰＵＣＣＨの一部として、物理ダウンリンク共有チャネル（ＰＤＳＣＨ）に関係する肯定応答を送信することと、ＰＵＳＣＨの一部として、チャネル品質情報（ＣＱＩ）を送信することとを含み得る。いくつかの例では、ＰＵＳＣＨの一部としてＣＱＩを送信することは、同時に複数のダウンリンクキャリアのＣＱＩを送信することを含み得る。
【００１８】
[0018]いくつかの例では、この方法は、基地局からシグナリングを受信することと、受信されたシグナリングに少なくとも部分的に基づいて、アップリンクチャネルのＯＦＤＭＡ構成を選択することとを含み得る。これらの例では、基地局からのシグナリングは、リソースブロック割振りを示し得、アップリンクチャネルのＯＦＤＭＡ構成は、リソースブロック割振りに少なくとも部分的に基づいて選択され得る。いくつかの例では、アップリンクチャネルのＯＦＤＭＡ構成は、基地局から受信されたダウンリンクグラントにおいて示された変調およびコーディング方式（ＭＣＳ）に少なくとも部分的に基づいて選択され得る。いくつかの例では、アップリンクチャネルのＯＦＤＭＡ構成は、アップリンク多入力多出力（ＵＬ−ＭＩＭＯ）またはマルチユーザＭＩＭＯ（ＭＵ−ＭＩＭＯ）が有効化されるか無効化されるかに少なくとも部分的に基づいて選択され得る。
【００１９】
[0019]例示的な例の第２のセットでは、ワイヤレス通信のための装置が説明される。一例では、この装置は、無認可無線周波数スペクトル帯域におけるアップリンク通信のためのアップリンクチャネルのＯＦＤＭＡ構成を識別するための手段と、識別されたＯＦＤＭＡ構成に基づいて、ＯＦＤＭＡ波形を生成するための手段と、アップリンクチャネルを使用して、無認可無線周波数スペクトル帯域における信号において、生成されたＯＦＤＭＡ波形を通信するための手段とを含み得る。いくつかの例では、この装置は、例示的な例の第１のセットに関して上記で説明されたワイヤレス通信のための方法の１つまたは複数の態様を実施するための手段をさらに含み得る。
【００２０】
[0020]例示的な例の第３のセットでは、ワイヤレス通信のための別の装置が説明される。一例では、この装置は、プロセッサと、プロセッサと電子通信しているメモリと、メモリに記憶された命令とを含み得る。この命令は、無認可無線周波数スペクトル帯域におけるアップリンク通信のためのアップリンクチャネルのＯＦＤＭＡ構成を識別することと、識別されたＯＦＤＭＡ構成に基づいて、ＯＦＤＭＡ波形を生成することと、アップリンクチャネルを使用して、無認可無線周波数スペクトル帯域における信号において、生成されたＯＦＤＭＡ波形を通信することとを行うように、プロセッサによって実行可能であり得る。いくつかの例では、この命令はまた、例示的な例の第１のセットに関して上記で説明されたワイヤレス通信のための方法の１つまたは複数の態様を実施するようにプロセッサによって実行可能であり得る。
【００２１】
[0021]例示的な例の第４のセットでは、ワイヤレス通信ネットワークにおけるワイヤレス通信装置による通信のためのコンピュータプログラム製品が説明される。一例では、コンピュータプログラム製品は、ワイヤレス通信のためのコンピュータ実行可能コードを記憶する非一時的コンピュータ可読媒体を含み得、このコードは、無認可無線周波数スペクトル帯域におけるアップリンク通信のためのアップリンクチャネルのＯＦＤＭＡ構成を識別することと、識別されたＯＦＤＭＡ構成に基づいて、ＯＦＤＭＡ波形を生成することと、アップリンクチャネルを使用して、無認可無線周波数スペクトル帯域における信号において、生成されたＯＦＤＭＡ波形を通信することとを行うように、プロセッサによって実行可能である。いくつかの例では、このコードはまた、例示的な例の第１のセットに関して上記で説明されたワイヤレス通信のための方法の１つまたは複数の態様を実施するようにプロセッサによって実行可能であり得る。
【００２２】
[0022]例示的な例の第５のセットでは、ワイヤレス通信のための別の方法が説明される。一例では、この方法は、第１の基地局の仮想セル識別子を、第１の基地局と第１のＵＥとの間の送信に関連付けることを含み得る。仮想セル識別子はまた、第２の基地局と第２のＵＥとの間の送信にも関連付けられ得る。この方法はまた、第１の基地局と第１のＵＥとの間のアップリンクチャネルおよびダウンリンクチャネルにおけるＤＭ−ＲＳの送信のための、共通リソースブロックのセットを識別することを含み得る。共通リソースブロックのセットの識別は、仮想セル識別子に少なくとも部分的に基づき得る。
【００２３】
[0023]いくつかの例では、この方法は、第１の基地局と第１のＵＥとの間のＤＭ−ＲＳの送信のための第１の空間多重化に関連付けられた第１のポートを識別することを含み得る。第１の空間多重化は、第２の基地局と第２のＵＥとの間でＤＭ−ＲＳを送信するために使用される第２のポートに関連付けられた第２の空間多重化とは異なり得る。これらの例では、この方法は、第１のリンク識別子を、第１の基地局と第１のＵＥとの間のアップリンクチャネルに関連付け、第２のリンク識別子を、第１の基地局と第１のＵＥとの間のダウンリンクチャネルに関連付けることと、アップリンクチャネルにおける送信を用いて第１のリンク識別子を送信する、または、ダウンリンクチャネルにおける送信を用いて第２のリンク識別子を送信することとをさらに含み得る。第１のリンク識別子は、第２のリンク識別子とは異なり得る。アップリンクチャネルにおける送信を用いて第１のリンク識別子を送信することは、第１のリンク識別子に応じてＤＭ−ＲＳを生成することを含み得、ダウンリンクチャネルにおける送信を用いて第２のリンク識別子を送信することは、第２のリンク識別子に応じてＤＭ−ＲＳを生成することを含み得る。
【００２４】
[0024]例示的な例の第６のセットでは、ワイヤレス通信のための別の装置が説明される。オン例では、この装置は、第１の基地局の仮想セル識別子を、第１の基地局と第１のＵＥとの間の送信に関連付けるための手段と、第１の基地局と第１のＵＥとの間のアップリンクチャネルおよびダウンリンクチャネルにおけるＤＭ−ＲＳの送信のための、共通リソースブロックのセットを識別するための手段とを含み得る。仮想セル識別子はまた、第２の基地局と第２のＵＥとの間の送信にも関連付けられ得る。共通リソースブロックのセットの識別は、仮想セル識別子に少なくとも部分的に基づき得る。いくつかの例では、この装置は、例示的な例の第５のセットに関して上記で説明されたワイヤレス通信のための方法の１つまたは複数の態様を実施するための手段をさらに含み得る。
【００２５】
[0025]例示的な例の第７のセットでは、ワイヤレス通信のための別の装置が説明される。一例では、この装置は、プロセッサと、プロセッサと電子通信しているメモリと、メモリに記憶された命令とを含み得る。この命令は、第１の基地局の仮想セル識別子を、第１の基地局と第１のＵＥとの間の送信に関連付けることと、第１の基地局と第１のＵＥとの間のアップリンクチャネルおよびダウンリンクチャネルにおけるＤＭ−ＲＳの送信のための、共通リソースブロックのセットを識別することとを行うように、プロセッサによって実行可能であり得る。仮想セル識別子はまた、第２の基地局と第２のＵＥとの間の送信にも関連付けられ得る。共通リソースブロックのセットの識別は、仮想セル識別子に少なくとも部分的に基づき得る。いくつかの例では、この命令はまた、例示的な例の第５のセットに関して上記で説明されたワイヤレス通信のための方法の１つまたは複数の態様を実施するようにプロセッサによって実行可能であり得る。
【００２６】
[0026]例示的な例の第８のセットでは、ワイヤレス通信ネットワークにおけるワイヤレス通信装置による通信のための別のコンピュータプログラム製品が説明される。一例では、コンピュータプログラム製品は、ワイヤレス通信のためのコンピュータ実行可能コードを記憶する非一時的コンピュータ可読媒体を含み得、このコードは、第１の基地局の仮想セル識別子を、第１の基地局と第１のＵＥとの間の送信に関連付けることと、第１の基地局と第１のＵＥとの間のアップリンクチャネルおよびダウンリンクチャネルにおけるＤＭ−ＲＳの送信のための、共通リソースブロックのセットを識別することとを行うように、プロセッサによって実行可能である。仮想セル識別子はまた、第２の基地局と第２のＵＥとの間の送信にも関連付けられ得る。共通リソースブロックのセットの識別は、仮想セル識別子に少なくとも部分的に基づき得る。いくつかの例では、このコードはまた、例示的な例の第５のセットに関して上記で説明されたワイヤレス通信のための方法の１つまたは複数の態様を実施するようにプロセッサによって実行可能であり得る。
【００２７】
[0027]例示的な例の第９のセットでは、ワイヤレス通信のための別の方法が説明される。一例では、この方法は、無認可無線周波数スペクトル帯域におけるアップリンク通信のためのアップリンクチャネルの構成を動的に選択することと、選択された構成に基づいて、波形を生成することと、アップリンクチャネルを使用して、無認可無線周波数スペクトル帯域における信号において、生成された波形を通信することとを含み得る。
【００２８】
[0028]いくつかの例では、アップリンクチャネルの構成は、ＯＦＤＭＡ構成、シングルキャリア周波数分割多元接続（ＳＣ−ＦＤＭＡ）構成、およびリソースブロックインターリーブ周波数分割多元接続（ＦＤＭＡ）構成から選択され得る。
【００２９】
[0029]いくつかの例では、この方法は、基地局からシグナリングを受信することと、受信されたシグナリングに少なくとも部分的に基づいて、アップリンクチャネルの構成を選択することとを含み得る。これらの例では、基地局からのシグナリングは、リソースブロック割振りを示し得、アップリンクチャネルの構成は、リソースブロック割振りに少なくとも部分的に基づいて選択され得る。いくつかの例では、アップリンクチャネルの構成は、基地局から受信されたダウンリンクグラントにおいて示された変調およびコーディング方式（ＭＣＳ）に少なくとも部分的に基づいて選択され得る。いくつかの例では、アップリンクチャネルの構成は、アップリンク多入力多出力（ＵＬ−ＭＩＭＯ）またはマルチユーザＭＩＭＯ（ＭＵ−ＭＩＭＯ）が有効化されるか無効化されるかに少なくとも部分的に基づいて選択され得る。
【００３０】
[0030]例示的な例の第１０のセットでは、ワイヤレス通信のための別の装置が説明される。一例では、この装置は、無認可無線周波数スペクトル帯域におけるアップリンク通信のためのアップリンクチャネルの構成を動的に選択するための手段と、選択された構成に基づいて、波形を生成するための手段と、アップリンクチャネルを使用して、無認可無線周波数スペクトル帯域における信号において、生成された波形を通信するための手段とを含み得る。いくつかの例では、この装置は、例示的な例の第９のセットに関して上記で説明されたワイヤレス通信のための方法の１つまたは複数の態様を実施するための手段をさらに含み得る。
【００３１】
[0031]例示的な例の第１１のセットでは、ワイヤレス通信のための別の装置が説明される。一例では、この装置は、プロセッサと、プロセッサと電子通信しているメモリと、メモリに記憶された命令とを含み得る。この命令は、無認可無線周波数スペクトル帯域におけるアップリンク通信のためのアップリンクチャネルの構成を動的に選択することと、選択された構成に基づいて、波形を生成することと、アップリンクチャネルを使用して、無認可無線周波数スペクトル帯域における信号において、生成された波形を通信することとを行うように、プロセッサによって実行可能であり得る。いくつかの例では、この命令はまた、例示的な例の第９のセットに関して上記で説明されたワイヤレス通信のための方法の１つまたは複数の態様を実施するようにプロセッサによって実行可能であり得る。
【００３２】
[0032]例示的な例の第１２のセットでは、ワイヤレス通信ネットワークにおけるワイヤレス通信装置による通信のための別のコンピュータプログラム製品が説明される。コンピュータプログラム製品は、ワイヤレス通信のためのコンピュータ実行可能コードを記憶する非一時的コンピュータ可読媒体を含み得、このコードは、無認可無線周波数スペクトル帯域におけるアップリンク通信のためのアップリンクチャネルの構成を動的に選択することと、選択された構成に基づいて、波形を生成することと、アップリンクチャネルを使用して、無認可無線周波数スペクトル帯域における信号において、生成された波形を通信することとを行うように、プロセッサによって実行可能である。いくつかの例では、このコードはまた、例示的な例の第９のセットに関して上記で説明されたワイヤレス通信のための方法の１つまたは複数の態様を実施するようにプロセッサによって実行可能であり得る。
【００３３】
[0033]上記では、以下の発明を実施するための形態がより良く理解され得るように、本開示による例の特徴および技術的利点についてやや広く概説した。追加の特徴および利点が以下で説明される。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【００３４】
[0034]以下の図面を参照することによって、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、説明は、第２の参照ラベルにかかわらず、同じ第１の参照ラベルを有する同様の構成要素のいずれか１つに適用可能である。
【図面の簡単な説明】
【００３５】
【図１】[0035]本開示の様々な態様による、ワイヤレス通信システムのブロック図。
【図２Ａ】[0036]本開示の様々な態様による、無認可無線周波数スペクトル帯域においてＬＴＥ／ＬＴＥ−Ａを使用するための展開シナリオの例を示す図。
【図２Ｂ】[0037]本開示の様々な態様による、無認可無線周波数スペクトル帯域においてＬＴＥ／ＬＴＥ−Ａを使用するためのスタンドアロンモードの一例を示すワイヤレス通信システムを示す図。
【図３】[0038]本開示の様々な態様による、ワイヤレス通信システムのＵＥおよび基地局が共通無線周波数スペクトル帯域において通信するとき、ＵＥと基地局との間で生じ得る干渉の第１の例を示す図。
【図４】[0039]本開示の様々な態様による、ワイヤレス通信システムのＵＥおよび基地局が共通無線周波数スペクトル帯域において通信するとき、ＵＥと基地局とを生じ得る干渉の第２の例を示す図。
【図５】[0040]本開示の様々な態様による、それにおいてユーザ機器基準信号（ＵＥ−ＲＳ）がダウンリンクチャネルにおいて送信され得る、ダウンリンクチャネルリソースブロックを示す図。
【図６】[0041]本開示の様々な態様による、アップリンクチャネルにおいてＤＭ−ＲＳを送信するためのアップリンクチャネルリソースブロックを示す図。
【図７】[0042]本開示の様々な態様による、アップリンクチャネルにおいてＤＭ−ＲＳを送信するための別のアップリンクチャネルリソースブロックを示す図。
【図８Ａ】[0043]本開示の様々な態様による、第１のリソースブロック、第２のリソースブロック、第３のリソースブロック、および第４のリソースブロックなど、複数のインターリーブリソースブロックを使用して、どのようにＰＵＣＣＨが送信され得るかの一例を示す図。
【図８Ｂ】[0044]本開示の様々な態様による、拡張リソース要素グループの複数のリソース要素（たとえば、第１のリソース要素、第２のリソース要素、および第３のリソース要素）内のＰＵＣＣＨ多重化の一例を示す図。
【図９】[0045]本開示の様々な態様による、ＰＵＣＣＨおよびＰＵＳＣＨの送信における周波数分割多重化の一例を示す図。
【図１０】[0046]本開示の様々な態様による、ＰＵＣＣＨおよびＰＵＳＣＨの送信における周波数分割多重化の別の例を示す図。
【図１１】[0047]本開示の様々な態様による、ワイヤレス通信において使用するための装置のブロック図。
【図１２】[0048]本開示の様々な態様による、（たとえば、無認可無線周波数スペクトル帯域におけるアップリンク通信のためのアップリンクチャネルの構成を動的に選択するために）ワイヤレス通信において使用するための装置のブロック図。
【図１３】[0049]本開示の様々な態様による、（たとえば、無認可無線周波数スペクトル帯域におけるアップリンク通信のためのアップリンクチャネルのＯＦＤＭＡ構成を識別するために）ワイヤレス通信において使用するための装置のブロック図。
【図１４】[0050]本開示の様々な態様による、（たとえば、無認可無線周波数スペクトル帯域におけるアップリンク通信のためのアップリンクチャネルのＯＦＤＭＡ構成を識別するために）ワイヤレス通信において使用するための装置のブロック図。
【図１５】[0051]本開示の様々な態様による、（たとえば、無認可無線周波数スペクトル帯域におけるアップリンク通信のためのアップリンクチャネルにおけるＤＭ−ＲＳの送信のための共通リソースブロックのセットを識別するために）ワイヤレス通信において使用するための装置のブロック図。
【図１６】[0052]本開示の様々な態様による、（たとえば、無認可無線周波数スペクトル帯域におけるアップリンク通信のためのアップリンクチャネルにおけるＤＭ−ＲＳの送信のための共通リソースブロックのセットを識別するために）ワイヤレス通信において使用するための装置のブロック図。
【図１７】[0053]本開示の様々な態様による、ワイヤレス通信において使用するための基地局のブロック図。
【図１８】[0054]本開示の様々な態様による、ワイヤレス通信において使用するためのＵＥのブロック図。
【図１９】[0055]本開示の様々な態様による、ワイヤレス通信の方法の一例を示すフローチャート。
【図２０】[0056]本開示の様々な態様による、ワイヤレス通信の方法の一例を示すフローチャート。
【図２１】[0057]本開示の様々な態様による、ワイヤレス通信の方法の一例を示すフローチャート。
【図２２】[0058]本開示の様々な態様による、ワイヤレス通信の方法の一例を示すフローチャート。
【図２３】[0059]本開示の様々な態様による、ワイヤレス通信の方法の一例を示すフローチャート。
【図２４】[0060]本開示の様々な態様による、ワイヤレス通信の方法の一例を示すフローチャート。
【図２５】[0061]本開示の様々な態様による、ワイヤレス通信の方法の一例を示すフローチャート。
【図２６】[0062]本開示の様々な態様による、ワイヤレス通信の方法の一例を示すフローチャート。
【図２７】[0063]本開示の様々な態様による、ワイヤレス通信の方法の一例を示すフローチャート。
【図２８】[0064]本開示の様々な態様による、ワイヤレス通信の方法の一例を示すフローチャート。
【図２９】[0065]本開示の様々な態様による、ワイヤレス通信の方法の一例を示すフローチャート。
【発明を実施するための形態】
【００３６】
[0066]無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａ送信）のためのアップリンクチャネルを構成するとき、アップリンク通信の性質、干渉の可能性、および／または他のファクタに応じて、異なる方法でアップリンクチャネルを構成することが望ましくなり得る。本明細書で開示されるように、アップリンクチャネルは、（たとえば、ＵＥによって）自律的に、または基地局から受信されたシグナリングに応答して構成され得、そのシグナリングは、どのようにアップリンクチャネルが構成される必要があるかを示し得、またはそこからＵＥがどのようにアップリンクチャネルを構成するかを決定し得る情報を提供し得る。アップリンクチャネルはまた、ＰＵＳＣＨ、ＰＵＣＣＨ、および／または物理ランダムアクセスチャネル（ＰＲＡＣＨ）など、アップリンクチャネル中に含まれるチャネルの１つまたは複数のタイプに基づいて構成され得る。アップリンクチャネルはまた、干渉および／または他のファクタの可能性に基づいて構成され得る。
【００３７】
[0067]いくつかの例では、無認可無線周波数スペクトル帯域におけるＬＴＥ／ＬＴＥ−Ａアップリンク通信のためのアップリンクチャネルは、認可無線周波数スペクトル帯域におけるＬＴＥ／ＬＴＥ−Ａアップリンク通信のためのアップリンクチャネルとは異なり得、認可無線周波数スペクトル帯域におけるＬＴＥ／ＬＴＥ−Ａアップリンク通信のためのアップリンクチャネルとは異なるように、無認可無線周波数スペクトル帯域におけるＬＴＥ／ＬＴＥ−Ａアップリンク通信のためのアップリンクチャネルを構成することに、利点があり得る。
【００３８】
[0068]本明細書で説明される技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上で言及されたシステムおよび無線技術、ならびに他のシステムおよび無線技術に使用され得る。しかしながら、以下の説明は、例としてＬＴＥシステムについて説明し、以下の説明の大部分においてＬＴＥ用語が使用されるが、本技法はＬＴＥ適用例以外に適用可能である。
【００３９】
[0069]以下の説明は例を提供するものであり、特許請求の範囲に記載された範囲、適用可能性、または構成を限定するものではない。本開示の趣旨および範囲から逸脱することなく、説明される要素の機能および配置に関して変更が行われ得る。様々な例は、適宜に様々な手順または構成要素を省略、置換、または追加し得る。たとえば、説明される方法は、説明される順序とは異なる順序で実施され得、様々なステップが追加、省略、または組み合わされ得る。また、いくつかの例に関して説明される特徴は、他の例において組み合わされ得る。
【００４０】
[0070]図１は、本開示の様々な態様による、ワイヤレス通信システム１００のブロック図を示す。ワイヤレス通信システム１００は、複数の基地局１０５（たとえば、ｅＮＢ、ＷＬＡＮアクセスポイント、または他のアクセスポイント）と、いくつかのユーザ機器（ＵＥ）１１５と、コアネットワーク１３０とを含む。基地局１０５のうちのいくつかは、様々な例ではコアネットワーク１３０または基地局１０５のうちのいくつかの一部であり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信し得る。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００４１】
[0071]基地局１０５は、１つまたは複数の基地局アンテナを介して、ＵＥ１１５とワイヤレス通信し得る。基地局１０５の各々は、それぞれのカバレージエリア１１０に通信カバレージを与え得る。いくつかの例では、基地局１０５は、アクセスポイント、トランシーバ基地局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００４２】
[0072]いくつかの例では、ワイヤレス通信システム１００は、ＬＴＥ／ＬＴＥ−Ａ通信システム（またはネットワーク）を含み得、そのＬＴＥ／ＬＴＥ−Ａ通信システムは、認可無線周波数スペクトル帯域および／または無認可無線周波数スペクトル帯域における１つまたは複数の動作モードまたは展開をサポートし得る。他の例では、ワイヤレス通信システム１００は、ＬＴＥ／ＬＴＥ−Ａとは異なるアクセス技術を使用して、ワイヤレス通信をサポートし得る。ＬＴＥ／ＬＴＥ−Ａ通信システムでは、発展型ノードＢまたはｅＮＢという用語は、たとえば、基地局１０５について説明するために使用され得る。
【００４３】
[0073]ワイヤレス通信システム１００は、異なるタイプの基地局１０５が様々な地理的領域にカバレージを与える、異種ＬＴＥ／ＬＴＥ−Ａネットワークであり得、またはそれを含み得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的より小さい地理的エリアをカバーすることになり、ネットワークプロバイダのサービスに加入しているＵＥによる無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００４４】
[0074]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、および／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの送信は時間的に整合されないことがある。本明細書で説明される技法は、同期動作または非同期動作のいずれかに対して使用され得る。
【００４５】
[0075]ＵＥ１１５は、ワイヤレス通信システム１００全体にわたって分散され得、各ＵＥ１１５は固定またはモバイルであり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなど、異なるタイプのアクセスネットワーク上で通信することが可能であり得る。
【００４６】
[0076]ワイヤレス通信システム１００に示された通信リンク１２５は、アップリンク（ＵＬ）通信（たとえば、ＵＥ１１５から基地局１０５への送信）を搬送するためのアップリンクチャネル、および／またはダウンリンク（ＤＬ）通信（たとえば、基地局１０５からＵＥ１１５への送信）を搬送するためのダウンリンクチャネルを含み得る。ＵＬ通信または送信は、逆方向リンク通信または送信と呼ばれることもあり、ＤＬ通信または送信は、順方向リンク通信または送信と呼ばれることもある。ダウンリンク通信または送信は、認可無線周波数スペクトル帯域、無認可無線周波数スペクトル帯域、または両方を使用して行われ得る。同様に、アップリンク通信または送信は、認可無線周波数スペクトル帯域、無認可無線周波数スペクトル帯域、または両方を使用して行われ得る。
【００４７】
[0077]ワイヤレス通信システム１００のいくつかの例では、無認可無線周波数スペクトル帯域におけるＬＴＥ／ＬＴＥ−Ａのための様々な展開シナリオは、認可無線周波数スペクトル帯域におけるＬＴＥ／ＬＴＥ−Ａダウンリンク通信が無認可無線周波数スペクトル帯域へオフロードされ得る補助ダウンリンクモードと、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域へオフロードされ得るキャリアアグリゲーションモードと、基地局（たとえば、ｅＮＢ）とＵＥとの間のＬＴＥ／ＬＴＥ−Ａダウンリンク通信およびＬＴＥ／ＬＴＥ−Ａアップリンク通信が無認可無線周波数スペクトル帯域において行われ得るスタンドアロンモードとを含んでサポートされ得る。基地局１０５ならびにＵＥ１１５は、これらまたは同様の動作モードのうちの１つまたは複数をサポートし得る。ＯＦＤＭＡ波形は、認可無線周波数スペクトル帯域および／または無認可無線周波数スペクトル帯域におけるＬＴＥ／ＬＴＥ−Ａダウンリンク通信のために通信リンク１２５において使用され得、ＯＦＤＭＡ波形、ＳＣ−ＦＤＭＡ波形、および／またはＲＢインターリーブＦＤＭＡ波形は、認可無線周波数スペクトル帯域および／または無認可無線周波数スペクトル帯域におけるＬＴＥ／ＬＴＥ−Ａアップリンク通信のために通信リンク１２５において使用され得る。
【００４８】
[0078]図２Ａは、本開示の様々な態様による、無認可無線周波数スペクトル帯域においてＬＴＥ／ＬＴＥ−Ａを使用するための展開シナリオの例を示す図を示す。一例では、図２Ａは、無認可無線周波数スペクトル帯域における展開をサポートするＬＴＥ／ＬＴＥ−Ａネットワークのための補助ダウンリンクモードおよびキャリアアグリゲーションモードの例を示すワイヤレス通信システム２００を示す。ワイヤレス通信システム２００は、図１のワイヤレス通信システム１００の部分の一例であり得る。その上、基地局２０５は、図１の基地局１０５のうちの１つまたは複数の態様の一例であり得、ＵＥ２１５、２１５−ａ、および２１５−ｂは、図１のＵＥ１１５のうちの１つまたは複数の態様の例であり得る。
【００４９】
[0079]ワイヤレス通信システム２００における補助ダウンリンクモードの例では、基地局２０５は、ダウンリンクチャネル２２０を使用してＵＥ２１５へＯＦＤＭＡ波形を送信し得る。ダウンリンクチャネル２２０は、無認可無線周波数スペクトル帯域において周波数Ｆ１に関連付けられ得る。基地局２０５は、第１の双方向リンク２２５を使用して同じＵＥ２１５へＯＦＤＭＡ波形を送信し得、第１の双方向リンク２２５を使用してそのＵＥ２１５からＳＣ−ＦＤＭＡ波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０、および認可無線周波数スペクトル帯域における第１の双方向リンク２２５は、同時に動作し得る。ダウンリンクチャネル２２０は、基地局２０５のためにダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。このシナリオは、認可無線周波数スペクトル帯域を使用し、トラフィックおよび／またはシグナリング輻輳の一部を軽減する必要がある、任意のサービスプロバイダ（たとえば、従来のモバイルネットワーク事業者（ＭＮＯ））に対して生じ得る。
【００５０】
[0080]ワイヤレス通信システム２００におけるキャリアアグリゲーションモードの一例では、基地局２０５は、第２の双方向リンク２３０を使用してＵＥ２１５−ａへＯＦＤＭＡ波形を送信し得、第２の双方向リンク２３０を使用して同じＵＥ２１５−ａからＯＦＤＭＡ波形、ＳＣ−ＦＤＭＡ波形、および／またはＲＢインターリーブＦＤＭＡ波形を受信し得る。第２の双方向リンク２３０は、無認可無線周波数スペクトル帯域における周波数Ｆ１に関連付けられ得る。基地局２０５はまた、第３の双方向リンク２３５を使用して同じＵＥ２１５−ａへＯＦＤＭＡ波形を送信し得、第３の双方向リンク２３５を使用して同じＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、基地局２０５のためにダウンリンク容量およびアップリンク容量のオフロードを提供し得る。上記で説明された補助ダウンリンクモードのように、このシナリオは、認可無線周波数スペクトル帯域を使用し、トラフィックおよび／またはシグナリング輻輳の一部を軽減する必要がある、任意のサービスプロバイダ（たとえば、ＭＮＯ）に対して生じ得る。
【００５１】
[0081]ワイヤレス通信システム２００におけるキャリアアグリゲーションモードの別の例では、基地局２０５は、第４の双方向リンク２４０を使用してＵＥ２１５−ｂへＯＦＤＭＡ波形を送信し得、第４の双方向リンク２４０を使用して同じＵＥ２１５−ｂからＯＦＤＭＡ波形、ＳＣ−ＦＤＭＡ波形、および／またはＲＢインターリーブ波形を受信し得る。第４の双方向リンク２４０は、無認可無線周波数スペクトル帯域における周波数Ｆ３に関連付けられ得る。基地局２０５はまた、第５の双方向リンク２４５を使用して同じＵＥ２１５−ｂへＯＦＤＭＡ波形を送信し得、第５の双方向リンク２４５を使用して同じＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、基地局２０５のためにダウンリンク容量およびアップリンク容量のオフロードを提供し得る。この例および上記で提供された例は、説明のために提示され、容量のオフロードのために認可無線周波数スペクトル帯域および無認可無線周波数スペクトル帯域におけるＬＴＥ／ＬＴＥ−Ａを組み合わせる他の同様の動作モードまたは展開シナリオが存在し得る。
【００５２】
[0082]上記で説明されたように、無認可無線周波数スペクトル帯域においてＬＴＥ／ＬＴＥ−Ａを使用することによって提供される容量のオフロードから利益を得ることができる典型的なサービスプロバイダは、ＬＴＥ／ＬＴＥ−Ａ無線周波数スペクトル帯域へのアクセス権を有する従来のＭＮＯである。これらのサービスプロバイダにとって、運用上の構成は、認可無線周波数スペクトル帯域上のＬＴＥ／ＬＴＥ−Ａ１次コンポーネントキャリア（ＰＣＣ）と無認可無線周波数スペクトル帯域上の２次コンポーネントキャリア（ＳＣＣ）とを使用するブートストラップモード（たとえば、補助ダウンリンク、キャリアアグリゲーション）を含み得る。
【００５３】
[0083]キャリアアグリゲーションモードでは、データおよび制御は、たとえば、（たとえば、第１の双方向リンク２２５と、第３の双方向リンク２３５と、第５の双方向リンク２４５とを介して）認可無線周波数スペクトル帯域において通信され得、データは、たとえば、（たとえば、第２の双方向リンク２３０と第４の双方向リンク２４０とを介して）無認可無線周波数スペクトル帯域において通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５４】
[0084]図２Ｂは、本開示の様々な態様による、無認可無線周波数スペクトル帯域においてＬＴＥ／ＬＴＥ−Ａを使用するためのスタンドアロンモードの一例を示すワイヤレス通信システム２５０を示す。ワイヤレス通信システム２５０は、図１および／または図２Ａに関して説明されたワイヤレス通信システム１００および／または２００の部分の一例であり得る。その上、基地局２０５は、図１および／または図２Ａに関して説明された基地局１０５および／または２０５のうちの１つまたは複数の態様の一例であり得、ＵＥ２１５−ｃは、図１および／または図２Ａに関して説明されたＵＥ１１５および／または２１５のうちの１つまたは複数の態様の一例であり得る。
【００５５】
[0085]ワイヤレス通信システム２５０におけるスタンドアロンモードの例では、基地局２０５は、双方向リンク２５５を使用してＵＥ２１５−ｃへＯＦＤＭＡ波形を送信し得、双方向リンク２５５を使用してＵＥ２１５−ｃからＯＦＤＭＡ波形、ＳＣ−ＦＤＭＡ波形、および／またはＲＢインターリーブＦＤＭＡ波形を受信し得る。双方向リンク２５５は、図２Ａに関して説明された無認可無線周波数スペクトル帯域における周波数Ｆ３に関連付けられ得る。スタンドアロンモードは、スタジアム内アクセス（たとえば、ユニキャスト、マルチキャスト）などの非従来型のワイヤレスアクセスシナリオにおいて使用され得る。この動作モードの典型的なサービスプロバイダは、認可無線周波数スペクトル帯域へのアクセスを有していないスタジアムオーナー、ケーブル会社、イベントホスト、ホテル、企業、または大規模会社であり得る。
【００５６】
[0086]いくつかの例では、図１、図２Ａ、および／もしくは図２Ｂに関して説明された基地局１０５、２０５（たとえば、ｅＮＢ）、または、図１、図２Ａ、および／もしくは図２Ｂに関して説明されたＵＥ１１５および／もしくは２１５などの送信デバイスは、無認可無線周波数スペクトル帯域のチャネルへのアクセスを獲得するためにゲーティング間隔を使用し得る。ゲーティング間隔は、ＥＴＳＩ（ＥＮ３０１  ８９３）において指定されているＬＢＴプロトコルに基づくリッスンビフォアトーク（ＬＢＴ：Listen Before Talk）プロトコルのような、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）を実行する必要があるときを示し得る。ＣＣＡの結果は、無認可無線周波数スペクトル帯域のチャネルが利用可能であるか使用中であるかを送信装置に示し得る。チャネルが利用可能である（たとえば、使用のために「クリア」である）ことをＣＣＡが示すとき、ゲーティング間隔は、通常はあらかじめ定義された送信間隔の間、送信装置がチャネルを使用することを可能にし得る。チャネルが利用可能ではない（たとえば、使用中または予約済みである）ことをＣＣＡが示すとき、ゲーティング間隔は、送信装置が送信間隔の間にチャネルを使用することを妨げ得る。
【００５７】
[0087]いくつかの例では、送信装置が、周期的にゲーティング間隔を生成し、周期的なフレーム構造の少なくとも１つの境界とゲーティング間隔の少なくとも１つの境界を同期させることが有用であり得る。たとえば、認可無線周波数スペクトル帯域においてセルラーダウンリンクのための周期的なゲーティング間隔を生成し、セルラーダウンリンクに関連付けられた周期的なフレーム構造（たとえば、ＬＴＥ／ＬＴＥ−Ａ無線フレーム）の少なくとも１つの境界と周期的なゲーティング間隔の少なくとも１つの境界を同期させることが有用であり得る。
【００５８】
[0088]いくつかのシナリオの下で、ＵＥまたは基地局（たとえば、ｅＮＢ）によって受信されたワイヤレス通信（たとえば、送信）は、干渉に関連付けられ得る。この点について、図３は、本開示の様々な態様による、ワイヤレス通信システム３００のＵＥおよび基地局が共通無線周波数スペクトル帯域において通信するとき、ＵＥと基地局との間で生じ得る干渉の第１の例を示す。いくつかの例では、ワイヤレス通信デバイス３００は、図１、図２Ａ、および／または図２Ｂに関して説明されたワイヤレス通信システム１００、２００、および／または２５０の１つまたは複数の態様の一例であり得る。
【００５９】
[0089]例として、図３は、第１の基地局３０５−ａと、第２の基地局３０５−ｂと、第１のＵＥ３１５−ａと、第２のＵＥ３１５−ｂとを示す。ＵＥのうちの１つ（たとえば、第１のＵＥ３１５−ａ）がｅＮＢのうちの１つ（たとえば、第１の基地局３０５−ａ）から第１の送信３２５を受信するとき、第１の送信３２５は、別のＵＥ（たとえば、第２のＵＥ３１５−ｂ）が別のｅＮＢ（たとえば、第２の基地局３０５−ｂ）へ第２の送信３３０を行った結果として、第２の干渉３４０に関連付けられ得る。同様に、基地局のうちの１つ（たとえば、第２の基地局３０５−ｂ）がＵＥのうちの１つ（たとえば、第２のＵＥ３１５−ｂ）から第２の送信３３０を受信するとき、第２の送信３３０は、別の基地局（たとえば、第１の基地局３０５−ａ）が別のＵＥ（たとえば、第１のＵＥ３１５−ａ）へ第１の送信３２５を行った結果として、第１の干渉３３５に関連付けられ得る。第１のＵＥ３１５−ａと、第２のＵＥ３１５−ｂと、第１の基地局３０５−ａと、第２の基地局３０５−ｂとの間の協調がなければ、第１のＵＥ３１５−ａ、第２のＵＥ３１５−ｂ、第１の基地局３０５−ａ、および第２の基地局３０５−ｂにおける受信機は、第１の干渉３３５および／または第２の干渉３４０など、干渉の性質をブラインド推定することしかできないことがある。干渉のブラインド推定は、干渉の消去を可能にするために十分ではないことがある。
【００６０】
[0090]図４は、本開示の様々な態様による、ワイヤレス通信システム４００のＵＥおよび基地局が共通無線周波数スペクトル帯域において通信するとき、ＵＥと基地局との間で生じ得る干渉の第２の例を示す。
【００６１】
[0091]例として、図４は、第１の基地局４０５−ａと、第２の基地局４０５−ｂと、第１のＵＥ４１５−ａと、第２のＵＥ４１５−ｂとを示す。ＵＥのうちの１つ（たとえば、第１のＵＥ４１５−ａ）が基地局のうちの１つ（たとえば、第１の基地局４０５−ａ）から第１の送信４２５を受信するとき、第１の送信４２５は、別の基地局（たとえば、第２の基地局４０５−ｂ）が別のＵＥ（たとえば、第２のＵＥ４１５−ｂ）へ第２の送信４３０を行った結果として、第１の干渉４３５に関連付けられ得る。同様に、第２のＵＥ４１５−ｂが第２の基地局４０５−ｂから第２の送信４３０を受信するとき、第２の送信４３０は、第１の基地局４０５−ａから第１のＵＥ４１５−ａへの第１の送信４２５の結果として、第２の干渉４４０に関連付けられ得る。第１のＵＥ４１５−ａと、第２のＵＥ４１５−ｂと、第１の基地局４０５−ａと、第２の基地局４０５−ｂとの間の協調がなければ、第１のＵＥ４１５−ａ、第２のＵＥ４１５−ｂ、第１の基地局４０５−ａ、および第２の基地局４０５−ｂにおける受信機は、第１の干渉４３５および／または第２の干渉４４０など、干渉の性質をブラインド推定することしかできないことがある。干渉のブラインド推定は、干渉の消去を可能にするために十分ではないことがある。
【００６２】
[0092]図４および／または図５に関して説明されたシナリオなどのシナリオの下で干渉の消去を容易にするために、重複するカバレージエリアを有する基地局は、共通仮想セル識別子（たとえば、仮想セルＩＤ）を割り当てられ得る（または、ネゴシエートし得る）。次いで、基地局、および基地局が通信する先のＵＥは、共通仮想セル識別子をそれらの送信に関連付け得る（たとえば、基地局は、共通仮想セル識別子を、基地局からＵＥへのダウンリンク送信に関連付け得、ＵＥは、共通仮想セル識別子を、ＵＥから基地局へのアップリンク送信に関連付け得る）。
【００６３】
[0093]第１の空間多重化に関連付けられたポートが、ある基地局（たとえば、図３または図４に関して説明された第１の基地局３０５−ａまたは４０５−ａ）と１つまたは複数のＵＥ（たとえば、第１のＵＥ３１５−ａまたは４１５−ａ）との間のＤＭ−ＲＳの送信のために識別され得、第２の空間多重化に関連付けられたポートが、別の基地局（たとえば、第２の基地局３０５−ｂまたは４０５−ｂ）と１つまたは複数のＵＥ（たとえば、第２のＵＥ３１５−ｂまたは４１５−ｂ）との間のＤＭ−ＲＳの送信のために識別され得る。これは、受信される送信からの干渉を消去するための、基地局（たとえば、第１の基地局３０５−ａ／４０５−ａもしくは第２の基地局３０５−ｂ／４０５−ｂ）、またはＵＥ（たとえば、第１のＵＥ３１５−ａ／４１５−ａもしくは第２のＵＥ３１５−ｂ／４１５−ｂ）の能力を改善し得る。改善された干渉消去は、ワイヤレス通信システムのチャネル推定および／または他の態様を改善し得る。
【００６４】
[0094]図３および／または図４に示されている基地局が、同じ仮想セル識別子を割り当てられるとき、基地局およびＵＥによって生成されるＤＭ−ＲＳは同じであり得、それもまた改善された干渉消去を可能にし得る。
【００６５】
[0095]いくつかの例では、異なるリンク識別子が、アップリンクチャネルおよびダウンリンクチャネルに割り当てられ得るので、異なるリンク識別子が、アップリンクチャネルおよびダウンリンクチャネルにおけるそれぞれの送信に関連付けられ得るようになる。たとえば、図３および／または図４における第１の基地局３０５−ａ／４０５−ａおよび第１のＵＥ３１５−ａ／４１５−ａを参照すると、第１のリンク識別子は、第１の基地局３０５−ａ／４０５−ａと第１のＵＥ３１５−ａ／４１５−ａとの間のアップリンクチャネルに関連付けられ得、第２のリンク識別子は、第２の基地局３０５−ｂ／４０５−ｂと第２のＵＥ３１５−ｂ／４１５−ｂとの間のダウンリンクチャネルに関連付けられ得、ここにおいて、第１のリンク識別子が第２のリンク識別子とは異なる。いくつかの例では、アップリンクチャネルにおける送信を用いて第１のリンク識別子を送信することは、第１のリンク識別子に応じてＤＭ−ＲＳを生成することを含み得る。同様に、アップリンクチャネルにおける送信を用いて第２のリンク識別子を送信することは、第２のリンク識別子に応じてＤＭ−ＲＳを生成することを含み得る。リンク識別子を各送信に割り当てることによって、受信機は、干渉がアップリンク送信の結果であるか、ダウンリンク送信の結果であるかを決定し得る。アップリンク送信がＳＲＳとＰＵＣＣＨ構造とを含み得るのに対して、ダウンリンク送信はＣＲＳを含み得、チャネル状態情報基準信号（ＣＳＩ−ＲＳ）プロセスを構成していることがある。この知識はまた、干渉消去を改善するためにも使用され得る。
【００６６】
[0096]図５は、本開示の様々な態様による、それにおいてユーザ機器基準信号（ＵＥ−ＲＳ）がダウンリンクチャネルにおいて送信され得る、ダウンリンクチャネルリソースブロック５００を示す。ＵＥ−ＲＳという用語は、いくつかの例では、ダウンリンクチャネルにおいて送信されるＤＭ−ＲＳを、アップリンクチャネルにおいて送信されるＤＭ−ＲＳと区別するために使用され得る。
【００６７】
[0097]ダウンリンクチャネルリソースブロック５００は、複数のリソース要素（たとえば、第１のリソース要素５０５および第２のリソース要素５１０）を含む。各リソース要素は、いくつかのタイムスロット（たとえば、ＯＦＤＭシンボル位置５１５）のうちの１つと、いくつかの周波数サブキャリア５２０のうちの１つとに対応し得る。例として、ダウンリンクチャネルリソースブロック５００は、１４個のＯＦＤＭシンボル位置（または、スロット０およびスロット１とラベルが付けられた２つのスロット、もしくは１つのサブフレーム）と、１２個の周波数サブキャリアとに及ぶ、リソース要素を含む。
【００６８】
[0098]さらなる例として、ＵＥ−ＲＳ５２５が、スロット０およびスロット１の各々における、周波数サブキャリア０、５、および１０と、ＯＦＤＭシンボル位置５および６との交差において見つかるリソース要素においてなど、ダウンリンクチャネルリソースブロック５００の１つまたは複数のタイムスロットと１つまたは複数の周波数サブキャリアとのセットにおいて送信され得る。いくつかの例では、共通基準信号（ＣＲＳ）が、（たとえば、ダウンリンクチャネルリソースブロック５００がフレーム（図示せず）のサブフレーム０またはサブフレーム５にあるとき）ダウンリンクチャネルリソースブロック５００において送信され得る。いくつかの例では、ＣＳＩ−ＲＳプロセスは、ダウンリンクチャネルリソースブロック５００中に含まれ得る。
【００６９】
[0099]図６は、本開示の様々な態様による、アップリンクチャネルにおいてＤＭ−ＲＳを送信するためのアップリンクチャネルリソースブロック６００を示す。
【００７０】
[0100]アップリンクチャネルリソースブロック６００は、図５に関して説明されたダウンリンクチャネルリソースブロック５００と同様に構築され得、複数のリソース要素（たとえば、第１のリソース要素６０５および第２のリソース要素６１０）を含み得る。各リソース要素は、いくつかのタイムスロット（たとえば、ＯＦＤＭシンボル位置６１５）のうちの１つと、いくつかの周波数サブキャリア６２０のうちの１つとに対応し得る。例として、アップリンクチャネルリソースブロック６００は、１４個のＯＦＤＭシンボル位置（または、スロット０およびスロット１とラベルが付けられた２つのスロット、もしくは１つのサブフレーム）と、１２個の周波数サブキャリアとに及ぶ、リソース要素を含む。
【００７１】
[0101]さらなる例として、ＤＭ−ＲＳ６２５が、スロット０およびスロット１の各々における、周波数サブキャリア０、５、および１０と、ＯＦＤＭシンボル位置５および６との交差において見つかるリソース要素においてなど、アップリンクチャネルリソースブロック６００の１つまたは複数のタイムスロットと１つまたは複数の周波数サブキャリアとのセットにおいて送信され得る。このようにしてリソースブロックの共通セットが、互いに通信中である基地局とＵＥとの間の、アップリンクチャネルにおけるＤＭ−ＲＳおよびダウンリンクチャネルにおけるＵＥ−ＲＳの送信のために識別され得る。これは、干渉を消去するための基地局およびＵＥの能力を改善し得る。また、アップリンク波形およびダウンリンク波形は、それらのＵＥ−ＲＳ／ＤＭ−ＲＳ部分において直交するようにされ得る。
【００７２】
[0102]図６に示されているＤＭ−ＲＳ６２５は、サブフレームの最後のＯＦＤＭシンボル位置におけるいくつかの周波数サブキャリアを占有するので、サウンディング基準信号（ＳＲＳ）６３０は、最後のＯＦＤＭシンボル位置以外のＯＦＤＭシンボル位置に配置され得る。図６では、ＳＲＳ６３０は、サブフレームの最初のＯＦＤＭシンボル位置に配置される。他の例では、ＳＲＳは、異なるＯＦＤＭシンボル位置に配置され得る。
【００７３】
[0103]図７は、本開示の様々な態様による、アップリンクチャネルにおいてＤＭ−ＲＳを送信するための別のアップリンクチャネルリソースブロック７００を示す。
【００７４】
[0104]アップリンクチャネルリソースブロック７００は、図５に関して説明されたダウンリンクチャネルリソースブロック５００と同様に構築され得、複数のリソース要素（たとえば、第１のリソース要素７０５および第２のリソース要素７１０）を含み得る。各リソース要素は、いくつかのタイムスロット（たとえば、ＯＦＤＭシンボル位置７１５）のうちの１つと、いくつかの周波数サブキャリア７２０のうちの１つとに対応し得る。例として、アップリンクチャネルリソースブロック７００は、１４個のＯＦＤＭシンボル位置（または、スロット０およびスロット１とラベルが付けられた２つのスロット、もしくは１つのサブフレーム）と、１２個の周波数サブキャリアとに及ぶ、リソース要素を含む。
【００７５】
[0105]さらなる例として、ＤＭ−ＲＳ７２５が、スロット０およびスロット１の各々における、周波数サブキャリア０、５、および１０と、ＯＦＤＭシンボル位置４および５との交差において見つかるリソース要素においてなど、アップリンクチャネルリソースブロック７００の１つまたは複数のタイムスロットと１つまたは複数の周波数サブキャリアとのセットにおいて送信され得る。このようにして、および、図５に関して説明されたダウンリンクチャネルリソースブロック５００と比較して、ソースブロックの非衝突セットが、互いに通信中である基地局とＵＥとの間の、アップリンクチャネルにおけるＤＭ−ＲＳ７２５およびダウンリンクチャネルにおけるＵＥ−ＲＳ５２５の送信のために識別され得る。これは、ＳＲＳが、認可無線周波数スペクトル帯域におけるＬＴＥ／ＬＴＥ−Ａアップリンク通信のためのアップリンクチャネルに配置される場合と同様に、ＳＲＳ７３０が、アップリンクチャネルリソースブロック７００の最後のＯＦＤＭシンボル位置に配置されることを可能にし得る。他の例では、ＳＲＳは、異なるＯＦＤＭシンボル位置に配置され得る。また、アップリンク波形およびダウンリンク波形は、それらのＵＥ−ＲＳ／ＤＭ−ＲＳ部分において直交するようにされ得る。
【００７６】
[0106]次にＰＵＣＣＨおよび／またはＰＵＳＣＨの送信を参照すると、従来のＬＴＥ／ＬＴＥ−Ａ通信におけるＰＵＣＣＨ送信は、１つのリソースブロックのみを占有し得る。ただし、いくつかの通信（たとえば、無認可無線周波数スペクトル帯域におけるＬＴＥ／ＬＴＥ−Ａ通信）が、利用可能な周波数帯域幅の少なくともある割合（たとえば、利用可能な周波数帯域幅の少なくとも８０％）を占有するという要件があり得る。
【００７７】
[0107]この点について、図８Ａは、本開示の様々な態様による、第１のリソースブロック８０５、第２のリソースブロック８１０、第３のリソースブロック８１５、および第４のリソースブロック８２０など、複数のインターリーブリソースブロックを使用して、どのようにＰＵＣＣＨが送信され得るかの一例８００を示す。第１のリソースブロック８０５、第２のリソースブロック８１０、第３のリソースブロック８１５、および第４のリソースブロック８２０は、サブフレーム８３０の利用可能な周波数帯域幅８２５のある割合に及び得るので、第１のリソースブロック８０５と、第２のリソースブロック８１０と、第３のリソースブロック８１５と、第４のリソースブロック８２０とを使用する送信は、周波数帯域幅の少なくとも必要とされる割合を占有するようになる。一例では、ＰＵＣＣＨの重複コピーが、第１のリソースブロック８０５、第２のリソースブロック８１０、第３のリソースブロック８１５、および第４のリソースブロック８２０の各々において送信され得る。いくつかの例では、第１のリソースブロック８０５、第２のリソースブロック８１０、第３のリソースブロック８１５、および第４のリソースブロック８２０におけるシンボルの異なるサブセット（図示せず）が、異なるＵＥのＰＵＣＣＨ送信のために割り振られ得る。別の例では、ＰＵＣＣＨは、符号分割多重化シーケンスまたは他の直交シーケンスに従って、第１のリソースブロック８０５、第２のリソースブロック８１０、第３のリソースブロック８１５、および第４のリソースブロック８２０内で多重化され得る。
【００７８】
[0108]図８Ｂは、本開示の様々な態様による、拡張リソース要素グループの複数のリソース要素（たとえば、第１のリソース要素８８５、第２のリソース要素８９０、および第３のリソース要素８９５）内のＰＵＣＣＨ多重化の一例８５０を示す。拡張リソース要素グループは、サブフレーム８８０の利用可能な周波数帯域幅８７５のある割合に及ぶ、第１のリソースブロック８５５、第２のリソースブロック８６０、第３のリソースブロック８６５、および第４のリソースブロック８７０など、複数のインターリーブリソースブロックにわたって分散され得る。
【００７９】
[0109]例として、図８Ｂは、２つのリソース要素グループ（たとえば、リソース要素グループ１およびリソース要素グループ２）を示す。異なるリソース要素グループは、異なるＵＥ（たとえば、ＵＥ１およびＵＥ２）に関連付けられ得る。リソース要素グループは、第１のリソースブロック８５５、第２のリソースブロック８６０、第３のリソースブロック８６５、および第４のリソースブロック８７０内で多重化され得る。
【００８０】
[0110]図９は、本開示の様々な態様による、ＰＵＣＣＨおよびＰＵＳＣＨの送信における周波数分割多重化の一例９００を示す。図９は、リソースブロックの３つの異なるセット、リソースブロックの第１のセット９０５と、リソースブロックの第２のセット９１０と、リソースブロックの第３のセット９１５とを示す。リソースブロックの各セットは、第１のサブフレーム９５５、第２のサブフレーム９６０、および第３のサブフレーム９６５など、特定のサブフレームの周波数帯域幅を表し得る。いくつかの例では、ＰＵＣＣＨおよびＰＵＳＣＨの周波数分割多重送信は、特定のサブフレームの利用可能な周波数帯域幅の、すべてを含む、少なくともある割合に及び得る。
【００８１】
[0111]第１のサブフレーム９５５の周波数帯域幅を表すリソースブロックの第１のセット９０５では、送信されるべきアップリンクチャネルはＰＵＣＣＨを含み得る。そのようなシナリオでは、リソースブロックの第１のセット９０５のうちのリソースブロックの第１のサブセットが、アップリンクチャネルを送信するために使用され得る。リソースブロックの第１のサブセットは、第１のリソースブロック９２０、第２のリソースブロック９２５、第３のリソースブロック９３０、および第４のリソースブロック９３５など、複数のインターリーブリソースブロックを含み得る。１つまたは複数のＵＥは、インターリーブリソースブロックの各々の間に送信し得る。
【００８２】
[0112]第２のサブフレーム９６０の周波数帯域幅を表すリソースブロックの第２のセット９１０では、送信されるべきアップリンクチャネルはＰＵＳＣＨを含み得る。そのようなシナリオでは、リソースブロックの第２のセット９１０のうちのリソースブロックの第２のサブセットが、アップリンクチャネルを送信するために使用され得る。リソースブロックの第２のサブセットは、（リソースブロックの第１のグループ９４０と、リソースブロックの第２のグループ９４５と、リソースブロックの第３のグループ９５０とを含む）複数のインターリーブリソースブロックを含み得る。
【００８３】
[0113]第３のサブフレーム９６５の周波数帯域幅を表すリソースブロックの第３のセット９１５では、送信されるべきアップリンクチャネルは、ＰＵＣＣＨとＰＵＳＣＨとを含み得る。そのようなシナリオでは、ＰＵＣＣＨおよびＰＵＳＣＨは、ＰＵＣＣＨを送信するために、第１のリソースブロック９２０と、第２のリソースブロック９２５と、第３のリソースブロック９３０と、第４のリソースブロック９３５とを含む、リソースブロックの第１のサブセットを使用して、および、ＰＵＳＣＨを送信するために、（リソースブロックの第１のグループ９４０と、リソースブロックの第２のグループ９４５と、リソースブロックの第３のグループ９５０とを含む）リソースブロックの第２のサブセットを使用して、周波数分割多重化され得る。
【００８４】
[0114]図１０は、本開示の様々な態様による、ＰＵＣＣＨおよびＰＵＳＣＨの送信における周波数分割多重化の別の例１０００を示す。図１０は、３つの異なるリソースブロックのセットを示す。たとえば、リソースブロックの第１のセット１００５、リソースブロックの第２のセット１０１０、およびリソースブロックの第３のセット１０１５。リソースブロックの各セットは、特定のサブフレームの周波数帯域幅を表し得る。たとえば、リソースブロックの第１のセット１００５は、第１のサブフレーム１０５５の周波数帯域幅を表し得、リソースブロックの第２のセット１０１０は、第２のサブフレーム１０６０の周波数帯域幅を表し得、リソースブロックの第３のセット１０１５は、第３のサブフレーム１０６５の周波数帯域幅を表し得る。いくつかの例では、ＰＵＣＣＨおよびＰＵＳＣＨの周波数分割多重送信は、特定のサブフレームの利用可能な周波数帯域幅の、すべてを含む、少なくともある割合に及び得る。
【００８５】
[0115]第１のサブフレーム１０５５の周波数帯域幅を表すリソースブロックの第１のセット１００５では、送信されるべきアップリンクチャネルはＰＵＣＣＨを含み得る。そのようなシナリオでは、リソースブロックの第１のセット１００５のうちのリソースブロックの第１のサブセットが、アップリンクチャネルを送信するために使用され得る。リソースブロックの第１のサブセットは、第１のリソースブロック１０２０、第２のリソースブロック１０２５、第３のリソースブロック１０３０、および第４のリソースブロック１０３５など、複数のインターリーブリソースブロックを含み得る。
【００８６】
[0116]第２のサブフレーム１０６０の周波数帯域幅を表すリソースブロックの第２のセット１０１０では、送信されるべきアップリンクチャネルはＰＵＳＣＨを含み得る。そのようなシナリオでは、リソースブロックの第１のセットのうちのリソースブロックの第２のサブセットが、アップリンクチャネルを送信するために使用され得る。リソースブロックの第２のサブセットは、（リソースブロックの第１のグループ１０４０と、リソースブロックの第２のグループ１０４５と、リソースブロックの第３のグループ１０５０とを含む）複数のインターリーブリソースブロックを含み得る。
【００８７】
[0117]第３のサブフレーム１０６５の周波数帯域幅を表すリソースブロックの第３のセット１０１５では、送信されるべきアップリンクチャネルは、ＰＵＣＣＨとＰＵＳＣＨとを含み得る。そのようなシナリオでは、ＰＵＣＣＨおよびＰＵＳＣＨは、周波数分割多重化され得る。アップリンクチャネル上でＰＵＣＣＨとＰＵＳＣＨとを周波数分割多重化するとき、ＰＵＣＣＨのために割り当てられるいくつかのリソースブロックは、（たとえば、アップリンクチャネル上のスタンドアロンＰＵＣＣＨ送信のために）ＰＵＣＣＨおよびＰＵＳＣＨがアップリンクチャネル上で周波数分割多重化されないときにＰＵＣＣＨのために割り当てられるいくつかのリソースブロックとは異なり得る。たとえば、リソースブロックの第１のセットのうちの（たとえば、すべてよりも少ない）サブセット（たとえば、第１のリソースブロック１０２０および第４のリソースブロック１０３５）が、ＰＵＣＣＨを送信するために使用され得、ＰＵＣＣＨを送信するために使用されないリソースブロックの第１のセット１００５のうちのリソースブロック（たとえば、第２のリソースブロック１０２５および第３のリソースブロック１０３０）が、ＰＵＳＣＨを送信するために使用され得る。別の例では、ＰＵＣＣＨを送信するために使用されないリソースブロックの第１のセット１００５のうちのリソースブロック（たとえば、第２のリソースブロック１０２５および第３のリソースブロック１０３０）が、異なるＵＥのＰＵＣＣＨまたはＰＵＳＣＨを送信するために使用され得る。ＰＵＣＣＨを送信するために使用される第１のセットのうちの第１のリソースブロック１０２０および第４のリソースブロック１０３５は、いくつかの例では、利用可能なリソースブロックの少なくともある割合に及ぶように選択され得る。
【００８８】
[0118]ＰＵＣＣＨおよびＰＵＳＣＨの送信を周波数分割多重化する別の例では、ＰＵＣＣＨおよびＰＵＳＣＨは、ＰＵＳＣＨの少なくとも一部を送信するために、リソースブロックの第１のセット１００５のうちの少なくとも１つのリソースブロックの少なくとも１つの周波数サブキャリアをパンクチャすることによって、周波数分割多重化され得る。たとえば、ＰＵＣＣＨを送信するために割り当てられるリソースブロックは、ＰＵＣＣＨおよびＰＵＳＣＨがアップリンクチャネル上で周波数分割多重化されない（たとえば、アップリンクチャネル上のスタンドアロンＰＵＣＣＨ送信の）ときに、ＰＵＣＣＨを送信するために割り当てられるリソースブロック（たとえば、リソースブロックの第１のセット１００５）よりも、狭いサブキャリア周波数帯域幅または短い時間期間を有し得る。
【００８９】
[0119]ＰＵＣＣＨおよびＰＵＳＣＨの送信を周波数分割多重化する別の例では、ＰＵＣＣＨに割り当てられるいくつかのリソースが、ＰＵＳＣＨに割り当てられるリソースと重複し得る。ＰＵＳＣＨに割り当てられるリソースと重複する、ＰＵＣＣＨに割り当てられるリソースが使用されないとき、ＰＵＳＣＨに割り当てられるリソースと重複する、ＰＵＣＣＨに割り当てられるリソースは、ＰＵＳＣＨを送信するために使用され得る。
【００９０】
[0120]図１１は、本開示の様々な態様による、ワイヤレス通信において使用するための装置１１１５のブロック図１１００を示す。いくつかの例では、装置１１１５は、図１、図２Ａ、図２Ｂ、および／もしくは図１８に関して説明されるＵＥ１１５、２１５、および／もしくは１８１５のうちの１つもしくは複数の態様、図１、図２Ａ、図２Ｂ、および／もしくは図１７に関して説明される基地局１０５、２０５、および／もしくは１７０５のうちの１つもしくは複数の態様、ならびに／または、図１２、図１３、図１４、図１５、および／もしくは図１６に関して説明される装置１２１５、１３１５、１４１５、１５１５、および／もしくは１６１５のうちの１つもしくは複数の態様の一例であり得る。装置１１１５はプロセッサでもあり得る。装置１１１５は、受信機モジュール１１１０、ワイヤレス通信管理モジュール１１２０、および／または送信機モジュール１１３０を含み得る。これらの構成要素の各々は、互いに通信し得る。
【００９１】
[0121]デバイス１１１５の構成要素は、ハードウェアにおいて適用可能な機能の一部または全部を実行するように適応された１つまたは複数の特定用途向け集積回路（ＡＳＩＣ）を使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９２】
[0122]いくつかの例では、受信機モジュール１１１０は、第１の無線周波数スペクトル帯域（たとえば、ＬＴＥ／ＬＴＥ−Ａ通信のために使用可能な無線周波数スペクトル帯域など、認可無線周波数スペクトル帯域）、ならびに／または、第２の無線周波数スペクトル帯域（たとえば、Ｗｉ−Ｆｉおよび／もしくはＬＴＥ／ＬＴＥ−Ａ通信のために使用可能な共有無線周波数スペクトル帯域など、無認可無線周波数スペクトル帯域）における、送信を受信するように動作可能な無線周波数（ＲＦ）受信機など、ＲＦ受信機であり得、またはそれを含み得る。受信機モジュール１１１０は、図１、図２Ａ、および／または図２Ｂに関して説明されたワイヤレス通信システム１００、２００、および／または２５０の１つまたは複数の通信リンクなど、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を受信するために使用され得る。
【００９３】
[0123]いくつかの例では、送信機モジュール１１３０は、第１の無線周波数スペクトル帯域および／または第２の無線周波数スペクトル帯域において送信するように動作可能なＲＦ送信機など、ＲＦ送信機であり得、またはそれを含み得る。送信機モジュール１１３０は、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を送信するために使用され得る。
【００９４】
[0124]いくつかの例では、ワイヤレス通信管理モジュール１１２０は、受信機モジュール１１１０を介したワイヤレス通信の受信、および／または、送信機モジュール１１３０を介したワイヤレス通信の送信を管理し得る。
【００９５】
[0125]図１２は、本開示の様々な態様による、（たとえば、無認可無線周波数スペクトル帯域におけるアップリンク通信のためのアップリンクチャネルの構成を動的に選択するために）ワイヤレス通信において使用するための装置１２１５のブロック図１２００を示す。いくつかの例では、装置１２１５は、図１、図２Ａ、図２Ｂ、および／もしくは図１８に関して説明されるＵＥ１１５、２１５、および／もしくは１８１５のうちの１つもしくは複数の態様、ならびに／または、図１１、図１３、図１４、図１５、および／もしくは図１６に関して説明される装置１１１５、１３１５、１４１５、１５１５、および／もしくは１６１５のうちの１つもしくは複数の態様の一例であり得る。装置１２１５はプロセッサでもあり得る。装置１２１５は、受信機モジュール１２１０、ワイヤレス通信管理モジュール１２２０、および／または送信機モジュール１２３０を含み得る。これらの構成要素の各々は、互いに通信し得る。
【００９６】
[0126]装置１２１５の構成要素は、ハードウェアにおいて適用可能な機能の一部または全部を実行するように適応された１つまたは複数のＡＳＩＣを使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９７】
[0127]いくつかの例では、受信機モジュール１２１０は、第１の無線周波数スペクトル帯域（たとえば、ＬＴＥ／ＬＴＥ−Ａ通信のために使用可能な認可無線周波数スペクトル帯域）、ならびに／または、第２の無線周波数スペクトル帯域（たとえば、Ｗｉ−Ｆｉおよび／もしくはＬＴＥ／ＬＴＥ−Ａ通信のために使用可能な共有無線周波数スペクトル帯域など、無認可無線周波数スペクトル帯域）における、送信を受信するように動作可能な無線周波数（ＲＦ）受信機など、ＲＦ受信機であり得、またはそれを含み得る。ＲＦ受信機は、第１の無線周波数スペクトル帯域および第２の無線周波数スペクトル帯域のための別個の受信機を含み得る。いくつかの場合、別個の受信機は、第１の無線周波数スペクトル帯域を介して通信するための認可無線周波数スペクトル帯域受信機モジュール１２１２、および第２の無線周波数スペクトル帯域を介して通信するための無認可無線周波数スペクトル帯域受信機モジュール１２１４の形態をとり得る。認可無線周波数スペクトル帯域受信機モジュール１２１２および／または無認可無線周波数スペクトル帯域受信機モジュール１２１４を含む、受信機モジュール１２１０は、図１、図２Ａ、および／または図２Ｂに関して説明されたワイヤレス通信システム１００、２００、および／または２５０の１つまたは複数の通信リンクなど、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を受信するために使用され得る。
【００９８】
[0128]いくつかの例では、送信機モジュール１２３０は、第１の無線周波数スペクトル帯域および／または第２の無線周波数スペクトル帯域において送信するように動作可能なＲＦ送信機など、ＲＦ送信機であり得、またはそれを含み得る。ＲＦ送信機は、第１の無線周波数スペクトル帯域および第２の無線周波数スペクトル帯域のための別個の送信機を含み得る。いくつかの場合、別個の送信機は、第１の無線周波数スペクトル帯域を介して通信するための認可無線周波数スペクトル帯域送信機モジュール１２３２、および第２の無線周波数スペクトル帯域を介して通信するための無認可無線周波数スペクトル帯域送信機モジュール１２３４の形態をとり得る。認可無線周波数スペクトル帯域送信機モジュール１２３２および／または無認可無線周波数スペクトル帯域送信機モジュール１２３４を含む、送信機モジュール１２３０は、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を送信するために使用され得る。
【００９９】
[0129]いくつかの例では、ワイヤレス通信管理モジュール１２２０は、図１１に関して説明されたワイヤレス通信管理モジュール１１２０の１つまたは複数の態様の一例であり得、アップリンクチャネル構成選択器モジュール１２４０、波形生成器モジュール１２４５、および／または波形通信モジュール１２５０を含み得る。これらの構成要素の各々は、互いに通信し得る。
【０１００】
[0130]いくつかの例では、アップリンクチャネル構成選択器モジュール１２４０は、無認可無線周波数スペクトル帯域におけるアップリンク通信（たとえば、ＬＴＥ／ＬＴＥ−Ａアップリンク通信）のためのアップリンクチャネルの構成を動的に選択するために使用され得る。いくつかの例では、アップリンクチャネルの構成は、ＯＦＤＭＡ構成、ＳＣ−ＦＤＭＡ構成、および／またはＲＢインターリーブＦＤＭＡ構成の中から選択され得る。
【０１０１】
[0131]いくつかの例では、アップリンクチャネル構成選択器モジュール１２４０は、基地局（たとえば、ｅＮＢ）から受信されたシグナリングに少なくとも部分的に基づいて、アップリンクチャネルの構成を選択し得る。シグナリングは、いくつかの例では、ＲＢ割振りを示し得る。いくつかの例では、シグナリングは、（たとえば、認可無線周波数スペクトル帯域受信機モジュール１２１２を介して）認可無線周波数スペクトル帯域におけるダウンリンクチャネルを介して、または、（たとえば、無認可無線周波数スペクトル帯域受信機モジュール１２１４を介して）無認可無線周波数スペクトル帯域におけるダウンリンクチャネルを介して受信され得る。いくつかの例では、シグナリングは、レイヤ１シグナリング（たとえば、ｅＰＤＣＣＨもしくはＰＤＣＣＨベースシグナリング）、および／またはレイヤ２シグナリング（たとえば、ＭＡＣヘッダベースシグナリング）を含み得る。シグナリングは、いくつかの例では、受信されたシグナリングに少なくとも部分的に基づいて、アップリンクチャネルの構成を動的または半静的に選択するように、方法２０００を実行するＵＥまたは装置に求め得る。
【０１０２】
[0132]他の場合には、アップリンクチャネル構成選択器モジュール１２４０は、基地局への装置１２１５の近接に基づいて、アップリンクチャネルの構成を選択し得る。たとえば、装置１２１５が、たとえば、基地局との通信の信号強度または信号品質によって決定されるように、基地局に比較的より近いとき、ＲＢレベルインターリーブＦＤＭＡ構成またはＯＦＤＭＡ構成が選択され得る。
【０１０３】
[0133]いくつかの例では、そのための構成が選択されるアップリンクチャネルは、ＰＵＳＣＨ、ＰＵＣＣＨ、またはＰＲＡＣＨを含み得る。いくつかの例では、アップリンクチャネルは、ＵＬ−ＭＩＭＯチャネルを含み得る。チャネルがＰＲＡＣＨを含むとき、ＰＲＡＣＨは、１つまたは複数の事前に割り振られたインターレース上で送信され得る。
【０１０４】
[0134]いくつかの例では、波形生成器モジュール１２４５は、選択された構成に基づいて波形を生成するために使用され得る。選択された構成がＯＦＤＭＡ構成であるとき、生成される波形は、ＯＦＤＭＡ波形であり得る。選択された構成がＳＣ−ＦＤＭＡ構成であるとき、生成される波形は、ＳＣ−ＦＤＭＡ波形であり得る。選択された構成がＲＢインターリーブＦＤＭＡ構成であるとき、生成される波形は、ＲＢインターリーブＦＤＭＡ波形であり得る。
【０１０５】
[0135]いくつかの例では、波形通信モジュール１２５０は、アップリンクチャネルを使用して、無認可無線周波数スペクトル帯域における信号において、生成された波形を通信（たとえば、送信）するために使用され得る。信号は、無認可無線周波数スペクトル帯域送信機モジュール１２３４を介して送信され得る。
【０１０６】
[0136]いくつかの例では、ワイヤレス通信管理モジュール１２２０は、それが選択する構成を基地局に通信するために使用され得る。他の場合には、基地局は、（たとえば、無認可無線周波数スペクトル帯域を介して、装置１２１５から受信された波形に基づいて）どの構成を装置１２１５が選択したかをブラインド検出し得る。
【０１０７】
[0137]図１３は、本開示の様々な態様による、（たとえば、無認可無線周波数スペクトル帯域におけるアップリンク通信のためのアップリンクチャネルのＯＦＤＭＡ構成を識別するために）ワイヤレス通信において使用するための装置１３１５のブロック図１３００を示す。いくつかの例では、装置１３１５は、図１、図２Ａ、図２Ｂ、および／もしくは図１８に関して説明されるＵＥ１１５、２１５、および／もしくは１８１５のうちの１つもしくは複数の態様、ならびに／または、図１１、図１２、図１４、図１５、および／もしくは図１６に関して説明される装置１１１５、１２１５、１４１５、１５１５、および／もしくは１６１５のうちの１つもしくは複数の態様の一例であり得る。装置１３１５はプロセッサでもあり得る。装置１３１５は、受信機モジュール１３１０、ワイヤレス通信管理モジュール１３２０、および／または送信機モジュール１３３０を含み得る。これらの構成要素の各々は、互いに通信し得る。
【０１０８】
[0138]装置１３１５の構成要素は、ハードウェアにおいて適用可能な機能の一部または全部を実行するように適応された１つまたは複数のＡＳＩＣを使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１０９】
[0139]いくつかの例では、受信機モジュール１３１０は、第１の無線周波数スペクトル帯域（たとえば、ＬＴＥ／ＬＴＥ−Ａ通信のために使用可能な認可無線周波数スペクトル帯域）、ならびに／または、第２の無線周波数スペクトル帯域（たとえば、Ｗｉ−Ｆｉおよび／もしくはＬＴＥ／ＬＴＥ−Ａ通信のために使用可能な共有無線周波数スペクトル帯域など、無認可無線周波数スペクトル帯域）における、送信を受信するように動作可能な無線周波数（ＲＦ）受信機など、ＲＦ受信機であり得、またはそれを含み得る。ＲＦ受信機は、第１の無線周波数スペクトル帯域および第２の無線周波数スペクトル帯域のための別個の受信機を含み得る。いくつかの場合、別個の受信機は、第１の無線周波数スペクトル帯域を介して通信するための認可無線周波数スペクトル帯域受信機モジュール１３１２、および第２の無線周波数スペクトル帯域を介して通信するための無認可無線周波数スペクトル帯域受信機モジュール１３１４の形態をとり得る。認可無線周波数スペクトル帯域受信機モジュール１３１２および／または無認可無線周波数スペクトル帯域受信機モジュール１３１４を含む、受信機モジュール１３１０は、図１、図２Ａ、および／または図２Ｂに関して説明されたワイヤレス通信システム１００、２００、および／または２５０の１つまたは複数の通信リンクなど、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を受信するために使用され得る。
【０１１０】
[0140]いくつかの例では、送信機モジュール１３３０は、第１の無線周波数スペクトル帯域および／または第２の無線周波数スペクトル帯域において送信するように動作可能なＲＦ送信機など、ＲＦ送信機であり得、またはそれを含み得る。ＲＦ送信機は、第１の無線周波数スペクトル帯域および第２の無線周波数スペクトル帯域のための別個の送信機を含み得る。いくつかの場合、別個の送信機は、第１の無線周波数スペクトル帯域を介して通信するための認可無線周波数スペクトル帯域送信機モジュール１３３２、および第２の無線周波数スペクトル帯域を介して通信するための無認可無線周波数スペクトル帯域送信機モジュール１３３４の形態をとり得る。認可無線周波数スペクトル帯域送信機モジュール１３３２および／または無認可無線周波数スペクトル帯域送信機モジュール１３３４を含む、送信機モジュール１３３０は、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を送信するために使用され得る。
【０１１１】
[0141]いくつかの例では、ワイヤレス通信管理モジュール１３２０は、図１１に関して説明されたワイヤレス通信管理モジュール１１２０の１つまたは複数の態様の一例であり得、アップリンクチャネル構成識別器モジュール１３４０、波形生成器モジュール１３４５、および／または波形通信モジュール１３５０を含み得る。これらの構成要素の各々は、互いに通信し得る。
【０１１２】
[0142]いくつかの例では、アップリンクチャネル構成識別器モジュール１３４０は、無認可無線周波数スペクトル帯域におけるアップリンク通信（たとえば、ＬＴＥ／ＬＴＥ−Ａアップリンク通信）のためのアップリンクチャネルのＯＦＤＭＡ構成を識別するために使用され得る。
【０１１３】
[0143]いくつかの例では、そのための構成が識別されるアップリンクチャネルは、ＰＵＳＣＨ、ＰＵＣＣＨ、またはＰＲＡＣＨを含み得る。いくつかの例では、アップリンクチャネルは、ＵＬ−ＭＩＭＯチャネルを含み得る。チャネルがＰＲＡＣＨを含むとき、ＰＲＡＣＨは、１つまたは複数の事前に割り振られたインターレース上で送信され得る。
【０１１４】
[0144]いくつかの例では、波形生成器モジュール１３４５は、識別されたＯＦＤＭＡ構成に基づいてＯＦＤＭＡ波形を生成するために使用され得る。
【０１１５】
[0145]いくつかの例では、波形通信モジュール１３５０は、アップリンクチャネルを使用して、無認可無線周波数スペクトル帯域における信号において、生成されたＯＦＤＭＡ波形を通信（たとえば、送信）するために使用され得る。信号は、無認可無線周波数スペクトル帯域送信機モジュール１３３４を介して送信され得る。
【０１１６】
[0146]図１４は、本開示の様々な態様による、（たとえば、無認可無線周波数スペクトル帯域におけるアップリンク通信のためのアップリンクチャネルのＯＦＤＭＡ構成を識別するために）ワイヤレス通信において使用するための装置１４１５のブロック図１４００を示す。いくつかの例では、装置１４１５は、図１、図２Ａ、図２Ｂ、および／もしくは図１８に関して説明されるＵＥ１１５、２１５、および／もしくは１８１５のうちの１つもしくは複数の態様、ならびに／または、図１１、図１２、図１３、図１５、および／もしくは図１６に関して説明される装置１１１５、１２１５、１３１５、１５１５、および／もしくは１６１５のうちの１つもしくは複数の態様の一例であり得る。装置１４１５はプロセッサでもあり得る。装置１４１５は、受信機モジュール１４１０、ワイヤレス通信管理モジュール１４２０、および／または送信機モジュール１４３０を含み得る。これらの構成要素の各々は、互いに通信し得る。
【０１１７】
[0147]装置１４１５の構成要素は、ハードウェアにおいて適用可能な機能の一部または全部を実行するように適応された１つまたは複数のＡＳＩＣを使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１１８】
[0148]いくつかの例では、受信機モジュール１４１０は、第１の無線周波数スペクトル帯域（たとえば、ＬＴＥ／ＬＴＥ−Ａ通信のために使用可能な認可無線周波数スペクトル帯域）、ならびに／または、第２の無線周波数スペクトル帯域（たとえば、ＷｉＦｉ（登録商標）および／もしくはＬＴＥ／ＬＴＥ−Ａ通信のために使用可能な共有無線周波数スペクトル帯域など、無認可無線周波数スペクトル帯域）における、送信を受信するように動作可能な無線周波数（ＲＦ）受信機など、ＲＦ受信機であり得、またはそれを含み得る。ＲＦ受信機は、第１の無線周波数スペクトル帯域および第２の無線周波数スペクトル帯域のための別個の受信機を含み得る。いくつかの場合、別個の受信機は、第１の無線周波数スペクトル帯域を介して通信するための認可無線周波数スペクトル帯域受信機モジュール１４１２、および第２の無線周波数スペクトル帯域を介して通信するための無認可無線周波数スペクトル帯域受信機モジュール１４１４の形態をとり得る。認可無線周波数スペクトル帯域受信機モジュール１４１２および／または無認可無線周波数スペクトル帯域受信機モジュール１４１４を含む、受信機モジュール１４１０は、図１、図２Ａ、および／または図２Ｂに関して説明されたワイヤレス通信システム１００、２００、および／または２５０の１つまたは複数の通信リンクなど、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を受信するために使用され得る。
【０１１９】
[0149]いくつかの例では、送信機モジュール１４３０は、第１の無線周波数スペクトル帯域および／または第２の無線周波数スペクトル帯域において送信するように動作可能なＲＦ送信機など、ＲＦ送信機であり得、またはそれを含み得る。ＲＦ送信機は、第１の無線周波数スペクトル帯域および第２の無線周波数スペクトル帯域のための別個の送信機を含み得る。いくつかの場合、別個の送信機は、第１の無線周波数スペクトル帯域を介して通信するための認可無線周波数スペクトル帯域送信機モジュール１４３２、および第２の無線周波数スペクトル帯域を介して通信するための無認可無線周波数スペクトル帯域送信機モジュール１４３４の形態をとり得る。認可無線周波数スペクトル帯域送信機モジュール１４３２および／または無認可無線周波数スペクトル帯域送信機モジュール１４３４を含む、送信機モジュール１４３０は、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を送信するために使用され得る。
【０１２０】
[0150]いくつかの例では、ワイヤレス通信管理モジュール１４２０は、図１１および／または図１３に関して説明されたワイヤレス通信管理モジュール１１２０および／または１３２０の１つまたは複数の態様の一例であり得、アップリンクチャネル構成識別器モジュール１４４０、波形生成器モジュール１４４５、波形通信モジュール１４５０、データチャネルモジュール１４６０、制御チャネルモジュール１４８０、ＳＲＳモジュール１４８５、ＣＳＩ−ＲＳモジュール１４９０、ならびに／または、制御およびデータ多重化モジュール１４９５を含み得る。これらの構成要素の各々は、互いに通信し得る。
【０１２１】
[0151]いくつかの例では、アップリンクチャネル構成識別器モジュール１４４０は、無認可無線周波数スペクトル帯域におけるアップリンク通信（たとえば、ＬＴＥ／ＬＴＥ−Ａアップリンク通信）のためのアップリンクチャネルのＯＦＤＭＡ構成を識別するために使用され得る。
【０１２２】
[0152]いくつかの例では、そのための構成が識別されるアップリンクチャネルは、ＰＵＳＣＨ、ＰＵＣＣＨ、またはＰＲＡＣＨを含み得る。いくつかの例では、アップリンクチャネルは、ＵＬ−ＭＩＭＯチャネルを含み得る。チャネルがＰＲＡＣＨを含むとき、ＰＲＡＣＨは、１つまたは複数の事前に割り振られたインターレース上で送信され得る。
【０１２３】
[0153]いくつかの例では、波形生成器モジュール１４４５は、識別されたＯＦＤＭＡ構成に基づいてＯＦＤＭＡ波形を生成するために使用され得る。
【０１２４】
[0154]いくつかの例では、波形通信モジュール１４５０は、アップリンクチャネルを使用して、無認可無線周波数スペクトル帯域における信号において、生成されたＯＦＤＭＡ波形を通信（たとえば、送信）するために使用され得る。信号は、無認可無線周波数スペクトル帯域送信機モジュール１４３４を介して送信され得る。
【０１２５】
[0155]いくつかの例では、データチャネルモジュール１４６０は、リソース割振りモジュール１４６２と、物理リソースブロック（ＰＲＢ）バンドリングモジュール１４６４と、プリコーダ循環モジュール１４６６と、シンボルマッピングモジュール１４６８と、シンボル電力低減モジュール１４７０と、ＤＭ−ＲＳモジュール１４７２とを含み得る。データチャネルモジュール１４６０は、たとえば、ＰＵＳＣＨの構成、生成、および／または送信を管理するために使用され得る。
【０１２６】
[0156]いくつかの例では、リソース割振りモジュール１４６２は、アップリンクチャネルのためのリソースを割り振るために使用され得る。いくつかの例では、リソースの割振りは、ビットマップに少なくとも部分的に基づき得、たとえば、タイプ０リソースブロックとタイプ１リソースブロックとを含み得る。また、または代替的に、リソースの割振りは、開始リソースブロックと、リソースブロックの数とに少なくとも部分的に基づき得る（たとえば、リソースの割振りは、タイプ２ローカライズまたは変更タイプ２分散リソースブロックとともに、リソース指示値（ＲＩＶ）ベースであり得る）。
【０１２７】
[0157]いくつかの例では、ＰＲＢバンドリングモジュール１４６４は、ＯＦＤＭＡ波形を生成するとき、ＰＲＢバンドリングを適用するために使用され得る。ＰＲＢバンドリングは、グラント固有であり得る（たとえば、ＰＵＳＣＨのための送信におけるすべての物理リソースブロックがバンドルされ得る）。
【０１２８】
[0158]いくつかの例では、プリコーダ循環モジュール１４６６は、ＯＦＤＭＡ波形を生成するとき、プリコーダ循環を適用するために使用され得る。いくつかの例では、プリコーダ循環は、プリコーダのあらかじめ定義されたセットを循環することを含み得る。
【０１２９】
[0159]いくつかの例では、シンボルマッピングモジュール１４６８は、１つまたは複数の変調シンボルをマッピングするために使用され得る。いくつかの例では、シンボルマッピングモジュール１４６８は、１つまたは複数のＯＦＤＭＡシンボル位置に従って、１つまたは複数のリソース要素に変調シンボルをマッピングし得る。同じまたは他の場合には、シンボルマッピングモジュール１４６８は、１つまたは複数の周波数サブキャリアに従って、１つまたは複数のリソース要素に変調シンボルをマッピングし得る。シンボルマッピングモジュール１４６８はまた、または代替的に、タイムスロットと周波数サブキャリアとのインターリーブに従って、１つまたは複数のリソース要素に変調シンボルをマッピングし得る。
【０１３０】
[0160]いくつかの例では、シンボル電力低減モジュール１４７０は、シンボル電力を低減するために使用され得る。たとえば、シンボル電力低減モジュール１４７０は、ＯＦＤＭＡ波形を生成するとき、シンボル電力を示すメトリックを低減するために、シンボル並べ替えまたは位相回転を適用し得る。シンボル電力低減モジュール１４７０はまた、または代替的に、ＯＦＤＭＡ波形に異なるスクランブリングシーケンスを適用し得、無認可無線周波数スペクトル帯域における信号において、生成されたＯＦＤＭＡ波形を通信するときに使用するために、スクランブリングシーケンスのうちの１つを選択し得る。
【０１３１】
[0161]いくつかの例では、ＤＭ−ＲＳモジュール１４７２は、アップリンクチャネル上でＤＭ−ＲＳを送信するために使用され得る。ＤＭ−ＲＳモジュール１４７２は、１つまたは複数のタイムスロットと１つまたは複数の周波数サブキャリアとのセットにおいて、ＤＭ−ＲＳを送信し得る。ＤＭ−ＲＳモジュール１４７２は、生成されたＯＦＤＭＡ波形を通信することとともに、ＤＭ−ＲＳを送信し得る。
【０１３２】
[0162]いくつかの例では、それにおいてＤＭ−ＲＳが送信される、１つまたは複数のタイムスロットと１つまたは複数の周波数サブキャリアとのセットは、（たとえば、図５および図６に関して説明されたように）ダウンリンクチャネル上でＵＥ−ＲＳを受信するために使用される、１つまたは複数のタイムスロットと１つまたは複数の周波数サブキャリアとのセットと同じであり得る。他の場合には、それにおいてＤＭ−ＲＳが送信される、１つまたは複数のタイムスロットと１つまたは複数の周波数サブキャリアとのセットは、（たとえば、図５および図７に関して説明されたように）ダウンリンクチャネル上でＵＥ−ＲＳを受信するために使用される、１つまたは複数のタイムスロットと１つまたは複数の周波数サブキャリアとのセットとは、少なくとも１つの点で異なり得る。ダウンリンクチャネルは、認可無線周波数スペクトル帯域または無認可無線周波数スペクトル帯域におけるダウンリンク通信（たとえば、ＬＴＥ／ＬＴＥ−Ａダウンリンク通信）のために使用されるダウンリンクチャネルであり得る。
【０１３３】
[0163]いくつかの例では、制御チャネルモジュール１４８０は、ＰＵＳＣＨの構成、生成、および／または送信を管理するために使用され得る。いくつかの例では、制御チャネルモジュール１４８０は、たとえば、図８Ａに関して説明されたように、複数のインターリーブリソースブロックにおけるＰＵＣＣＨの重複コピーの送信を管理するために使用され得る。他の場合には、制御チャネルモジュール１４８０は、たとえば、図８Ａに関して説明されたように、符号分割多重化シーケンスまたは他の直交シーケンスに従って、複数のインターリーブリソースブロック内のＰＵＣＣＨの送信を管理するために使用され得る。他の場合には、制御チャネルモジュール１４８０は、たとえば、図８Ｂに関して説明されたように、拡張リソース要素グループの複数のリソース要素内でＰＵＣＣＨを多重化するために使用され得る。
【０１３４】
[0164]いくつかの例では、ＳＲＳモジュール１４８５は、アップリンクチャネル上のＳＲＳの構成、生成、および／または送信を管理するために使用され得る。ＳＲＳは、たとえば、図４に関して説明されたように、サブフレームの最後のＯＦＤＭシンボルとは異なるサブフレームのＯＦＤＭシンボルに配置され得る。他の場合には、ＳＲＳは、サブフレームの最後のＯＦＤＭシンボルに配置され得る。
【０１３５】
[0165]ＳＲＳは、いくつかの例では、ＳＲＳが認可無線周波数スペクトル帯域においてＬＴＥ／ＬＴＥ−Ａアップリンクチャネルのために構成される方法と同様に構成され得る（たとえば、ＳＲＳは、Ｚａｄｏｆｆ−Ｃｈｕ（ＺＣ）シーケンスベースであり得る）。
【０１３６】
[0166]いくつかの例では、ＣＳＩ−ＲＳモジュール１４９０は、アップリンクチャネル上のＣＳＩ−ＲＳの構成、生成、および／または送信を管理するために使用され得る。いくつかの例では、ＣＳＩ−ＲＳは、リソースの割振りとは無関係に、およびすべてのリソースブロック上で送信され得る。いくつかの例では、ＣＳＩ−ＲＳは、リソース割振りに応じて送信され得る。ＣＳＩ−ＲＳは、広帯域であり得、リソースブロックごとにＮトーンを含み得る。ＣＳＩ−ＲＳのために使用されるシンボルは、制御チャネル（たとえば、ＰＵＣＣＨ）または無線リソース制御（ＲＲＣ）シグナリングを通してあらかじめ定義されるか、または定義され得る。ＣＳＩ−ＲＳモジュール１４９０は、装置１４１５と同じアップリンクチャネルのアップリンクサブフレーム上で周波数多重化される他のＵＥまたは装置に対して、ＣＳＩ−ＲＳの送信を調整するために、ＰＵＳＣＨおよびＰＵＣＣＨのために必要とされるレートマッチングを示すために使用され得る。ＣＳＩ−ＲＳモジュール１４９０はまた、アップリンクチャネル上のチャネル状態情報干渉測定値（ＣＳＩ−ＩＭ）の構成、生成、および／または送信を管理するために使用され得る。
【０１３７】
[0167]いくつかの例では、制御およびデータ多重化モジュール１４９５は、アップリンクチャネルが制御チャネル（たとえば、ＰＵＣＣＨ）および／またはデータチャネル（たとえば、ＰＵＳＣＨ）を含むか否かに基づいて、アップリンクチャネルの送信を管理するために使用され得る。たとえば、アップリンクチャネルがＰＵＣＣＨを含むが、ＰＵＳＣＨを含まないとき、制御およびデータ多重化モジュール１４９５は、リソースブロックの第１のセットを使用して、アップリンクチャネルを送信するように、波形通信モジュール１４５０を構成し得る。アップリンクチャネルがＰＵＳＣＨを含むが、ＰＵＣＣＨを含まないとき、制御およびデータ多重化モジュール１４９５は、リソースブロックの第２のセットを使用して、アップリンクチャネルを送信するように、波形通信モジュール１４５０を構成し得、そのリソースブロックの第２のセットは、リソースブロックの第１のセットとは異なる。アップリンクチャネルがＰＵＳＣＨとＰＵＣＣＨの両方を含むとき、制御およびデータ多重化モジュール１４９５は、ＰＵＣＣＨとＰＵＳＣＨとを周波数分割多重化するように、波形通信モジュール１４５０を構成し得る。いくつかの例では、波形通信モジュール１４５０は、たとえば、図１０に関して説明されたように、リソースブロックの第１のセットのすべてよりも少ないもののサブセット上でＰＵＣＣＨを送信することによって、および、リソースブロックの第２のセットのうちの少なくともいくつかにおいてＰＵＳＣＨを送信することによって、ＰＵＣＣＨとＰＵＳＣＨとを周波数分割多重化するように構成され得る。他の場合には、波形通信モジュール１４５０は、ＰＵＳＣＨの少なくとも一部を送信するために、リソースブロックの第１のセットのうちの少なくとも１つのＲＢの少なくとも１つの周波数サブキャリアをパンクチャすることによって、ＰＵＣＣＨとＰＵＳＣＨとを周波数分割多重化するように構成され得る。
【０１３８】
[0168]図１５は、本開示の様々な態様による、（たとえば、無認可無線周波数スペクトル帯域におけるアップリンク通信のためのアップリンクチャネルにおけるＤＭ−ＲＳの送信のための共通リソースブロックのセットを識別するために）ワイヤレス通信において使用するための装置１５１５のブロック図１５００を示す。いくつかの例では、装置１５１５は、図１、図２Ａ、図２Ｂ、および／もしくは図１８に関して説明されるＵＥ１１５、２１５、および／もしくは１８１５のうちの１つもしくは複数の態様、図１、図２Ａ、図２Ｂ、および／もしくは図１７に関して説明される基地局１０５、２０５、および／もしくは１７０５のうちの１つもしくは複数の態様、ならびに／または、図１１、図１２、図１３、図１４、および／もしくは図１６に関して説明される装置１１１５、１２１５、１３１５、１４１５、および／もしくは１６１５のうちの１つもしくは複数の態様の一例であり得る。装置１５１５はプロセッサでもあり得る。装置１５１５は、受信機モジュール１５１０、ワイヤレス通信管理モジュール１５２０、および／または送信機モジュール１５３０を含み得る。これらの構成要素の各々は、互いに通信し得る。
【０１３９】
[0169]装置１５１５の構成要素は、ハードウェアにおいて適用可能な機能の一部または全部を実行するように適応された１つまたは複数のＡＳＩＣを使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１４０】
[0170]いくつかの例では、受信機モジュール１５１０は、第１の無線周波数スペクトル帯域（たとえば、ＬＴＥ／ＬＴＥ−Ａ通信のために使用可能な認可無線周波数スペクトル帯域）、ならびに／または、第２の無線周波数スペクトル帯域（たとえば、Ｗｉ−Ｆｉおよび／もしくはＬＴＥ／ＬＴＥ−Ａ通信のために使用可能な共有無線周波数スペクトル帯域など、無認可無線周波数スペクトル帯域）における、送信を受信するように動作可能な無線周波数（ＲＦ）受信機など、ＲＦ受信機であり得、またはそれを含み得る。ＲＦ受信機は、第１の無線周波数スペクトル帯域および第２の無線周波数スペクトル帯域のための別個の受信機を含み得る。いくつかの場合、別個の受信機は、第１の無線周波数スペクトル帯域を介して通信するための認可無線周波数スペクトル帯域受信機モジュール１５１２、および第２の無線周波数スペクトル帯域を介して通信するための無認可無線周波数スペクトル帯域受信機モジュール１５１４の形態をとり得る。認可無線周波数スペクトル帯域受信機モジュール１５１２および／または無認可無線周波数スペクトル帯域受信機モジュール１５１４を含む、受信機モジュール１５１０は、図１、図２Ａ、および／または図２Ｂに関して説明されたワイヤレス通信システム１００、２００、および／または２５０の１つまたは複数の通信リンクなど、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を受信するために使用され得る。
【０１４１】
[0171]いくつかの例では、送信機モジュール１５３０は、第１の無線周波数スペクトル帯域および／または第２の無線周波数スペクトル帯域において送信するように動作可能なＲＦ送信機など、ＲＦ送信機であり得、またはそれを含み得る。ＲＦ送信機は、第１の無線周波数スペクトル帯域および第２の無線周波数スペクトル帯域のための別個の送信機を含み得る。いくつかの場合、別個の送信機は、第１の無線周波数スペクトル帯域を介して通信するための認可無線周波数スペクトル帯域送信機モジュール１５３２、および第２の無線周波数スペクトル帯域を介して通信するための無認可無線周波数スペクトル帯域送信機モジュール１５３４の形態をとり得る。認可無線周波数スペクトル帯域送信機モジュール１５３２および／または無認可無線周波数スペクトル帯域送信機モジュール１５３４を含む、送信機モジュール１５３０は、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を送信するために使用され得る。
【０１４２】
[0172]いくつかの例では、ワイヤレス通信管理モジュール１５２０は、図１１に関して説明されたワイヤレス通信管理モジュール１１２０の１つまたは複数の態様の一例であり得、仮想セル識別子関連付けモジュール１５４０および／または共通ＲＢ識別器モジュール１５４５を含み得る。これらの構成要素の各々は、互いに通信し得る。
【０１４３】
[0173]いくつかの例では、仮想セル識別子関連付けモジュール１５４０は、第１の基地局の仮想セル識別子を、第１の基地局と装置１５１５との間の送信に関連付けるために使用され得る。仮想セル識別子はまた、第２の基地局と第２の装置との間の送信にも関連付けられ得る。第１の基地局と装置１５１５との間、および第２の基地局と第２の装置との間の送信は、いくつかの例では、無認可無線周波数スペクトル帯域（たとえば、Ｗｉ−Ｆｉおよび／またはＬＴＥ／ＬＴＥ−Ａ通信のために使用可能な共有無線周波数スペクトル帯域）における通信（たとえば、ＬＴＥ／ＬＴＥ−Ａ通信）であり得る。
【０１４４】
[0174]いくつかの例では、共通ＲＢ識別器モジュール１５４５は、第１の基地局と装置１５１５との間のアップリンクチャネルおよびダウンリンクチャネルにおけるＤＭ−ＲＳの送信のための、共通リソースブロックのセットを識別するために使用され得る。共通リソースブロックのセットの識別は、第１の基地局と装置１５１５との間の送信に関連付けられた仮想セル識別子に少なくとも部分的に基づき得る。
【０１４５】
[0175]図１６は、本開示の様々な態様による、（たとえば、無認可無線周波数スペクトル帯域におけるアップリンク通信のためのアップリンクチャネルにおけるＤＭ−ＲＳの送信のための共通リソースブロックのセットを識別するために）ワイヤレス通信において使用するための装置１６１５のブロック図１６００を示す。いくつかの例では、装置１６１５は、図１、図２Ａ、図２Ｂ、および／もしくは図１８に関して説明されるＵＥ１１５、２１５、および／もしくは１８１５のうちの１つもしくは複数の態様、図１、図２Ａ、図２Ｂ、および／もしくは図１７に関して説明される基地局１０５、２０５、および／もしくは１７０５のうちの１つもしくは複数の態様、ならびに／または、図１１、図１２、図１３、図１４、および／もしくは図１５に関して説明される装置１１１５、１２１５、１３１５、１４１５、および／もしくは１５１５のうちの１つもしくは複数の態様の一例であり得る。装置１６１５はプロセッサでもあり得る。装置１６１５は、受信機モジュール１６１０、ワイヤレス通信管理モジュール１６２０、および／または送信機モジュール１６３０を含み得る。これらの構成要素の各々は、互いに通信し得る。
【０１４６】
[0176]装置１６１５の構成要素は、ハードウェアにおいて適用可能な機能の一部または全部を実行するように適応された１つまたは複数のＡＳＩＣを使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１４７】
[0177]いくつかの例では、受信機モジュール１６１０は、第１の無線周波数スペクトル帯域（たとえば、ＬＴＥ／ＬＴＥ−Ａ通信のために使用可能な認可無線周波数スペクトル帯域）、ならびに／または、第２の無線周波数スペクトル帯域（たとえば、Ｗｉ−Ｆｉおよび／もしくはＬＴＥ／ＬＴＥ−Ａ通信のために使用可能な共有無線周波数スペクトル帯域など、無認可無線周波数スペクトル帯域）における、送信を受信するように動作可能な無線周波数（ＲＦ）受信機など、ＲＦ受信機であり得、またはそれを含み得る。ＲＦ受信機は、第１の無線周波数スペクトル帯域および第２の無線周波数スペクトル帯域のための別個の受信機を含み得る。いくつかの場合、別個の受信機は、第１の無線周波数スペクトル帯域を介して通信するための認可無線周波数スペクトル帯域受信機モジュール１６１２、および第２の無線周波数スペクトル帯域を介して通信するための無認可無線周波数スペクトル帯域受信機モジュール１６１４の形態をとり得る。認可無線周波数スペクトル帯域受信機モジュール１６１２および／または無認可無線周波数スペクトル帯域受信機モジュール１６１４を含む、受信機モジュール１６１０は、図１、図２Ａ、および／または図２Ｂに関して説明されたワイヤレス通信システム１００、２００、および／または２５０の１つまたは複数の通信リンクなど、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を受信するために使用され得る。
【０１４８】
[0178]いくつかの例では、送信機モジュール１６３０は、第１の無線周波数スペクトル帯域および／または第２の無線周波数スペクトル帯域において送信するように動作可能なＲＦ送信機など、ＲＦ送信機であり得、またはそれを含み得る。ＲＦ送信機は、第１の無線周波数スペクトル帯域および第２の無線周波数スペクトル帯域のための別個の送信機を含み得る。いくつかの場合、別個の送信機は、第１の無線周波数スペクトル帯域を介して通信するための認可無線周波数スペクトル帯域送信機モジュール１６３２、および第２の無線周波数スペクトル帯域を介して通信するための無認可無線周波数スペクトル帯域送信機モジュール１６３４の形態をとり得る。認可無線周波数スペクトル帯域送信機モジュール１６３２および／または無認可無線周波数スペクトル帯域送信機モジュール１６３４を含む、送信機モジュール１６３０は、第１の無線周波数スペクトル帯域と第２の無線周波数スペクトル帯域とを含むワイヤレス通信システムの１つまたは複数の通信リンクを介して、様々なタイプのデータおよび／または制御信号（すなわち、送信）を送信するために使用され得る。
【０１４９】
[0179]いくつかの例では、ワイヤレス通信管理モジュール１６２０は、図１１に関して説明されたワイヤレス通信管理モジュール１１２０の１つまたは複数の態様の一例であり得、仮想セル識別子関連付けモジュール１６４０、共通ＲＢ識別器モジュール１６４５、リンク識別子関連付けモジュール１６５０、ＤＭ−ＲＳポート識別モジュール１６５５、および／または波形通信モジュール１６６０を含み得る。これらの構成要素の各々は、互いに通信し得る。
【０１５０】
[0180]いくつかの例では、仮想セル識別子関連付けモジュール１６４０は、第１の基地局の仮想セル識別子を、第１の基地局と装置１６１５との間の送信に関連付けるために使用され得る。仮想セル識別子はまた、第２の基地局と第２の装置との間の送信にも関連付けられ得る。第１の基地局と装置１６１５との間、および第２の基地局と第２の装置との間の送信は、いくつかの例では、無認可無線周波数スペクトル帯域（たとえば、Ｗｉ−Ｆｉおよび／またはＬＴＥ／ＬＴＥ−Ａ通信のために使用可能な共有無線周波数スペクトル帯域）における通信（たとえば、ＬＴＥ／ＬＴＥ−Ａ通信）であり得る。
【０１５１】
[0181]いくつかの例では、共通ＲＢ識別器モジュール１６４５は、第１の基地局と装置１６１５との間のアップリンクチャネルおよびダウンリンクチャネルにおけるＤＭ−ＲＳの送信のための、共通リソースブロックのセットを識別するために使用され得る。共通リソースブロックのセットの識別は、第１の基地局と装置１６１５との間の送信に関連付けられた仮想セル識別子に少なくとも部分的に基づき得る。
【０１５２】
[0182]いくつかの例では、リンク識別子関連付けモジュール１６５０は、第１のリンク識別子を、第１の基地局と装置１６１５との間のアップリンクチャネルに関連付けるために、および、第２のリンク識別子を、第１の基地局と装置１６１５との間のダウンリンクチャネルに関連付けるために使用され得、その場合、第１のリンク識別子が第２のリンク識別子とは異なる。
【０１５３】
[0183]いくつかの例では、ＤＭ−ＲＳポート識別モジュール１６５５は、第１の基地局と装置１６１５との間のＤＭ−ＲＳの送信のための第１の空間多重化に関連付けられたポートを識別するために使用され得る。第１の空間多重化は、第２の基地局と第２の装置との間でＤＭ−ＲＳを送信するために使用されるポートに関連付けられた第２の空間多重化とは異なり得る。
【０１５４】
[0184]いくつかの例では、波形通信モジュール１６６０は、アップリンクチャネルにおける送信を用いて第１のリンク識別子を送信するため、または、ダウンリンクチャネルにおける送信を用いて第２のリンク識別子を送信するために使用され得る。これらの送信は、識別されたポートを介して行われ得る。いくつかの例では、アップリンクチャネルにおける送信を用いて第１のリンク識別子を送信することは、第１のリンク識別子に応じてＤＭ−ＲＳを生成することを含み得る。他の場合には、ダウンリンクチャネルにおける送信を用いて第２のリンク識別子を送信することは、第２のリンク識別子に応じてＤＭ−ＲＳを生成することを含み得る。
【０１５５】
[0185]図１７は、本開示の様々な態様による、ワイヤレス通信において使用するための基地局１７０５のブロック図１７００を示す。いくつかの例では、基地局１７０５は、図１、図２Ａ、および／もしくは図２Ｂに関して説明された基地局１０５および／もしくは２０５のうちの１つ、ならびに／または、図１１、図１５、および／もしくは図１６に関して説明された装置１１１５、１５１５、および／もしくは１６１５のうちの１つの、１つまたは複数の態様の一例であり得る。基地局１７０５は、図１、図２Ａ、図２Ｂ、図５、図６、図７、図８Ａ、図８Ｂ、図９、図１０、図１１、図１５、および／または図１６に関して説明された特徴および機能のうちの少なくともいくつかを実装または容易にするように構成され得る。基地局１７０５は、プロセッサモジュール１７１０、メモリモジュール１７２０、（トランシーバモジュール１７５５によって表される）少なくとも１つのトランシーバモジュール、（アンテナ１７６０によって表される）少なくとも１つのアンテナ、および／または基地局ＲＦスペクトル帯域モジュール１７７０を含み得る。基地局１７０５はまた、基地局通信モジュール１７３０、ネットワーク通信モジュール１７４０、およびシステム通信管理モジュール１７５０のうちの１つまたは複数を含み得る。これらの構成要素の各々は、１つまたは複数のバス１７３５を介して直接または間接的に互いに通信し得る。
【０１５６】
[0186]メモリモジュール１７２０は、ＲＡＭおよび／またはＲＯＭを含み得る。メモリモジュール１７２０は、実行されるとき、第１の無線周波数スペクトル帯域（たとえば、ＬＴＥ／ＬＴＥ−Ａ通信のために使用可能な認可無線周波数スペクトル帯域）、および／または第２の無線周波数スペクトル帯域（たとえば、ＬＴＥ／ＬＴＥ−Ａ通信のために使用可能な無認可無線周波数スペクトル帯域）を介して通信する（または、通信を管理する）ための、本明細書で説明される様々な機能をプロセッサモジュール１７１０に実行させるように構成される命令を含んでいる、コンピュータ可読、コンピュータ実行可能ソフトウェア（ＳＷ）コード１７２５を記憶し得る。代替的に、ソフトウェアコード１７２５は、プロセッサモジュール１７１０によって直接実行可能でないことがあるが、（たとえば、コンパイルされ実行されるとき）本明細書で説明される機能のうちのいくつかを基地局１７０５に実行させるように構成され得る。
【０１５７】
[0187]プロセッサモジュール１７１０は、インテリジェントハードウェアデバイス、たとえば、中央処理ユニット（ＣＰＵ）、マイクロコントローラ、ＡＳＩＣなどを含み得る。プロセッサモジュール１７１０は、トランシーバモジュール１７５５、基地局通信モジュール１７３０、および／またはネットワーク通信モジュール１７４０を通して受信された情報を処理し得る。プロセッサモジュール１７１０はまた、アンテナ１７６０を通した送信のためにトランシーバモジュール１７５５へ、１つもしくは複数の他の基地局１７０５−ａおよび１７０５−ｂへの送信のために基地局通信モジュール１７３０へ、ならびに／または、図１に関して説明されたコアネットワーク１３０の態様の一例であり得るコアネットワーク１７４５への送信のためにネットワーク通信モジュール１７４０へ送られるべき情報を処理し得る。プロセッサモジュール１７１０は、単独でまたは基地局ＲＦスペクトル帯域モジュール１７７０とともに、第１の無線周波数スペクトル帯域および／または第２の無線周波数スペクトル帯域を介して通信する（または、それを介した通信を管理する）様々な態様を扱い得る。
【０１５８】
[0188]トランシーバモジュール１７５５は、パケットを変調し、変調されたパケットを送信のためにアンテナ１７６０に与え、アンテナ１７６０から受信されたパケットを復調するように構成されたモデムを含み得る。トランシーバモジュール１７５５は、いくつかの例では、１つまたは複数の送信機モジュールおよび１つまたは複数の別個の受信機モジュールとして実装され得る。トランシーバモジュール１７５５は、第１の無線周波数スペクトル帯域および／または第２の無線周波数スペクトル帯域における通信をサポートし得る。トランシーバモジュール１７５５は、たとえば、図１、図２Ａ、図２Ｂ、図１２Ａ、図１３、および／または図１４に関して説明されたＵＥ１１５、２１５、１２１５、１３１５、および／または１４１５のうちの１つまたは複数と、アンテナ１７６０を介して、双方向に通信するように構成され得る。基地局１７０５は、通常、複数のアンテナ１７６０（たとえば、アンテナアレイ）を含み得る。基地局１７０５は、ネットワーク通信モジュール１７４０を通してコアネットワーク１７４５と通信し得る。基地局１７０５はまた、基地局通信モジュール１７３０を使用して、ｅＮＢ１７０５−ａおよび１７０５−ｂなどの他の基地局またはｅＮＢと通信し得る。
【０１５９】
[0189]図１７のアーキテクチャによれば、システム通信管理モジュール１７５０は、他の基地局および／または装置との通信を管理し得る。いくつかの例では、システム通信管理モジュール１７５０の機能は、トランシーバモジュール１７５５の構成要素として、コンピュータプログラム製品として、および／またはプロセッサモジュール１７１０の１つもしくは複数のコントローラ要素として実装され得る。
【０１６０】
[0190]基地局ＲＦスペクトル帯域モジュール１７７０は、第１の無線周波数スペクトル帯域および／または第２の無線周波数スペクトル帯域におけるワイヤレス通信に関係する、図１、図２Ａ、図２Ｂ、図５、図６、図７、図８Ａ、図８Ｂ、図９、図１０、図１１、図１５、および／または図１６に関して説明された特徴および／または機能の一部または全部を実行し、制御し、および／または容易にするように構成され得る。いくつかの例では、基地局ＲＦスペクトル帯域モジュール１７７０は、第２の無線周波数スペクトル帯域において補助ダウンリンクモード、キャリアアグリゲーションモード、および／またはスタンドアロン動作モードをサポートするように構成され得る。基地局ＲＦスペクトル帯域モジュール１７７０は、認可無線周波数スペクトル帯域においてＬＴＥ／ＬＴＥ−Ａ通信を処理するように構成されたＬＴＥ／ＬＴＥ−Ａモジュール１７７５、無認可無線周波数スペクトル帯域においてＬＴＥ／ＬＴＥ−Ａ通信を処理するように構成されたＬＴＥ／ＬＴＥ−Ａ無認可モジュール１７８０、および／または無認可無線周波数スペクトル帯域においてＬＴＥ／ＬＴＥ−Ａ通信以外の通信を処理するように構成された無認可モジュール１７８５を含み得る。基地局ＲＦスペクトル帯域モジュール１７７０はまた、通信管理モジュール１７９０を含み得る。通信管理モジュール１７９０は、図１、図２Ａ、図２Ｂ、および／もしくは図１８に関して説明されるＵＥ１１５、２１５、および／もしくは１８１５、ならびに／または、図１１、図１２、図１３、図１４、図１５、および／もしくは図１６に関して説明される装置１１１５、１２１５、１３１５、１４１５、１５１５、および／もしくは１６１５など、ＵＥおよび／または装置との通信の一部または全部を管理し得る。いくつかの例では、例として、通信管理モジュール１７９０は、図１１、図１５、および／または図１６に関して説明されたワイヤレス通信管理モジュール１１２０、１５２０、および／または１６２０の１つまたは複数の態様の一例であり得る。基地局ＲＦスペクトル帯域モジュール１７７０もしくはそれの部分は、プロセッサを含み得、ならびに／または、基地局ＲＦスペクトル帯域モジュール１７７０の機能の一部もしくは全部は、プロセッサモジュール１７１０によっておよび／もしくはプロセッサモジュール１７１０とともに実行され得る。
【０１６１】
[0191]図１８は、本開示の様々な態様による、ワイヤレス通信において使用するためのＵＥ１８１５のブロック図１８００を示す。ＵＥ１８１５は様々な構成を有してよく、含まれ得るか、または、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。ＵＥ１８１５は、いくつかの例では、モバイル動作を容易にするために、小型バッテリーなどの内部電源（図示せず）を有し得る。いくつかの例では、ＵＥ１８１５は、図１、図２Ａ、および／もしくは図２Ｂに関して説明されたＵＥ１１５および／もしくは２１５のうちの１つ、ならびに／または、図１１、図１２、図１３、図１４、図１５、および／もしくは図１６に関して説明された装置１１１５、１２１５、１３１５、１４１５、１５１５、および／もしくは１６１５のうちの１つの、１つまたは複数の態様の一例であり得る。ＵＥ１８１５は、図１、図２Ａ、図２Ｂ、図５、図６、図７、図８Ａ、図８Ｂ、図９、図１０、図１１、図１２、図１３、図１４、図１５、および／または図１６に関して説明された特徴および機能のうちの少なくともいくつかを実装するように構成され得る。
【０１６２】
[0192]ＵＥ１８１５は、プロセッサモジュール１８１０、メモリモジュール１８２０、（トランシーバモジュール１８７０によって表される）少なくとも１つのトランシーバモジュール、（アンテナ１８８０によって表される）少なくとも１つのアンテナ、および／またはＵＥ  ＲＦスペクトル帯域モジュール１８４０を含み得る。これらの構成要素の各々は、１つまたは複数のバス１８３５を介して直接または間接的に互いに通信し得る。
【０１６３】
[0193]メモリモジュール１８２０は、ランダムアクセスメモリ（ＲＡＭ）および／または読取り専用メモリ（ＲＯＭ）を含み得る。メモリモジュール１８２０は、実行されるとき、第１の無線周波数スペクトル帯域（たとえば、ＬＴＥ／ＬＴＥ−Ａ通信のために使用可能な認可無線周波数スペクトル帯域）、および／または第２の無線周波数スペクトル帯域（たとえば、ＬＴＥ／ＬＴＥ−Ａ通信のために使用可能な無認可無線周波数スペクトル帯域）を介して通信する（または、それを介した通信を管理する）ための、本明細書で説明される様々な機能をプロセッサモジュール１８１０に実行させるように構成される命令を含んでいる、コンピュータ可読、コンピュータ実行可能ソフトウェア（ＳＷ）コード１８２５を記憶し得る。代替的に、ソフトウェアコード１８２５は、プロセッサモジュール１８１０によって直接実行可能でないことがあるが、（たとえば、コンパイルされ実行されるとき）本明細書で説明される機能のうちのいくつかをＵＥ１８１５に実行させるように構成され得る。
【０１６４】
[0194]プロセッサモジュール１８１０は、インテリジェントハードウェアデバイス、たとえば、ＣＰＵ、マイクロコントローラ、ＡＳＩＣなどを含み得る。プロセッサモジュール１８１０は、トランシーバモジュール１８７０を通して受信された情報、および／またはアンテナ１８８０を通した送信のためにトランシーバモジュール１８７０へ送られるべき情報を処理し得る。プロセッサモジュール１８１０は、単独でまたはＵＥ  ＲＦスペクトル帯域モジュール１８４０とともに、第１の無線周波数スペクトル帯域および／または第２の無線周波数スペクトル帯域を介して通信する（または、それを介した通信を管理する）様々な態様を扱い得る。
【０１６５】
[0195]トランシーバモジュール１８７０は、パケットを変調し、変調されたパケットを送信のためにアンテナ１８８０に与え、アンテナ１８８０から受信されたパケットを復調するように構成されたモデムを含み得る。トランシーバモジュール１８７０は、いくつかの例では、１つまたは複数の送信機モジュールおよび１つまたは複数の別個の受信機モジュールとして実装され得る。トランシーバモジュール１８７０は、第１の無線周波数スペクトル帯域および／または第２の無線周波数スペクトル帯域における通信をサポートし得る。トランシーバモジュール１８７０は、図１、図２Ａ、図２Ｂ、および／もしくは図１７に関して説明された基地局１０５、２０５、および／もしくは１７０５、ならびに／または、図１１、図１５、および／もしくは図１６に関して説明された装置１１１５、１５１５、および／もしくは１６１５のうちの１つまたは複数と、アンテナ１８８０を介して、双方向に通信するように構成され得る。ＵＥ１８１５は単一のアンテナを含み得るが、ＵＥ１８１５が複数のアンテナ１８８０を含み得る例があり得る。
【０１６６】
[0196]ＵＥ  ＲＦスペクトル帯域モジュール１８４０は、第１の無線周波数スペクトル帯域および／または第２の無線周波数スペクトル帯域におけるワイヤレス通信に関係する、図１、図２Ａ、図２Ｂ、図５、図６、図７、図８Ａ、図８Ｂ、図９、図１０、図１１、図１２、図１３、図１４、図１５、および／または図１６に関して説明された特徴および／または機能の一部または全部を実行および／または制御するように構成され得る。たとえば、ＵＥ  ＲＦスペクトル帯域モジュール１８４０は、第２の無線周波数スペクトル帯域において補助ダウンリンクモード、キャリアアグリゲーションモード、および／またはスタンドアロン動作モードをサポートするように構成され得る。ＵＥ  ＲＦスペクトル帯域モジュール１８４０は、認可無線周波数スペクトル帯域においてＬＴＥ／ＬＴＥ−Ａ通信を処理するように構成されたＬＴＥ／ＬＴＥ−Ａモジュール１８４５、無認可無線周波数スペクトル帯域においてＬＴＥ／ＬＴＥ−Ａ通信を処理するように構成されたＬＴＥ／ＬＴＥ−Ａ無認可モジュール１８５０、および／または無認可無線周波数スペクトル帯域においてＬＴＥ／ＬＴＥ−Ａ通信以外の通信を処理するように構成された無認可モジュール１８５５を含み得る。ＵＥ  ＲＦスペクトル帯域モジュール１８４０はまた、通信管理モジュール１８６０を含み得る。いくつかの例では、例として、通信管理モジュール１８６０は、図１１、図１２、図１３、図１４、図１５、および／または図１６に関して説明されたワイヤレス通信管理モジュール１１２０、１２２０、１３２０、１４２０、１５２０、および／または１６２０の１つまたは複数の態様の一例であり得る。ＵＥ  ＲＦスペクトル帯域モジュール１８４０もしくはそれの部分は、プロセッサを含み得、ならびに／または、ＵＥ  ＲＦスペクトル帯域モジュール１８４０の機能の一部もしくは全部は、プロセッサモジュール１８１０によっておよび／もしくはプロセッサモジュール１８１０とともに実行され得る。
【０１６７】
[0197]図１９は、本開示の様々な態様による、ワイヤレス通信の方法１９００の一例を示すフローチャートである。明快のために、方法１９００は、図１、図２Ａ、図２Ｂ、および／もしくは図１８に関して説明されたＵＥ１１５、２１５、および／もしくは１８１５のうちの１つもしくは複数の態様、ならびに／または、図１１および／もしくは図１２に関して説明された装置１１１５および／もしくは１２１５のうちの１つもしくは複数の態様に関して、以下で説明される。いくつかの例では、ＵＥ１１５、２１５、もしくは１８１５のうちの１つなどのＵＥ、または装置１１１５もしくは１２１５のうちの１つなどの装置は、以下で説明される機能を実行するようにＵＥまたは装置の機能要素を制御するために、コードの１つまたは複数のセットを実行し得る。
【０１６８】
[0198]ブロック１９０５で、方法１９００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルの構成を動的に選択することを含み得る。いくつかの例では、アップリンクチャネルの構成は、ＯＦＤＭＡ構成、ＳＣ−ＦＤＭＡ構成、および／またはＲＢインターリーブＦＤＭＡ構成の中から選択され得る。
【０１６９】
[0199]いくつかの例では、アップリンクチャネルの構成は、基地局（たとえば、ｅＮＢ）から受信されたシグナリングに少なくとも部分的に基づいて選択され得る。他の場合には、アップリンクチャネルの構成は、基地局へのその近接に基づいて選択され得る。たとえば、方法１９００を実行するＵＥまたは装置が、たとえば、基地局との通信の信号強度または信号品質によって決定されるように、基地局に比較的より近いとき、リソースブロックレベルインターリーブＦＤＭＡ構成またはＯＦＤＭＡ構成が選択され得る。
【０１７０】
[0200]ブロック１９０５における動作は、図１１、図１２、および／もしくは図１８に関して説明されたワイヤレス通信管理モジュール１１２０、１２２０、および／もしくは通信管理モジュール１８６０、ならびに／または図１２に関して説明されたアップリンクチャネル構成選択器モジュール１２４０を使用して実行され得る。
【０１７１】
[0201]ブロック１９１０で、方法１９００は、選択された構成に基づいて、波形を生成することを含み得る。選択された構成がＯＦＤＭＡ構成であるとき、生成される波形は、ＯＦＤＭＡ波形であり得る。選択された構成がＳＣ−ＦＤＭＡ構成であるとき、生成される波形は、ＳＣ−ＦＤＭＡ波形であり得る。選択された構成がリソースブロックインターリーブＦＤＭＡ構成であるとき、生成される波形は、リソースブロックインターリーブＦＤＭＡ波形であり得る。ブロック１９１０における動作は、図１１、図１２、および／もしくは図１８に関して説明されたワイヤレス通信管理モジュール１１２０、１２２０、および／もしくは通信管理モジュール１８６０、ならびに／または図１２に関して説明された波形生成器モジュール１２４５を使用して実行され得る。
【０１７２】
[0202]ブロック１９１５で、方法１９００は、アップリンクチャネルを使用して、無認可無線周波数スペクトル帯域における信号において、生成された波形を通信（たとえば、送信）することを含み得る。ブロック１９１５における動作は、図１１、図１２、および／もしくは図１８に関して説明されたワイヤレス通信管理モジュール１１２０、１２２０、および／もしくは通信管理モジュール１８６０、図１２に関して説明された波形通信モジュール１２５０、図１１および／もしくは図１２に関して説明された送信機モジュール１１３０および／もしくは１２３０、図１２に関して説明された無認可無線周波数スペクトル帯域送信機モジュール１２３４、ならびに／または図１８に関して説明されたトランシーバモジュール１８７０を使用して実行され得る。
【０１７３】
[0203]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０１７４】
[0204]図２０は、本開示の様々な態様による、ワイヤレス通信の方法２０００の一例を示すフローチャートである。明快のために、方法２０００は、図１、図２Ａ、図２Ｂ、および／もしくは図１８に関して説明されたＵＥ１１５、２１５、および／もしくは１８１５のうちの１つもしくは複数の態様、ならびに／または、図１１および／もしくは図１２に関して説明された装置１１１５および／もしくは１２１５のうちの１つもしくは複数の態様に関して、以下で説明される。いくつかの例では、ＵＥ１１５、２１５、もしくは１８１５のうちの１つなどのＵＥ、または装置１１１５もしくは１２１５のうちの１つなどの装置は、以下で説明される機能を実行するようにＵＥまたは装置の機能要素を制御するために、コードの１つまたは複数のセットを実行し得る。
【０１７５】
[0205]ブロック２００５で、方法２０００は、基地局（たとえば、ｅＮＢ）からシグナリングを受信することを含み得る。シグナリングは、いくつかの例では、リソースブロック割振りを示し得る。いくつかの例では、シグナリングは、認可無線周波数スペクトル帯域（たとえば、ＬＴＥ／ＬＴＥ−Ａ通信のために使用可能なＬＴＥ／ＬＴＥ−Ａ無線周波数スペクトル帯域）におけるダウンリンクチャネルを介して、または、無認可無線周波数スペクトル帯域（たとえば、Ｗｉ−Ｆｉおよび／もしくはＬＴＥ／ＬＴＥ−Ａ通信のために使用可能な共有無線周波数スペクトル帯域）におけるダウンリンクチャネルを介して受信され得る。いくつかの例では、シグナリングは、レイヤ１シグナリング（たとえば、ｅＰＤＣＣＨもしくはＰＤＣＣＨベースシグナリング）、および／またはレイヤ２シグナリング（たとえば、ＭＡＣヘッダベースシグナリング）を含み得る。シグナリングは、いくつかの例では、受信されたシグナリングに少なくとも部分的に基づいて、アップリンクチャネルの構成を動的または半静的に選択するように、方法２０００を実行するＵＥまたは装置に求め得る。
【０１７６】
[0206]ブロック２００５における動作は、図１１および／もしくは図１２に関して説明された受信機モジュール１１１０および／もしくは１２１０、図１８に関して説明されたトランシーバモジュール１８７０、ならびに／または、図１１、図１２、および／もしくは図１８に関して説明されたワイヤレス通信管理モジュール１１２０、１２２０、および／もしくは通信管理モジュール１８６０を使用して実行され得る。
【０１７７】
[0207]ブロック２０１０で、方法２０００は、無認可無線周波数スペクトル帯域におけるアップリンク通信（たとえば、ＬＴＥ／ＬＴＥ−Ａアップリンク通信）のためのアップリンクチャネルの構成を動的に選択することを含み得る。選択は、ブロック２００５で受信されたシグナリングに少なくとも部分的に基づき得る。いくつかの例では、アップリンクチャネルの構成は、ＯＦＤＭＡ構成、ＳＣ−ＦＤＭＡ構成、および／またはリソースブロックインターリーブＦＤＭＡ構成の中から選択され得る。受信されたシグナリングがリソースブロック割振りを示すとき、アップリンクチャネルの構成は、いくつかの例では、リソースブロック割振りに基づいて選択され得る。
【０１７８】
[0208]いくつかの例では、そのための構成が選択されるアップリンクチャネルは、ＰＵＳＣＨ、ＰＵＣＣＨ、またはＰＲＡＣＨを含み得る。いくつかの例では、アップリンクチャネルは、ＵＬ−ＭＩＭＯチャネルを含み得る。チャネルがＰＲＡＣＨを含むとき、ＰＲＡＣＨは、１つまたは複数の事前に割り振られたインターレース上で送信され得、その場合、インターレースが複数の不連続リソースブロックとして定義される。不連続リソースブロックは、リソースブロックが無認可無線周波数スペクトルの利用可能な帯域幅の少なくとも８０％に及ぶように、選択され得る。
【０１７９】
[0209]ブロック２０１５で、方法２０００のフローは、選択された構成に基づいて変更され得る。たとえば、選択された構成がＯＦＤＭＡ構成であるとき、方法２０００のフローはブロック２０２０に向けられ得る。選択された構成がＳＣ−ＦＤＭＡ構成であるとき、方法２０００のフローはブロック２０２５に向けられ得る。選択された構成がリソースブロックインターリーブＦＤＭＡ構成であるとき、方法２０００のフローはブロック２０３０に向けられ得る。
【０１８０】
[0210]ブロック２０１０および／またはブロック２０１５における動作は、図１１、図１２、および／もしくは図１８に関して説明されたワイヤレス通信管理モジュール１１２０、１２２０、および／もしくは通信管理モジュール１８６０、ならびに／または図１２に関して説明されたアップリンクチャネル構成選択器モジュール１２４０を使用して実行され得る。
【０１８１】
[0211]ブロック２０２０、２０２５、および／または２０３０で、方法２０００は、選択された構成に基づいて、波形を生成することを含み得る。選択された構成がＯＦＤＭＡ構成であるとき、ブロック２０２０で生成される波形は、ＯＦＤＭＡ波形であり得る。選択された構成がＳＣ−ＦＤＭＡ構成であるとき、ブロック２０２５で生成される波形は、ＳＣ−ＦＤＭＡ波形であり得る。選択された構成がリソースブロックインターリーブＦＤＭＡ構成であるとき、ブロック２０３０で生成される波形は、リソースブロックインターリーブＦＤＭＡ波形であり得る。ブロック２０２０、２０２５、および／または２０３０における動作は、図１１、図１２、および／もしくは図１８に関して説明されたワイヤレス通信管理モジュール１１２０、１２２０、および／もしくは通信管理モジュール１８６０、ならびに／または図１２に関して説明された波形生成器モジュール１２４５を使用して実行され得る。
【０１８２】
[0212]ブロック２０３５で、方法２０００は、アップリンクチャネルを使用して、無認可無線周波数スペクトル帯域における信号において、生成された波形を通信（たとえば、送信）することを含み得る。ブロック２０３５における動作は、図１１、図１２、および／もしくは図１８に関して説明されたワイヤレス通信管理モジュール１１２０、１２２０、および／もしくは通信管理モジュール１８６０、図１２に関して説明された波形通信モジュール１２５０、図１１および／もしくは図１２に関して説明された送信機モジュール１１３０および／もしくは１２３０、図１２に関して説明された無認可無線周波数スペクトル帯域送信機モジュール１２３４、ならびに／または図１８に関して説明されたトランシーバモジュール１８７０を使用して実行され得る。
【０１８３】
[0213]いくつかの例では、方法２０００を実行するＵＥまたは装置は、それが選択する構成を基地局へ通信し得る。他の場合には、基地局は、（たとえば、無認可無線周波数スペクトル帯域を介して、ＵＥまたは装置から受信された波形に基づいて）どの構成をＵＥまたは装置が選択したかをブラインド検出し得る。
【０１８４】
[0214]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。方法２０００の代替において、ＵＥは、基地局からのシグナリングを受信してもしなくてもよく、アップリンクチャネルの構成を自律的に選択し得る。
【０１８５】
[0215]図２１は、本開示の様々な態様による、ワイヤレス通信の方法２１００の一例を示すフローチャートである。明快のために、方法２１００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０１８６】
[0216]ブロック２１０５で、方法２１００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。ブロック２１０５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０１８７】
[0217]いくつかの例では、そのための構成が識別されるアップリンクチャネルは、ＰＵＳＣＨ、ＰＵＣＣＨ、またはＰＲＡＣＨを含み得る。いくつかの例では、アップリンクチャネルは、ＵＬ−ＭＩＭＯチャネルを含み得る。チャネルがＰＲＡＣＨを含むとき、ＰＲＡＣＨは、１つまたは複数の事前に割り振られたインターレース上で送信され得る。
【０１８８】
[0218]ブロック２１１０で、方法２１００は、識別されたＯＦＤＭＡ構成に基づいて、ＯＦＤＭＡ波形を生成することを含み得る。ブロック２１１０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１２、図１３、および／もしくは図１４に関して説明された波形生成器モジュール１２４５、１３４５、および／もしくは１４４５を使用して実行され得る。
【０１８９】
[0219]ブロック２１１５で、方法２１００は、アップリンクチャネルを使用して、無認可無線周波数スペクトル帯域における信号において、生成されたＯＦＤＭＡ波形を通信（たとえば、送信）することを含み得る。ブロック２１１５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０１９０】
[0220]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０１９１】
[0221]図２２は、本開示の様々な態様による、ワイヤレス通信の方法２２００の一例を示すフローチャートである。明快のために、方法２２００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０１９２】
[0222]ブロック２２０５で、方法２２００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。アップリンクチャネルは、ＰＵＳＣＨを含み得る。いくつかの例では、アップリンクチャネルは、ＵＬ−ＭＩＭＯチャネルを含み得る。ブロック２２０５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０１９３】
[0223]ブロック２２１０で、方法２２００は、アップリンクチャネルのためのリソースを割り振ることを含み得る。いくつかの例では、リソースの割振りは、ビットマップに少なくとも部分的に基づき得、たとえば、タイプ０リソースブロックとタイプ１リソースブロックとを含み得る。また、または代替的に、リソースの割振りは、開始リソースブロックと、リソースブロックの数とに少なくとも部分的に基づき得る（たとえば、リソースの割振りは、タイプ２ローカライズまたは変更タイプ２分散リソースブロックとともに、リソース指示値（ＲＩＶ）ベースであり得る）。ブロック２２１０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または図１４に関して説明されたデータチャネルモジュール１４６０および／もしくはリソース割振りモジュール１４６２を使用して実行され得る。
【０１９４】
[0224]ブロック２２１５で、方法２２００は、識別された構成に基づいて、ＯＦＤＭＡ波形を生成することを含み得る。ブロック２２１５における動作は、図１１、図１２、図１３、図１４、および／もしくは図１８に関して説明されたワイヤレス通信管理モジュール１１２０、１２２０、１３２０、１４２０、および／もしくは１８６０、ならびに／または、図１２、図１３、および／もしくは図１４に関して説明された波形生成器モジュール１２４５、１３４５、および／もしくは１４４５を使用して実行され得る。
【０１９５】
[0225]いくつかの例では、方法２２００は、ＯＦＤＭＡ波形を生成するとき、ＰＲＢバンドリングおよび／またはプリコーダ循環を使用することを含み得る。ＰＲＢバンドリングは、グラント固有であり得る（たとえば、ＰＵＳＣＨのための送信におけるすべての物理リソースブロックがバンドルされ得る）。プリコーダ循環は、プリコーダのあらかじめ定義されたセットを循環することを含み得る。プリコーダ循環のために使用されるプリコーダは、アップリンクグラントの一部として、基地局によって示され得る。ブロック２２２０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１４に関して説明されたデータチャネルモジュール１４６０、ＰＲＢバンドリングモジュール１４６４、および／もしくはプリコーダ循環モジュール１４６６を使用して実行され得る。
【０１９６】
[0226]ブロック２２２０で、方法２２００は、１つまたは複数の変調シンボルをマッピングすることを含み得る。いくつかの例では、変調シンボルは、１つまたは複数のＯＦＤＭシンボル位置に従って、１つまたは複数のリソース要素にマッピングされ得る。同じまたは他の場合には、変調シンボルは、１つまたは複数の周波数サブキャリアに従って、１つまたは複数のリソース要素にマッピングされ得る。変調シンボルはまた、または代替的に、タイムスロットと周波数サブキャリアとのインターリーブに従って、１つまたは複数のリソース要素にマッピングされ得る。ブロック２２２０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１４に関して説明されたデータチャネルモジュール１４６０および／もしくはシンボルマッピングモジュール１４６８を使用して実行され得る。
【０１９７】
[0227]ブロック２２２５で、方法２２００は、アップリンクチャネルを使用して、無認可無線周波数スペクトル帯域における信号において、生成されたＯＦＤＭＡ波形を通信（たとえば、送信）することを含み得る。ブロック２２２５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１１、図１２、図１３、および／もしくは図１４に関して説明された送信機モジュール１１３０、１２３０、１３３０、および／もしくは１４３０、図１２に関して説明された波形通信モジュール１２５０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０１９８】
[0228]いくつかの例では、方法２２００は、シンボル電力を低減するために１つまたは複数の技法を使用することを含み得る。たとえば、方法２２００は、ＯＦＤＭＡ波形を生成するとき、シンボル電力を示すメトリックを低減するために、シンボル並べ替えまたは位相回転を適用することを含み得る。方法２２００はまた、または代替的に、ＯＦＤＭＡ波形に異なるスクランブリングシーケンスを適用することと、無認可無線周波数スペクトル帯域における信号において、生成されたＯＦＤＭＡ波形を通信するときに使用するために、スクランブリングシーケンスのうちの１つを選択することとを含み得る。
【０１９９】
[0229]シンボル電力を低減するための技法は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１４に関して説明されたデータチャネルモジュール１４６０および／もしくはシンボル電力低減モジュール１４７０を使用して実行され得る。
【０２００】
[0230]したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０２０１】
[0231]図２３は、本開示の様々な態様による、ワイヤレス通信の方法２３００の一例を示すフローチャートである。明快のために、方法２３００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０２０２】
[0232]ブロック２３０５で、方法２３００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。いくつかの例では、そのための構成が識別されるアップリンクチャネルは、ＰＵＳＣＨを含み得る。いくつかの例では、アップリンクチャネルは、ＵＬ−ＭＩＭＯチャネルを含み得る。ブロック２３０５における動作は、図１１、図１２、図１３、図１４、および／もしくは図１８に関して説明されたワイヤレス通信管理モジュール１１２０、１２２０、１３２０、１４２０、および／もしくは１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０２０３】
[0233]ブロック２３１０で、方法２３００は、識別された構成に基づいて、ＯＦＤＭＡ波形を生成することを含み得る。ブロック２３１０における動作は、図１１、図１２、図１３、図１４、および／もしくは図１８に関して説明されたワイヤレス通信管理モジュール１１２０、１２２０、１３２０、１４２０、および／もしくは１８６０、ならびに／または、図１２、図１３、および／もしくは図１４に関して説明された波形生成器モジュール１２４５、１３４５、および／もしくは１４４５を使用して実行され得る。
【０２０４】
[0234]ブロック２３１５で、方法２３００は、アップリンクチャネルを使用して、無認可無線周波数スペクトル帯域における信号において、生成されたＯＦＤＭＡ波形を通信（たとえば、送信）することを含み得る。ブロック２３１５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０２０５】
[0235]方法２３００はまた、１つまたは複数のタイムスロットと１つまたは複数の周波数サブキャリアとのセットにおいて、アップリンクチャネル上でＤＭ−ＲＳを送信することを含み得る。ＤＭ−ＲＳは、ブロック２３１５で、生成されたＯＦＤＭＡ波形を通信することとともに送信され得る。
【０２０６】
[0236]いくつかの例では、それにおいてＤＭ−ＲＳが送信される、１つまたは複数のタイムスロットと１つまたは複数の周波数サブキャリアとのセットは、（たとえば、図５および図６に関して説明されたように）ダウンリンクチャネル上でＵＥ−ＲＳを受信するために使用される、１つまたは複数のタイムスロットと１つまたは複数の周波数サブキャリアとのセットと同じであり得る。他の場合には、それにおいてＤＭ−ＲＳが送信される、１つまたは複数のタイムスロットと１つまたは複数の周波数サブキャリアとのセットは、（たとえば、図５および図７に関して説明されたように）ダウンリンクチャネル上でＵＥ−ＲＳを受信するために使用される、１つまたは複数のタイムスロットと１つまたは複数の周波数サブキャリアとのセットとは、少なくとも１つの点で異なり得る。ダウンリンクチャネルは、認可無線周波数スペクトル帯域（たとえば、ＬＴＥ／ＬＴＥ−Ａ通信のために使用可能なＬＴＥ／ＬＴＥ−Ａ無線周波数スペクトル帯域）または無認可無線周波数スペクトル帯域におけるダウンリンク通信（たとえば、ＬＴＥ／ＬＴＥ−Ａダウンリンク通信）のために使用されるダウンリンクチャネルであり得る。
【０２０７】
[0237]ＤＭ−ＲＳ送信は、図１１、図１２、図１３、図１４、および／もしくは図１８に関して説明されたワイヤレス通信管理モジュール１１２０、１２２０、１３２０、１４２０、および／もしくは通信管理モジュール１８６０、図１１、図１２、図１３、および／もしくは図１４に関して説明された送信機モジュール１１３０、１２３０、１３３０、および／もしくは１４３０、図１４に関して説明されたデータチャネルモジュール１４６０および／もしくはＤＭ−ＲＳモジュール１４７２、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０２０８】
[0238]したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０２０９】
[0239]図２４は、本開示の様々な態様による、ワイヤレス通信の方法２４００の一例を示すフローチャートである。明快のために、方法２４００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０２１０】
[0240]ブロック２４０５で、方法２４００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。いくつかの例では、そのための構成が識別されるアップリンクチャネルは、ＰＵＣＣＨを含み得る。いくつかの例では、アップリンクチャネルは、ＵＬ−ＭＩＭＯチャネルを含み得る。ブロック２４０５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０２１１】
[0241]ブロック２４１０で、方法２４００は、識別された構成に基づいて、ＯＦＤＭＡ波形を生成することを含み得る。ブロック２４１０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１２、図１３、および／もしくは図１４に関して説明された波形生成器モジュール１２４５、１３４５、および／もしくは１４４５を使用して実行され得る。
【０２１２】
[0242]ブロック２４１０における動作に続いて、方法２４００は、ブロック２４１５、２４２０、および／または２４２５のうちの１つまたは複数に含まれる動作を実行し得る。ブロック２４１５、２４２０、および２４２５の各々で、方法２４００は、アップリンクチャネルを使用して、無認可無線周波数スペクトル帯域における信号において、生成されたＯＦＤＭＡ波形を通信（たとえば、送信）することを含み得る。
【０２１３】
[0243]ブロック２４１５で、方法２４００は、たとえば、図８Ａに関して説明されたように、複数のインターリーブリソースブロックにおいてＰＵＣＣＨの重複コピーを送信することを含み得る。ブロック２４２０で、方法２４００は、たとえば、同じく図８Ａに関して説明されたように、符号分割多重化シーケンスまたは他の直交シーケンスに従って、複数のインターリーブリソースブロック内でＰＵＣＣＨを送信することを含み得る。ブロック２４２５で、方法２４００は、たとえば、図８Ｂに関して説明されたように、拡張リソース要素グループの複数のリソース要素内でＰＵＣＣＨを多重化することを含み得る。
【０２１４】
[0244]ブロック２４１５、２４２０、および／または２４２５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１４に関して説明された制御チャネルモジュール１４８０、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０２１５】
[0245]したがって、方法２４００はワイヤレス通信を提供し得る。方法２４００は一実装形態にすぎないこと、および方法２４００の動作は、他の実装形態が可能であるように、並べ替えられるかまたは場合によっては変更され得ることに留意されたい。
【０２１６】
[0246]図２５は、本開示の様々な態様による、ワイヤレス通信の方法２５００の一例を示すフローチャートである。明快のために、方法２５００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０２１７】
[0247]ブロック２５０５で、方法２５００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。いくつかの例では、そのための構成が識別されるアップリンクチャネルは、ＰＵＣＣＨを含み得る。いくつかの例では、アップリンクチャネルは、ＵＬ−ＭＩＭＯチャネルを含み得る。ブロック２５０５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０２１８】
[0248]ブロック２５１０で、方法２５００は、識別された構成に基づいて、ＯＦＤＭＡ波形を生成することを含み得る。ブロック２５１０における動作は、図１１、図１２、図１３、図１４、および／もしくは図１８に関して説明されたワイヤレス通信管理モジュール１１２０、１２２０、１３２０、１４２０、および／もしくは１８６０、ならびに／または、図１２、図１３、および／もしくは図１４に関して説明された波形生成器モジュール１２４５、１３４５、および／もしくは１４４５を使用して実行され得る。
【０２１９】
[0249]ブロック２５１５で、方法２５００は、アップリンクチャネルを使用して、無認可無線周波数スペクトル帯域における信号において、生成されたＯＦＤＭＡ波形を通信（たとえば、送信）することを含み得る。ブロック２５１５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０２２０】
[0250]ブロック２５１５で、生成されたＯＦＤＭＡ波形を通信することとともに、方法２５００は、ブロック２５２０、２５２５、および／または２５３０のうちの１つまたは複数に含まれる動作を実行し得る。
【０２２１】
[0251]ブロック２５２０で、方法２５００は、アップリンクチャネル上でＳＲＳを送信することを含み得る。ＳＲＳは、たとえば、図４に関して説明されたように、サブフレームの最後のＯＦＤＭシンボルとは異なるサブフレームのＯＦＤＭシンボルに配置され得る。他の場合には、ＳＲＳは、サブフレームの最後のＯＦＤＭシンボルに配置され得る。ＳＲＳは、いくつかの例では、ＳＲＳが認可無線周波数スペクトル帯域においてＬＴＥ／ＬＴＥ−Ａアップリンクチャネルのために構成される方法と同様に構成され得る（たとえば、ＳＲＳは、Ｚａｄｏｆｆ−Ｃｈｕ（ＺＣ）シーケンスベースであり得る）。
【０２２２】
[0252]ブロック２５２５で、方法２５００は、アップリンクチャネル上でＣＳＩ−ＲＳを送信することを含み得る。ＣＳＩ−ＲＳは、いくつかの例では、リソースの割振りとは無関係に、およびすべてのリソースブロック上で送信され得る。いくつかの例では、ＣＳＩ−ＲＳは、リソース割振りに応じて送信され得る。ＣＳＩ−ＲＳは、広帯域であり得、リソースブロックごとにＮトーンを含み得る。ＣＳＩ−ＲＳのために使用されるシンボルは、制御チャネル（たとえば、ＰＵＣＣＨ）または無線リソース制御（ＲＲＣ）シグナリングを通してあらかじめ定義されるか、または定義され得る。ＣＳＩ−ＲＳの送信を調整するために、ＰＵＳＣＨおよびＰＵＣＣＨのために必要とされるレートマッチングが、アップリンクチャネルの同じアップリンクサブフレーム上で周波数多重化される他のＵＥまたは装置に対して示され得る。方法２５００はまた、アップリンクチャネル上でチャネル状態情報干渉測定値（ＣＳＩ−ＩＭ）を送信することを含み得る。
【０２２３】
[0253]ブロック２５３０で、アップリンクチャネルを使用して、無認可無線周波数スペクトル帯域における信号において、ＳＲＳなしに、生成されたＯＦＤＭＡ波形が通信され得る。
【０２２４】
[0254]ブロック２５２０、２５２５、および／または２５３０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。ブロック２５２０における動作はまた、図１４に関して説明されたＳＲＳモジュール１４８５を使用して実行され得る。ブロック２５２５における動作はまた、図１４に関して説明されたＣＳＩ−ＲＳモジュール１４９０を使用して実行され得る。
【０２２５】
[0255]したがって、方法２５００はワイヤレス通信を提供し得る。方法２５００は一実装形態にすぎないこと、および方法２５００の動作は、他の実装形態が可能であるように、並べ替えられるかまたは場合によっては変更され得ることに留意されたい。
【０２２６】
[0256]図２６は、本開示の様々な態様による、ワイヤレス通信の方法２６００の一例を示すフローチャートである。明快のために、方法２６００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０２２７】
[0257]ブロック２６０５で、方法２６００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。ブロック２６０５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０２２８】
[0258]いくつかの例では、そのための構成が識別されるアップリンクチャネルは、ＰＵＳＣＨおよび／またはＰＵＣＣＨを含み得る。いくつかの例では、アップリンクチャネルは、ＵＬ−ＭＩＭＯチャネルを含み得る。
【０２２９】
[0259]ブロック２６１０で、方法２６００は、識別された構成に基づいて、ＯＦＤＭＡ波形を生成することを含み得る。ブロック２６１０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１２、図１３、および／もしくは図１４に関して説明された波形生成器モジュール１２４５、１３４５、および／もしくは１４４５を使用して実行され得る。
【０２３０】
[0260]ブロック２６１５、２６２０、２６２５、２６３０、２６３５、２６４０、および／または２６４５で、方法２６００は、アップリンクチャネルを使用して、無認可無線周波数スペクトル帯域における信号において、生成されたＯＦＤＭＡ波形を通信（たとえば、送信）することを含み得る。
【０２３１】
[0261]ブロック２６１５で、方法２６００は、アップリンクチャネルがＰＵＣＣＨを含むがＰＵＳＣＨを含まないか否かを決定することを含み得る。そうである場合、方法２６００は、ブロック２６２０で、アップリンクチャネルを送信するために、リソースブロックの第１のセットを使用することを含み得る。他の場合、方法２６００はブロック２６２５に進み得る。
【０２３２】
[0262]ブロック２６２５で、方法２６００は、アップリンクチャネルがＰＵＳＣＨを含むがＰＵＣＣＨを含まないか否かを決定することを含み得る。そうである場合、方法２６００は、ブロック２６３０で、アップリンクチャネルを送信するために、リソースブロックの第２のセットを使用することを含み得る。他の場合、方法２６００はブロック２６３５に進み得る。
【０２３３】
[0263]ブロック２６３５で、方法２６００は、アップリンクチャネルがＰＵＣＣＨとＰＵＳＣＨとを含むか否かを決定することを含み得る。そうである場合、方法２６００は、ブロック２６４０で、アップリンクチャネル上でＰＵＣＣＨとＰＵＳＣＨとを周波数分割多重化することを含み得る。たとえば、図１０に関して説明されたように、アップリンクチャネル上でＰＵＣＣＨとＰＵＳＣＨとを周波数分割多重化するとき、リソースブロックの第１のセットのすべてよりも少ないもののサブセットが、ＰＵＣＣＨを送信するために使用され得、リソースブロックの第２のセットのうちの少なくともいくつかが、ＰＵＳＣＨを送信するために使用され得る。
【０２３４】
[0264]ブロック２６３５で、アップリンクチャネルがＰＵＣＣＨまたはＰＵＳＣＨを含まないと決定されるとき、方法２６００は、ブロック２６４５で、ＰＵＣＣＨまたはＰＵＳＣＨを含まないアップリンクチャネルを送信することを含み得る。
【０２３５】
[0265]ブロック２６１５、２６２０、２６２５、２６３０、２６３５、２６４０、および／または２６４５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１４に関して説明されたデータチャネルモジュール１４６０、制御チャネルモジュール１４８０、および／もしくは、制御およびデータ多重化モジュール１４９５、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０２３６】
[0266]したがって、方法２６００はワイヤレス通信を提供し得る。方法２６００は一実装形態にすぎないこと、および方法２６００の動作は、他の実装形態が可能であるように、並べ替えられるかまたは場合によっては変更され得ることに留意されたい。
【０２３７】
[0267]図２７は、本開示の様々な態様による、ワイヤレス通信の方法２７００の一例を示すフローチャートである。明快のために、方法２７００は、図１、図２Ａ、図２Ｂ、および／もしくは図１８に関して説明されたＵＥ１１５、２１５、および／もしくは１８１５のうちの１つもしくは複数の態様、ならびに／または、図１１、図１２、図１３、および／もしくは図１４に関して説明された装置１１１５、１２１５、１３１５、および／もしくは１４１５のうちの１つもしくは複数の態様に関して、以下で説明される。いくつかの例では、ＵＥ１１５、２１５、もしくは１８１５のうちの１つなどのＵＥ、または装置１１１５、１２１５、１３１５、もしくは１４１５のうちの１つなどの装置は、以下で説明される機能を実行するようにＵＥまたは装置の機能要素を制御するために、コードの１つまたは複数のセットを実行し得る。
【０２３８】
[0268]ブロック２７０５で、方法２７００は、無認可無線周波数スペクトル帯域（たとえば、Ｗｉ−Ｆｉおよび／またはＬＴＥ／ＬＴＥ−Ａ通信のために使用可能な共有無線周波数スペクトル帯域）におけるアップリンク通信（たとえば、ＬＴＥ／ＬＴＥ−Ａアップリンク通信）のためのアップリンクチャネルのＯＦＤＭＡ構成を識別することを含み得る。ブロック２７０５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２に関して説明されたアップリンクチャネル構成選択器モジュール１２４０、ならびに／または、図１３および／もしくは図１４に関して説明されたアップリンクチャネル構成識別器モジュール１３４０および／もしくは１４４０を使用して実行され得る。
【０２３９】
[0269]いくつかの例では、そのための構成が識別されるアップリンクチャネルは、ＰＵＳＣＨおよび／またはＰＵＣＣＨを含み得る。いくつかの例では、アップリンクチャネルは、ＵＬ−ＭＩＭＯチャネルを含み得る。
【０２４０】
[0270]ブロック２７１０で、方法２７００は、識別された構成に基づいて、ＯＦＤＭＡ波形を生成することを含み得る。ブロック２７１０における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、ならびに／または、図１２、図１３、および／もしくは図１４に関して説明された波形生成器モジュール１２４５、１３４５、および／もしくは１４４５を使用して実行され得る。
【０２４１】
[0271]ブロック２７１５、２７２０、２７２５、２７３０、２７３５、２７４０、および／または２７４５で、方法２７００は、アップリンクチャネルを使用して、無認可無線周波数スペクトル帯域における信号において、生成されたＯＦＤＭＡ波形を通信（たとえば、送信）することを含み得る。
【０２４２】
[0272]ブロック２７１５で、方法２７００は、アップリンクチャネルがＰＵＣＣＨを含むがＰＵＳＣＨを含まないか否かを決定することを含み得る。そうである場合、方法２７００は、ブロック２７２０で、アップリンクチャネルを送信するために、リソースブロックの第１のセットを使用することを含み得る。他の場合、方法２７００はブロック２７２５に進み得る。
【０２４３】
[0273]ブロック２７２５で、方法２７００は、アップリンクチャネルがＰＵＳＣＨを含むがＰＵＣＣＨを含まないか否かを決定することを含み得る。そうである場合、方法２７００は、ブロック２７３０で、アップリンクチャネルを送信するために、リソースブロックの第２のセットを使用することを含み得る。他の場合、方法２７００はブロック２７３５に進み得る。
【０２４４】
[0274]ブロック２７３５で、方法２７００は、アップリンクチャネルがＰＵＣＣＨとＰＵＳＣＨとを含むか否かを決定することを含み得る。そうである場合、方法２７００は、ＰＵＳＣＨの少なくとも一部を送信するために、ブロック２７４０で、リソースブロックの第１のセットのうちの少なくとも１つのリソースブロックの少なくとも１つの周波数サブキャリアをパンクチャすることによって、ＰＵＣＣＨとＰＵＳＣＨとを周波数分割多重化することを含み得る。
【０２４５】
[0275]ブロック２７３５で、アップリンクチャネルがＰＵＣＣＨまたはＰＵＳＣＨを含まないと決定されるとき、方法２７００は、ＰＵＣＣＨまたはＰＵＳＣＨを含まないアップリンクチャネルを送信することを含み得る。
【０２４６】
[0276]ブロック２７１５、２７２０、２７２５、２７３０、２７３５、２７４０、および／または２７４５における動作は、図１１、図１２、図１３、図１４、および／もしくは図１８に関して説明されたワイヤレス通信管理モジュール１１２０、１２２０、１３２０、１４２０、および／もしくは通信管理モジュール１８６０、図１２、図１３、および／もしくは図１４に関して説明された波形通信モジュール１２５０、１３５０、および／もしくは１４５０、図１４に関して説明されたデータチャネルモジュール１４６０、制御チャネルモジュール１４８０、および／もしくは、制御およびデータ多重化モジュール１４９５、図１１、図１２、図１３、および／もしくは図１４に関して説明された送信機モジュール１１３０、１２３０、１３３０、および／もしくは１４３０、図１２および／もしくは図１４に関して説明された無認可無線周波数スペクトル帯域送信機モジュール１２３４および／もしくは１４３４、ならびに／または図１８に関して説明されたトランシーバモジュール１８７０を使用して実行され得る。
【０２４７】
[0277]したがって、方法２７００はワイヤレス通信を提供し得る。方法２７００は一実装形態にすぎないこと、および方法２７００の動作は、他の実装形態が可能であるように、並べ替えられるかまたは場合によっては変更され得ることに留意されたい。
【０２４８】
[0278]たとえば、図２４、図２６、および／または図２７に関して説明されたように、無認可無線周波数スペクトル帯域におけるアップリンク通信のためのアップリンクチャネル上でＰＵＣＣＨを送信するとき、ＰＤＳＣＨに関係する肯定応答が、ＰＵＣＣＨの一部として送信され得る。たとえば、図２２、図２３、図２６、および／または図２７に関して説明されたように、無認可無線周波数スペクトル帯域におけるアップリンク通信のためのアップリンクチャネル上でＰＵＳＣＨを送信するとき、ＰＤＳＣＨに関係するＣＱＩが、ＰＵＳＣＨの一部として送信され得る。ＰＵＣＣＨおよびＰＵＳＣＨがアップリンクチャネル上で周波数分割多重化される場合には、ＰＤＳＣＨに関係する肯定応答が、ＰＵＣＣＨの一部として送信され得、ＰＤＳＣＨについてのＣＱＩが、ＰＵＳＣＨの一部として送信され得る。
【０２４９】
[0279]図２８は、本開示の様々な態様による、ワイヤレス通信の方法２８００の一例を示すフローチャートである。明快のために、方法２８００は、図１、図２Ａ、図２Ｂ、および／もしくは図１８に関して説明されたＵＥ１１５、２１５、および／もしくは１８１５のうちの１つもしくは複数の態様、図１、図２Ａ、図２Ｂ、および／もしくは図１７に関して説明された基地局１０５、２０５、および／もしくは１７０５のうちの１つもしくは複数の態様、ならびに／または、図１１、図１５、および／もしくは図１６に関して説明された装置１１１５、１５１５、および／もしくは１６１５のうちの１つもしくは複数の態様に関して、以下で説明される。いくつかの例では、ＵＥ１１５、２１５、もしくは１８１５のうちの１つなどのＵＥ、または基地局１０５、２０５、もしくは１７０５のうちの１つなどの基地局、または装置１１１５、１５１５、もしくは１６１５のうちの１つなどの装置は、以下で説明される機能を実行するように、ＵＥ、基地局、または装置の機能要素を制御するために、コードの１つまたは複数のセットを実行し得る。
【０２５０】
[0280]ブロック２８０５で、方法２８００は、第１の基地局の仮想セル識別子を、第１の基地局と第１のＵＥとの間の送信に関連付けることを含み得る。仮想セル識別子はまた、第２の基地局と第２のＵＥとの間の送信にも関連付けられ得る。第１の基地局と第１のＵＥとの間、および第２の基地局と第２のＵＥとの間の送信は、いくつかの例では、無認可無線周波数スペクトル帯域（たとえば、Ｗｉ−Ｆｉおよび／またはＬＴＥ／ＬＴＥ−Ａ通信のために使用可能な共有無線周波数スペクトル帯域）における通信（たとえば、ＬＴＥ／ＬＴＥ−Ａ通信）であり得る。ブロック２８０５における動作は、図１１、図１５、図１６、および／もしくは図１８に関して説明されたワイヤレス通信管理モジュール１１２０、１５２０、１６２０、および／もしくは通信管理モジュール１８６０、ならびに／または、図１５および／もしくは図１６に関して説明された仮想セル識別子関連付けモジュール１５４０および／もしくは１６４０を使用して実行され得る。
【０２５１】
[0281]ブロック２８１０で、方法２８００は、第１の基地局と第１のＵＥとの間のアップリンクチャネルおよびダウンリンクチャネルにおけるＤＭ−ＲＳの送信のための、共通リソースブロックのセットを識別することを含み得る。共通リソースブロックのセットの識別は、ブロック２８０５で第１の基地局と第１のＵＥとの間の送信に関連付けられた仮想セル識別子に少なくとも部分的に基づき得る。ブロック２８１０における動作は、図１１、図１５、図１６、および／もしくは図１８に関して説明されたワイヤレス通信管理モジュール１１２０、１５２０、１６２０、および／もしくは通信管理モジュール１８６０、ならびに／または、図１５および／もしくは図１６に関して説明された共通リソースブロック識別器モジュール１５４５および／もしくは１６４５を使用して実行され得る。
【０２５２】
[0282]ブロック２８０５および２８１０における動作は、ＵＥによって、基地局によって、または別の装置によって実行され得る。
【０２５３】
[0283]したがって、方法２８００はワイヤレス通信を提供し得る。方法２８００は一実装形態にすぎないこと、および方法２８００の動作は、他の実装形態が可能であるように、並べ替えられるかまたは場合によっては変更され得ることに留意されたい。
【０２５４】
[0284]図２９は、本開示の様々な態様による、ワイヤレス通信の方法２９００の一例を示すフローチャートである。明快のために、方法２９００は、図１、図２Ａ、図２Ｂ、および／もしくは図１８に関して説明されたＵＥ１１５、２１５、および／もしくは１８１５のうちの１つもしくは複数の態様、図１、図２Ａ、図２Ｂ、および／もしくは図１７に関して説明された基地局１０５、２０５、および／もしくは１７０５のうちの１つもしくは複数の態様、ならびに／または、図１１、図１５、および／もしくは図１６に関して説明された装置１１１５、１５１５、および／もしくは１６１５のうちの１つもしくは複数の態様に関して、以下で説明される。いくつかの例では、ＵＥ１１５、２１５、もしくは１８１５のうちの１つなどのＵＥ、または基地局１０５、２０５、もしくは１７０５のうちの１つなどの基地局、または装置１１１５、１５１５、もしくは１６１５のうちの１つなどの装置は、以下で説明される機能を実行するように、ＵＥ、基地局、または装置の機能要素を制御するために、コードの１つまたは複数のセットを実行し得る。
【０２５５】
[0285]ブロック２９０５で、方法２９００は、第１の基地局の仮想セル識別子を、第１の基地局と第１のＵＥとの間の送信に関連付けることを含み得る。仮想セル識別子はまた、第２の基地局と第２のＵＥとの間の送信にも関連付けられ得る。第１の基地局と第１との間、および第２の基地局と第２のＵＥとの間の送信は、いくつかの例では、無認可無線周波数スペクトル帯域（たとえば、Ｗｉ−Ｆｉおよび／またはＬＴＥ／ＬＴＥ−Ａ通信のために使用可能な共有無線周波数スペクトル帯域）における通信（たとえば、ＬＴＥ／ＬＴＥ−Ａ通信）であり得る。ブロック２９０５における動作は、図１１、図１５、図１６、および／もしくは図１８に関して説明されたワイヤレス通信管理モジュール１１２０、１５２０、１６２０、および／もしくは通信管理モジュール１８６０、ならびに／または、図１５および／もしくは図１６に関して説明された仮想セル識別子関連付けモジュール１５４０および／もしくは１６４０を使用して実行され得る。
【０２５６】
[0286]ブロック２９１０で、方法２９００は、第１の基地局と第１のＵＥとの間のアップリンクチャネルおよびダウンリンクチャネルにおけるＤＭ−ＲＳの送信のための、共通リソースブロックのセットを識別することを含み得る。共通リソースブロックのセットの識別は、ブロック２９０５で第１の基地局と第１のＵＥとの間の送信に関連付けられた仮想セル識別子に少なくとも部分的に基づき得る。ブロック２９１０における動作は、図１１、図１５、図１６、および／もしくは図１８に関して説明されたワイヤレス通信管理モジュール１１２０、１５２０、１６２０、および／もしくは通信管理モジュール１８６０、ならびに／または、図１５および／もしくは図１６に関して説明された共通リソースブロック識別器モジュール１５４５および／もしくは１６４５を使用して実行され得る。
【０２５７】
[0287]ブロック２９１５で、方法２９００は、第１のリンク識別子を、第１の基地局と第１のＵＥとの間のアップリンクチャネルに関連付け、第２のリンク識別子を、第１の基地局と第１のＵＥとの間のダウンリンクチャネルに関連付けること、その場合、第１のリンク識別子が第２のリンク識別子とは異なる、を含み得る。ブロック２９１５における動作は、図１１、図１５、図１６、および／もしくは図１８に関して説明されたワイヤレス通信管理モジュール１１２０、１５２０、１６２０、および／もしくは通信管理モジュール１８６０、ならびに／または図１６に関して説明されたリンク識別子関連付けモジュール１６５０を使用して実行され得る。
【０２５８】
[0288]ブロック２９２０で、方法２９００は、第１の基地局と第１のＵＥとの間のＤＭ−ＲＳの送信のための第１の空間多重化に関連付けられたポートを識別することを含み得る。第１の空間多重化は、第２の基地局と第２のＵＥとの間でＤＭ−ＲＳを送信するために使用されるポートに関連付けられた第２の空間多重化とは異なり得る。ブロック２９２０における動作は、図１１、図１５、図１６、および／もしくは図１８に関して説明されたワイヤレス通信管理モジュール１１２０、１５２０、１６２０、および／もしくは通信管理モジュール１８６０、ならびに／または図１６に関して説明されたＤＭ−ＲＳポート識別モジュール１６５５を使用して実行され得る。
【０２５９】
[0289]ブロック２９２５で、方法２９００は、アップリンクチャネルにおける送信を用いて第１のリンク識別子を送信すること、または、ダウンリンクチャネルにおける送信を用いて第２のリンク識別子を送信することを含み得る。これらの送信は、識別されたポートを介して行われ得る。いくつかの例では、アップリンクチャネルにおける送信を用いて第１のリンク識別子を送信することは、第１のリンク識別子に応じてＤＭ−ＲＳを生成することを含み得る。他の場合には、ダウンリンクチャネルにおける送信を用いて第２のリンク識別子を送信することは、第２のリンク識別子に応じてＤＭ−ＲＳを生成することを含み得る。
【０２６０】
[0290]ブロック２９２５における動作は、図１１、図１５、図１６、および／もしくは図１８に関して説明されたワイヤレス通信管理モジュール１１２０、１５２０、１６２０、および／もしくは通信管理モジュール１８６０、図１６に関して説明された波形通信モジュール１６６０、図１１、図１５、および／もしくは図１６に関して説明された送信機モジュール１１３０、１５３０、および／もしくは１６３０、図１５および／もしくは図１６に関して説明された無認可無線周波数スペクトル帯域送信機モジュール１５３４および／もしくは１６３４、ならびに／または図１８に関して説明されたトランシーバモジュール１８７０を使用して実行され得る。
【０２６１】
[0291]ブロック２９０５、２９１０、２９１５、２９２０、および２９２５における動作は、ＵＥによって、基地局によって、または別の装置によって実行され得る。
【０２６２】
[0292]したがって、方法２９００はワイヤレス通信を提供し得る。方法２９００は一実装形態にすぎないこと、および方法２９００の動作は、他の実装形態が可能であるように、並べ替えられるかまたは場合によっては変更され得ることに留意されたい。
【０２６３】
[0293]いくつかの例では、方法１９００、２０００、２１００、２２００、２３００、２４００、２５００、２６００、２７００、２８００、および／または２９００の１つまたは複数の態様は、組み合わされ得る。
【０２６４】
[0294]添付の図面に関して上記に記載された発明を実施するための形態は、例について説明しており、実装され得るまたは特許請求の範囲内に入る例のみを表すものではない。「例」および「例示的」という語は、この説明において使用されるとき、「例、事例、または例示として働く」ことを意味し、「好ましい」または「他の例よりも有利である」ことを意味するものではない。発明を実施するための形態は、説明された技法の理解をもたらすための具体的な詳細を含む。しかしながら、これらの技法は、これらの特定の詳細を伴わずに実践され得る。いくつかの事例では、説明された例の概念を不明瞭にすることを避けるために、よく知られている構造および装置がブロック図の形態で示されている。
【０２６５】
[0295]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２６６】
[0296]本明細書の開示に関連して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２６７】
[0297]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され得、またはコンピュータ可読媒体を介して送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的場所において実装されるように分散されることを含めて、様々な位置に物理的に配置され得る。また、特許請求の範囲を含む、本明細書において使用されるとき、「のうちの少なくとも１つ」で終わる項目の列挙中に使用されるような「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０２６８】
[0298]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読記憶媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る任意の他の媒体を備え得る。また、任意の接続がコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０２６９】
[0299]本開示の前述の説明は、当業者が本開示を作製または使用することができるように与えられる。本開示の様々な変更が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書で説明される例および設計に限定されるべきでなく、本明細書で開示される原理および新規の特徴に一致する最も広い範囲を与えられるべきである。
以下に本願の出願当初の特許請求の範囲に記載された発明を付記する。
［Ｃ１］
ワイヤレス通信のための方法であって、
無認可無線周波数スペクトル帯域におけるアップリンク通信のためのアップリンクチャネルの直交周波数分割多元接続（ＯＦＤＭＡ）構成を識別することと、
前記識別されたＯＦＤＭＡ構成に基づいて、ＯＦＤＭＡ波形を生成することと、
前記アップリンクチャネルを使用して、前記無認可無線周波数スペクトル帯域における信号において、前記生成されたＯＦＤＭＡ波形を通信することと
を備える方法。
［Ｃ２］
前記アップリンクチャネルが物理アップリンク共有チャネル（ＰＵＳＣＨ）を備える、Ｃ１に記載の方法。
［Ｃ３］
インターレースまたはリソースブロックのビットマップに少なくとも部分的に基づいて、前記ＰＵＳＣＨのためのリソースを割り振ること
をさらに備える、Ｃ２に記載の方法。
［Ｃ４］
開始リソースブロックおよびリソースブロックの数、または、開始インターレースおよびインターレースの数に少なくとも部分的に基づいて、前記ＰＵＳＣＨのためのリソースを割り振ること、ここにおいて、インターレースが、帯域幅全体に及ぶように選択されたリソースブロックのあらかじめ定義されたセットである
をさらに備える、Ｃ２に記載の方法。
［Ｃ５］
前記ＰＵＳＣＨのための前記リソースを割り振ることが、マルチクラスタ送信のためであり、ここにおいて、前記ＰＵＳＣＨのための前記リソースを割り振ることが、ユーザ機器に割り当てられた前記リソースブロックのうちの２つ以上に部分的に基づく、Ｃ４に記載の方法。
［Ｃ６］
１つまたは複数のＯＦＤＭシンボル位置に従って、１つまたは複数のリソース要素に、１つまたは複数の変調シンボルをマッピングすること
をさらに備える、Ｃ２に記載の方法。
［Ｃ７］
１つまたは複数の周波数サブキャリアに従って、１つまたは複数のリソース要素に、１つまたは複数の変調シンボルをマッピングすること
をさらに備える、Ｃ２に記載の方法。
［Ｃ８］
タイムスロットと周波数サブキャリアとのインターリーブに従って、１つまたは複数のリソース要素に、１つまたは複数の変調シンボルをマッピングすること
をさらに備える、Ｃ２に記載の方法。
［Ｃ９］
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるをさらに備える、Ｃ２に記載の方法。
［Ｃ１０］
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットとは、少なくとも１つの点で異なる
をさらに備える、Ｃ２に記載の方法。
［Ｃ１１］
前記識別されたＯＦＤＭＡ構成に基づいて、前記ＯＦＤＭＡ波形を生成するとき、物理リソースブロック（ＰＲＢ）バンドリングを使用すること
をさらに備える、Ｃ１に記載の方法。
［Ｃ１２］
前記識別されたＯＦＤＭＡ構成に基づいて、前記ＯＦＤＭＡ波形を生成するとき、プリコーダ循環を使用すること、ここにおいて、プリコーダが、プリコーダのあらかじめ定義されたセットを循環させられ、ここにおいて、前記プリコーダが、アップリンクグラントの一部として基地局によって示される
をさらに備える、Ｃ１に記載の方法。
［Ｃ１３］
前記プリコーダが、ダウンリンクチャネル状態情報基準信号（ＣＳＩ−ＲＳ）送信に少なくとも部分的に基づいて、ＵＥによって導出される、Ｃ１２に記載の方法。
［Ｃ１４］
前記アップリンクチャネルが、アップリンク多入力多出力（ＵＬ−ＭＩＭＯ）チャネルまたはマルチユーザＭＩＭＯ（ＭＵ−ＭＩＭＯ）チャネルを備える、Ｃ１に記載の方法。［Ｃ１５］
前記識別されたＯＦＤＭＡ構成に基づいて、前記ＯＦＤＭＡ波形を生成するとき、シンボル電力を示すメトリックを低減するために、シンボル並べ替えまたは位相回転を適用すること
をさらに備える、Ｃ１に記載の方法。
［Ｃ１６］
前記ＯＦＤＭＡ波形に異なるスクランブリングシーケンスを適用することと、
前記無認可無線周波数スペクトル帯域における前記信号において、前記生成されたＯＦＤＭＡ波形を通信するときに使用するために、前記スクランブリングシーケンスのうちの１つを選択することと
をさらに備える、Ｃ１に記載の方法。
［Ｃ１７］
前記アップリンクチャネルが物理アップリンク制御チャネル（ＰＵＣＣＨ）を備える、Ｃ１に記載の方法。
［Ｃ１８］
前記アップリンクチャネルを使用して、前記無認可無線周波数スペクトル帯域における信号において、前記生成されたＯＦＤＭＡ波形を通信することが、
複数のインターリーブリソースブロックにおいて前記ＰＵＣＣＨの重複コピーを送信すること
を備える、Ｃ１７に記載の方法。
［Ｃ１９］
前記アップリンクチャネルを使用して、前記無認可無線周波数スペクトル帯域における信号において、前記生成されたＯＦＤＭＡ波形を通信することが、
符号分割多重化シーケンスまたは他の直交シーケンスに従って、複数のインターリーブリソースブロック内で前記ＰＵＣＣＨを多重化すること
を備える、Ｃ１７に記載の方法。
［Ｃ２０］
前記アップリンクチャネルを使用して、前記無認可無線周波数スペクトル帯域における信号において、前記生成されたＯＦＤＭＡ波形を通信することが、
拡張リソース要素グループの複数のリソース要素内で前記ＰＵＣＣＨを多重化することを備える、Ｃ１７に記載の方法。
［Ｃ２１］
前記アップリンクチャネルが、１つまたは複数の事前に割り振られたインターレース上で送信される物理ランダムアクセスチャネル（ＰＲＡＣＨ）を備える、Ｃ１に記載の方法。
［Ｃ２２］
前記アップリンクチャネル上でサウンディング基準信号（ＳＲＳ）を送信すること、前記ＳＲＳが、サブフレームの最後のＯＦＤＭシンボル位置とは異なる前記サブフレームのＯＦＤＭシンボル位置に配置される
をさらに備える、Ｃ１に記載の方法。
［Ｃ２３］
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
をさらに備える、Ｃ１に記載の方法。
［Ｃ２４］
基地局によって、前記アップリンクＣＳＩ−ＲＳ送信に少なくとも部分的に基づいて、ダウンリンクチャネルにおいて使用されるべきプリコーダを生成すること
をさらに備える、Ｃ２３に記載の方法。
［Ｃ２５］
前記ＣＳＩ−ＲＳの送信を調整するために、物理アップリンク共有チャネル（ＰＵＳＣＨ）および物理アップリンク制御チャネル（ＰＵＣＣＨ）のためのレートマッチングを示すこと
をさらに備える、Ｃ２３に記載の方法。
［Ｃ２６］
前記アップリンクチャネルにおいてチャネル状態情報干渉測定値（ＣＳＩ−ＩＭ）を送信すること
をさらに備える、Ｃ２３に記載の方法。
［Ｃ２７］
前記アップリンクチャネルを使用して、前記無認可無線周波数スペクトル帯域における前記信号において、サウンディング基準信号（ＳＲＳ）なしに、前記生成されたＯＦＤＭＡ波形を通信すること
をさらに備える、Ｃ１に記載の方法。
［Ｃ２８］
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
をさらに備える、Ｃ１に記載の方法。
［Ｃ２９］
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
をさらに備える、Ｃ２８に記載の方法。
［Ｃ３０］
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用すること
をさらに備える、Ｃ２９に記載の方法。
［Ｃ３１］
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することをさらに備える、Ｃ２８に記載の方法。
［Ｃ３２］
前記アップリンクチャネル上で、物理アップリンク制御チャネル（ＰＵＣＣＨ）と物理アップリンク共有チャネル（ＰＵＳＣＨ）とを周波数分割多重化することと、
前記ＰＵＣＣＨの一部として、物理ダウンリンク共有チャネル（ＰＤＳＣＨ）に関係する肯定応答を送信することと、
前記ＰＵＳＣＨの一部として、同時に複数のダウンリンクキャリアのチャネル品質情報（ＣＱＩ）を送信することと
をさらに備える、Ｃ１に記載の方法。
［Ｃ３３］
基地局からシグナリングを受信することと、
前記受信されたシグナリングに少なくとも部分的に基づいて、前記アップリンクチャネルの前記ＯＦＤＭＡ構成を選択することと
をさらに備える、Ｃ１に記載の方法。
［Ｃ３４］
前記基地局からの前記シグナリングが、リソースブロック割振りを示し、前記アップリンクチャネルの前記ＯＦＤＭＡ構成が、前記リソースブロック割振りに少なくとも部分的に基づいて選択される、Ｃ３３に記載の方法。
［Ｃ３５］
前記アップリンクチャネルの前記ＯＦＤＭＡ構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、Ｃ３３に記載の方法。
［Ｃ３６］
ワイヤレス通信のための装置であって、
無認可無線周波数スペクトル帯域におけるアップリンク通信のためのアップリンクチャネルの直交周波数分割多元接続（ＯＦＤＭＡ）構成を識別するための手段と、
前記識別されたＯＦＤＭＡ構成に基づいて、ＯＦＤＭＡ波形を生成するための手段と、
前記アップリンクチャネルを使用して、前記無認可無線周波数スペクトル帯域における信号において、前記生成されたＯＦＤＭＡ波形を通信するための手段と
を備える装置。
［Ｃ３７］
前記アップリンクチャネルが物理アップリンク共有チャネル（ＰＵＳＣＨ）を備える、Ｃ３６に記載の装置。
［Ｃ３８］
インターレースまたはリソースブロックのビットマップに少なくとも部分的に基づいて、前記ＰＵＳＣＨのためのリソースを割り振るための手段
をさらに備える、Ｃ３７に記載の装置。
［Ｃ３９］
開始リソースブロックおよびリソースブロックの数、または、開始インターレースおよびインターレースの数に少なくとも部分的に基づいて、前記ＰＵＳＣＨのためのリソースを割り振るための手段、ここにおいて、インターレースが、帯域幅全体に及ぶように選択されたリソースブロックのあらかじめ定義されたセットである
をさらに備える、Ｃ３７に記載の装置。
［Ｃ４０］
前記ＰＵＳＣＨのための前記リソースを割り振ることが、マルチクラスタ送信のためであり、ここにおいて、前記ＰＵＳＣＨのための前記リソースを割り振ることが、ユーザ機器に割り当てられた前記リソースブロックのうちの２つ以上に部分的に基づく、Ｃ３９に記載の装置。
［Ｃ４１］
１つまたは複数のＯＦＤＭシンボル位置に従って、１つまたは複数のリソース要素に、１つまたは複数の変調シンボルをマッピングするための手段
をさらに備える、Ｃ３７に記載の装置。
［Ｃ４２］
１つまたは複数の周波数サブキャリアに従って、１つまたは複数のリソース要素に、１つまたは複数の変調シンボルをマッピングするための手段
をさらに備える、Ｃ３７に記載の装置。
［Ｃ４３］
タイムスロットと周波数サブキャリアとのインターリーブに従って、１つまたは複数のリソース要素に、１つまたは複数の変調シンボルをマッピングするための手段をさらに備える、Ｃ３７に記載の装置。
［Ｃ４４］
１つまたは複数のタイムスロットと１つまたは複数の第１の周波数サブキャリアとの第１のセットにおいて、前記アップリンクチャネル上で復調基準信号（ＤＭ−ＲＳ）を送信するための手段、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるをさらに備える、Ｃ３７に記載の装置。
［Ｃ４５］
１つまたは複数のタイムスロットと１つまたは複数の第１の周波数サブキャリアとの第１のセットにおいて、前記アップリンクチャネル上で復調基準信号（ＤＭ−ＲＳ）を送信するための手段、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットとは、少なくとも１つの点で異なる
をさらに備える、Ｃ３７に記載の装置。
［Ｃ４６］
前記識別されたＯＦＤＭＡ構成に基づいて、前記ＯＦＤＭＡ波形を生成するとき、物理リソースブロック（ＰＲＢ）バンドリングを使用するための手段
をさらに備える、Ｃ３６に記載の装置。
［Ｃ４７］
前記識別されたＯＦＤＭＡ構成に基づいて、前記ＯＦＤＭＡ波形を生成するとき、プリコーダ循環を使用するための手段、ここにおいて、プリコーダが、プリコーダのあらかじめ定義されたセットを循環させられ、ここにおいて、前記プリコーダが、アップリンクグラントの一部として基地局によって示される
をさらに備える、Ｃ３６に記載の装置。
［Ｃ４８］
前記プリコーダが、ダウンリンクチャネル状態情報基準信号（ＣＳＩ−ＲＳ）送信に少なくとも部分的に基づいて、ＵＥによって導出される、Ｃ４７に記載の装置。
［Ｃ４９］
前記アップリンクチャネルが、アップリンク多入力多出力（ＵＬ−ＭＩＭＯ）チャネルまたはマルチユーザＭＩＭＯ（ＭＵ−ＭＩＭＯ）チャネルを備える、Ｃ３６に記載の装置。
［Ｃ５０］
前記識別されたＯＦＤＭＡ構成に基づいて、前記ＯＦＤＭＡ波形を生成するとき、シンボル電力を示すメトリックを低減するために、シンボル並べ替えまたは位相回転を適用するための手段
をさらに備える、Ｃ３６に記載の装置。
［Ｃ５１］
前記ＯＦＤＭＡ波形に異なるスクランブリングシーケンスを適用するための手段と、
前記無認可無線周波数スペクトル帯域における前記信号において、前記生成されたＯＦＤＭＡ波形を通信するときに使用するために、前記スクランブリングシーケンスのうちの１つを選択するための手段と
をさらに備える、Ｃ３６に記載の装置。
［Ｃ５２］
前記アップリンクチャネルが物理アップリンク制御チャネル（ＰＵＣＣＨ）を備える、Ｃ３６に記載の装置。
［Ｃ５３］
前記アップリンクチャネルを使用して、前記無認可無線周波数スペクトル帯域における信号において、前記生成されたＯＦＤＭＡ波形を通信するための前記手段が、
複数のインターリーブリソースブロックにおいて前記ＰＵＣＣＨの重複コピーを送信すること
を備える、Ｃ５２に記載の装置。
［Ｃ５４］
前記アップリンクチャネルを使用して、前記無認可無線周波数スペクトル帯域における信号において、前記生成されたＯＦＤＭＡ波形を通信することが、
符号分割多重化シーケンスまたは他の直交シーケンスに従って、複数のインターリーブリソースブロック内で前記ＰＵＣＣＨを多重化すること
を備える、Ｃ５２に記載の装置。
［Ｃ５５］
前記アップリンクチャネルを使用して、前記無認可無線周波数スペクトル帯域における信号において、前記生成されたＯＦＤＭＡ波形を通信することが、
拡張リソース要素グループの複数のリソース要素内で前記ＰＵＣＣＨを多重化するための手段
を備える、Ｃ５２に記載の装置。
［Ｃ５６］
前記アップリンクチャネルが、１つまたは複数の事前に割り振られたインターレース上で送信される物理ランダムアクセスチャネル（ＰＲＡＣＨ）を備える、Ｃ３６に記載の装置。
［Ｃ５７］
前記アップリンクチャネル上でサウンディング基準信号（ＳＲＳ）を送信するための手段、前記ＳＲＳが、サブフレームの最後のＯＦＤＭシンボル位置とは異なる前記サブフレームのＯＦＤＭシンボル位置に配置される
をさらに備える、Ｃ３６に記載の装置。
［Ｃ５８］
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信するための手段
をさらに備える、Ｃ３６に記載の装置。
［Ｃ５９］
基地局によって、前記アップリンクＣＳＩ−ＲＳ送信に部分的に基づいて、ダウンリンクチャネルにおいて使用されるべきプリコーダを生成すること
をさらに備える、Ｃ５８に記載の装置。
［Ｃ６０］
前記ＣＳＩ−ＲＳの送信を調整するために、物理アップリンク共有チャネル（ＰＵＳＣＨ）および物理アップリンク制御チャネル（ＰＵＣＣＨ）のためのレートマッチングを示すための手段
をさらに備える、Ｃ５８に記載の装置。
［Ｃ６１］
前記アップリンクチャネルにおいてチャネル状態情報干渉測定値（ＣＳＩ−ＩＭ）を送信するための手段
をさらに備える、Ｃ５８に記載の装置。
［Ｃ６２］
前記アップリンクチャネルを使用して、前記無認可無線周波数スペクトル帯域における前記信号において、サウンディング基準信号（ＳＲＳ）なしに、前記生成されたＯＦＤＭＡ波形を通信するための手段
をさらに備える、Ｃ３６に記載の装置。
［Ｃ６３］
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用するための手段と、
前記アップリンクチャネルが前記ＰＵＳＣＨを備えるが前記ＰＵＣＣＨを備えないとき、前記アップリンクチャネルを送信するために、リソースブロックの第２のセットを使用するための手段と、前記リソースブロックの第２のセットが前記リソースブロックの第１のセットとは異なる
をさらに備える、Ｃ３６に記載の装置。
［Ｃ６４］
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うための手段
をさらに備える、Ｃ６３に記載の装置。
［Ｃ６５］
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用するための手段
をさらに備える、Ｃ６４に記載の装置。
［Ｃ６６］
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化するための手段
をさらに備える、Ｃ６３に記載の装置。
［Ｃ６７］
前記アップリンクチャネル上で、物理アップリンク制御チャネル（ＰＵＣＣＨ）と物理アップリンク共有チャネル（ＰＵＳＣＨ）とを周波数分割多重化するための手段と、
前記ＰＵＣＣＨの一部として、物理ダウンリンク共有チャネル（ＰＤＳＣＨ）に関係する肯定応答を送信するための手段と、
前記ＰＵＳＣＨの一部として、同時に複数のダウンリンクキャリアのチャネル品質情報（ＣＱＩ）を送信するための手段と
をさらに備える、Ｃ３６に記載の装置。
［Ｃ６８］
基地局からシグナリングを受信するための手段と、
前記受信されたシグナリングに少なくとも部分的に基づいて、前記アップリンクチャネルの前記ＯＦＤＭＡ構成を選択するための手段と
をさらに備える、Ｃ３６に記載の装置。
［Ｃ６９］
前記基地局からの前記シグナリングが、リソースブロック割振りを示し、前記アップリンクチャネルの前記ＯＦＤＭＡ構成が、前記リソースブロック割振りに少なくとも部分的に基づいて選択される、Ｃ６８に記載の装置。
［Ｃ７０］
前記アップリンクチャネルの前記ＯＦＤＭＡ構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、Ｃ６８に記載の装置。
［Ｃ７１］
ワイヤレス通信のための装置であって、
プロセッサと、
前記プロセッサと電子通信しているメモリと、
前記メモリに記憶された命令と
を備え、前記命令が、
無認可無線周波数スペクトル帯域におけるアップリンク通信のためのアップリンクチャネルの直交周波数分割多元接続（ＯＦＤＭＡ）構成を識別することと、
前記識別されたＯＦＤＭＡ構成に基づいて、ＯＦＤＭＡ波形を生成することと、
前記アップリンクチャネルを使用して、前記無認可無線周波数スペクトル帯域における信号において、前記生成されたＯＦＤＭＡ波形を通信することと
を行うように前記プロセッサによって実行可能である、装置。
［Ｃ７２］
前記アップリンクチャネルが物理アップリンク共有チャネル（ＰＵＳＣＨ）を備える、Ｃ７１に記載の装置。
［Ｃ７３］
前記命令が、
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるを行うように前記プロセッサによって実行可能である、Ｃ７２に記載の装置。
［Ｃ７４］
前記命令が、
前記識別されたＯＦＤＭＡ構成に基づいて、前記ＯＦＤＭＡ波形を生成するとき、シンボル電力を示すメトリックを低減するために、シンボル並べ替えまたは位相回転を適用すること
を行うように前記プロセッサによって実行可能である、Ｃ７１に記載の装置。
［Ｃ７５］
前記命令が、
前記ＯＦＤＭＡ波形に異なるスクランブリングシーケンスを適用することと、
前記無認可無線周波数スペクトル帯域における前記信号において、前記生成されたＯＦＤＭＡ波形を通信するときに使用するために、前記スクランブリングシーケンスのうちの１つを選択することと
を行うように前記プロセッサによって実行可能である、Ｃ７１に記載の装置。
［Ｃ７６］
前記アップリンクチャネルが物理アップリンク制御チャネル（ＰＵＣＣＨ）を備える、Ｃ７１に記載の装置。
［Ｃ７７］
前記アップリンクチャネルを使用して、前記無認可無線周波数スペクトル帯域における信号において、前記生成されたＯＦＤＭＡ波形を通信することを行うように、前記プロセッサによって実行可能な前記命令が、
複数のインターリーブリソースブロックにおいて前記ＰＵＣＣＨの重複コピーを送信すること
を行うように前記プロセッサによって実行可能な命令を備える、Ｃ７６に記載の装置。［Ｃ７８］
前記アップリンクチャネルを使用して、前記無認可無線周波数スペクトル帯域における信号において、前記生成されたＯＦＤＭＡ波形を通信することを行うように、前記プロセッサによって実行可能な前記命令が、
符号分割多重化シーケンスまたは他の直交シーケンスに従って、複数のインターリーブリソースブロック内で前記ＰＵＣＣＨを多重化すること
を行うように前記プロセッサによって実行可能な命令を備える、Ｃ７６に記載の装置。［Ｃ７９］
前記アップリンクチャネルを使用して、前記無認可無線周波数スペクトル帯域における信号において、前記生成されたＯＦＤＭＡ波形を通信することを行うように実行可能な前記命令が、
拡張リソース要素グループの複数のリソース要素内で前記ＰＵＣＣＨを多重化することを行うように前記プロセッサによって実行可能な命令を備える、Ｃ７６に記載の装置。［Ｃ８０］
前記命令が、
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
を行うように前記プロセッサによって実行可能である、Ｃ７１に記載の装置。
［Ｃ８１］
前記命令が、
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
を行うように前記プロセッサによって実行可能である、Ｃ７１に記載の装置。
［Ｃ８２］
前記命令が、
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うように前記プロセッサによって実行可能である、Ｃ８１に記載の装置。
［Ｃ８３］
前記命令が、
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用すること
を行うように前記プロセッサによって実行可能である、Ｃ８２に記載の装置。
［Ｃ８４］
前記命令が、
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することを行うように前記プロセッサによって実行可能である、Ｃ８１に記載の装置。
［Ｃ８５］
前記命令が、
前記アップリンクチャネル上で、物理アップリンク制御チャネル（ＰＵＣＣＨ）と物理アップリンク共有チャネル（ＰＵＳＣＨ）とを周波数分割多重化することと、
前記ＰＵＣＣＨの一部として、物理ダウンリンク共有チャネル（ＰＤＳＣＨ）に関係する肯定応答を送信することと、
前記ＰＵＳＣＨの一部として、同時に複数のダウンリンクキャリアのチャネル品質情報（ＣＱＩ）を送信することと
を行うように前記プロセッサによって実行可能である、Ｃ７１に記載の装置。
［Ｃ８６］
ワイヤレス通信のためのコンピュータ実行可能コードを記憶する非一時的コンピュータ可読媒体であって、前記コードが、
無認可無線周波数スペクトル帯域におけるアップリンク通信のためのアップリンクチャネルの直交周波数分割多元接続（ＯＦＤＭＡ）構成を識別することと、
前記識別されたＯＦＤＭＡ構成に基づいて、ＯＦＤＭＡ波形を生成することと、
前記アップリンクチャネルを使用して、前記無認可無線周波数スペクトル帯域における信号において、前記生成されたＯＦＤＭＡ波形を通信することと
を行うようにプロセッサによって実行可能である、非一時的コンピュータ可読媒体。
［Ｃ８７］
前記アップリンクチャネルが物理アップリンク共有チャネル（ＰＵＳＣＨ）を備える、Ｃ８６に記載のコンピュータ可読媒体。
［Ｃ８８］
前記コードが、
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるを行うように前記プロセッサによって実行可能である、Ｃ８７に記載のコンピュータ可読媒体。
［Ｃ８９］
前記コードが、
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
を行うように前記プロセッサによって実行可能である、Ｃ８６に記載のコンピュータ可読媒体。
［Ｃ９０］
前記コードが、
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
を行うように前記プロセッサによって実行可能である、Ｃ８６に記載のコンピュータ可読媒体。
［Ｃ９１］
前記コードが、
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うように前記プロセッサによって実行可能である、Ｃ９０に記載のコンピュータ可読媒体。
［Ｃ９２］
前記コードが、
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することを行うように前記プロセッサによって実行可能である、Ｃ９０に記載のコンピュータ可読媒体。
［Ｃ９３］
ワイヤレス通信のための方法であって、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を備える方法。
［Ｃ９４］
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、Ｃ９３に記載の方法。
［Ｃ９５］
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信することと
をさらに備える、Ｃ９４に記載の方法。
［Ｃ９６］
前記アップリンクチャネルにおける送信を用いて前記第１のリンク識別子を送信することが、前記第１のリンク識別子に応じて前記ＤＭ−ＲＳを生成することを備え、
前記ダウンリンクチャネルにおける送信を用いて前記第２のリンク識別子を送信することが、前記第２のリンク識別子に応じて前記ＤＭ−ＲＳを生成することを備える、Ｃ９５に記載の方法。
［Ｃ９７］
ワイヤレス通信のための装置であって、
第１の基地局の仮想セル識別子を、前記第１の基地局と第１のユーザ機器（ＵＥ）との間の送信に関連付けるための手段と、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別するための手段と、前記共通リソースブロックのセットの前記識別が、前記仮想セル識別子に少なくとも部分的に基づく
を備える装置。
［Ｃ９８］
前記第１の基地局と前記第１のＵＥとの間の前記ＤＭ−ＲＳの送信のための第１の空間多重化に関連付けられた第１のポートを識別するための手段、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、Ｃ９７に記載の装置。
［Ｃ９９］
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けるための手段と、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信するための手段と
をさらに備える、Ｃ９８に記載の装置。
［Ｃ１００］
前記アップリンクチャネルにおける送信を用いて前記第１のリンク識別子を送信するための前記手段が、前記第１のリンク識別子に応じて前記ＤＭ−ＲＳを生成するための手段を備え、
前記ダウンリンクチャネルにおける送信を用いて前記第２のリンク識別子を送信するための前記手段が、前記第２のリンク識別子に応じて前記ＤＭ−ＲＳを生成するための手段を備える、Ｃ９９に記載の装置。
［Ｃ１０１］
ワイヤレス通信のための装置であって、
プロセッサと、
前記プロセッサと電子通信しているメモリと、
前記メモリに記憶された命令と
を備え、前記命令が、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を行うように前記プロセッサによって実行可能である、装置。
［Ｃ１０２］
前記命令が、
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
を行うように前記プロセッサによって実行可能である、Ｃ１０１に記載の装置。
［Ｃ１０３］
前記命令が、
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子をトランスミッティングすることと
を行うように前記プロセッサによって実行可能である、Ｃ１０２に記載の装置。
［Ｃ１０４］
前記アップリンクチャネルにおける送信を用いて前記第１のリンク識別子を送信することを行うように、前記プロセッサによって実行可能な前記命令が、前記第１のリンク識別子に応じて前記ＤＭ−ＲＳを生成することを行うように、前記プロセッサによって実行可能な命令を備え、
前記ダウンリンクチャネルにおける送信を用いて前記第２のリンク識別子を送信することを行うように、前記プロセッサによって実行可能な前記命令が、前記第２のリンク識別子に応じて前記ＤＭ−ＲＳを生成することを行うように、前記プロセッサによって実行可能な命令を備える、Ｃ１０３に記載の装置。
［Ｃ１０５］
ワイヤレス通信のためのコンピュータ実行可能コードを記憶する非一時的コンピュータ可読媒体であって、前記コードが、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を行うようにプロセッサによって実行可能である、非一時的コンピュータ可読媒体。
［Ｃ１０６］
前記コードが、
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
を行うように前記プロセッサによって実行可能である、Ｃ１０５に記載のコンピュータ可読媒体。
［Ｃ１０７］
前記コードが、
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子をトランスミッティングすることと
を行うように前記プロセッサによって実行可能である、Ｃ１０６に記載のコンピュータ可読媒体。
［Ｃ１０８］
前記アップリンクチャネルにおける送信を用いて前記第１のリンク識別子を送信することを行うように、前記プロセッサによって実行可能な前記コードが、前記第１のリンク識別子に応じて前記ＤＭ−ＲＳを生成することを行うように、前記プロセッサによって実行可能なコードを備え、
前記ダウンリンクチャネルにおける送信を用いて前記第２のリンク識別子を送信することを行うように、前記プロセッサによって実行可能な前記コードが、前記第２のリンク識別子に応じて前記ＤＭ−ＲＳを生成することを行うように、前記プロセッサによって実行可能なコードを備える、Ｃ１０７に記載のコンピュータ可読媒体。
［Ｃ１０９］
ワイヤレス通信のための方法であって、
無認可無線周波数スペクトル帯域におけるアップリンク通信のためのアップリンクチャネルの構成を動的に選択することと、
前記選択された構成に基づいて、波形を生成することと、
前記アップリンクチャネルを使用して、前記無認可無線周波数スペクトル帯域における信号において、前記生成された波形を通信することと
を備える方法。
［Ｃ１１０］
前記アップリンクチャネルの前記構成が、直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から選択される、Ｃ１０９に記載の方法。
［Ｃ１１１］
基地局からシグナリングを受信することと、
前記受信されたシグナリングに少なくとも部分的に基づいて、前記アップリンクチャネルの前記構成を選択することと
をさらに備える、Ｃ１０９に記載の方法。
［Ｃ１１２］
前記基地局からの前記シグナリングが、リソースブロック割振りを示し、前記アップリンクチャネルの前記構成が、前記リソースブロック割振りに少なくとも部分的に基づいて選択される、Ｃ１１１に記載の方法。
［Ｃ１１３］
前記アップリンクチャネルの前記構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、Ｃ１１１に記載の方法。
［Ｃ１１４］
ワイヤレス通信のための装置であって、
無認可無線周波数スペクトル帯域におけるアップリンク通信のためのアップリンクチャネルの構成を動的に選択するための手段と、
前記選択された構成に基づいて、波形を生成するための手段と、
前記アップリンクチャネルを使用して、前記無認可無線周波数スペクトル帯域における信号において、前記生成された波形を通信するための手段と
を備える装置。
［Ｃ１１５］
前記アップリンクチャネルの前記構成を動的に選択するための前記手段が、
直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から、前記アップリンクチャネルの前記構成を選択するための手段を備える、Ｃ１１４に記載の装置。
［Ｃ１１６］
基地局からシグナリングを受信するための手段と、
前記受信されたシグナリングに少なくとも部分的に基づいて、前記アップリンクチャネルの前記構成を選択するための手段と
をさらに備える、Ｃ１１４に記載の装置。
［Ｃ１１７］
前記基地局からの前記シグナリングが、リソースブロック割振りを示し、前記アップリンクチャネルの前記構成を選択するための前記手段が、前記リソースブロック割振りに少なくとも部分的に基づいて、前記アップリンクチャネルの前記構成を選択するための手段を備える、Ｃ１１６に記載の装置。
［Ｃ１１８］
前記アップリンクチャネルの前記構成を選択するための前記手段が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を選択するための手段を備える、Ｃ１１６に記載の装置。
［Ｃ１１９］
ワイヤレス通信のための装置であって、
プロセッサと、
前記プロセッサと電子通信しているメモリと、
前記メモリに記憶された命令と
を備え、前記命令が、
無認可無線周波数スペクトル帯域におけるアップリンク通信のためのアップリンクチャネルの構成を動的に選択することと、
前記選択された構成に基づいて、波形を生成することと、
前記アップリンクチャネルを使用して、前記無認可無線周波数スペクトル帯域における信号において、前記生成された波形を通信することと
を行うように前記プロセッサによって実行可能である、装置。
［Ｃ１２０］
前記アップリンクチャネルの前記構成を動的に選択することを行うように、前記プロセッサによって実行可能な前記命令が、
直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から、前記アップリンクチャネルの前記構成を動的に選択することを行うように前記プロセッサによって実行可能な命令を備える、Ｃ１１９に記載の装置。
［Ｃ１２１］
前記命令が、
基地局からシグナリングを受信することと、
前記受信されたシグナリングに少なくとも部分的に基づいて、前記アップリンクチャネルの前記構成を選択することと
を行うように前記プロセッサによって実行可能である、Ｃ１１９に記載の装置。
［Ｃ１２２］
前記基地局からの前記シグナリングが、リソースブロック割振りを示し、前記命令が、前記リソースブロック割振りに少なくとも部分的に基づいて、前記アップリンクチャネルの前記構成を動的に選択することを行うように、前記プロセッサによって実行可能である、Ｃ１２１に記載の装置。
［Ｃ１２３］
前記命令が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を動的に選択することを行うように、前記プロセッサによって実行可能である、Ｃ１２１に記載の装置。
［Ｃ１２４］
ワイヤレス通信のためのコンピュータ実行可能コードを記憶する非一時的コンピュータ可読媒体であって、前記コードが、
無認可無線周波数スペクトル帯域におけるアップリンク通信のためのアップリンクチャネルの構成を動的に選択することと、
前記選択された構成に基づいて、波形を生成することと、
前記アップリンクチャネルを使用して、前記無認可無線周波数スペクトル帯域における信号において、前記生成された波形を通信することと
を行うようにプロセッサによって実行可能である、非一時的コンピュータ可読媒体。
［Ｃ１２５］
前記アップリンクチャネルの前記構成を動的に選択することを行うように、前記プロセッサによって実行可能な前記コードが、
直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から、前記アップリンクチャネルの前記構成を動的に選択することを行うように前記プロセッサによって実行可能なコードを備える、Ｃ１２４に記載のコンピュータ可読媒体。
［Ｃ１２６］
前記コードが、
基地局からシグナリングを受信することと、
前記受信されたシグナリングに少なくとも部分的に基づいて、前記アップリンクチャネルの前記構成を選択することと
を行うように前記プロセッサによって実行可能である、Ｃ１２４に記載のコンピュータ可読媒体。
［Ｃ１２７］
前記基地局からの前記シグナリングが、リソースブロック割振りを示し、前記コードが、前記リソースブロック割振りに少なくとも部分的に基づいて、前記アップリンクチャネルの前記構成を動的に選択することを行うように、前記プロセッサによって実行可能である、Ｃ１２６に記載のコンピュータ可読媒体。
［Ｃ１２８］
前記コードが、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を動的に選択することを行うように、前記プロセッサによって実行可能である、Ｃ１２６に記載のコンピュータ可読媒体。
【図１】
2019165454.tif 000003
【図２Ａ】
2019165454.tif 000004
【図２Ｂ】
2019165454.tif 000005
【図３】
2019165454.tif 000006
【図４】
2019165454.tif 000007
【図５】
2019165454.tif 000008
【図６】
2019165454.tif 000009
【図７】
2019165454.tif 000010
【図８Ａ】
2019165454.tif 000011
【図８Ｂ】
2019165454.tif 000012
【図９】
2019165454.tif 000013
【図１０】
2019165454.tif 000014
【図１１】
2019165454.tif 000015
【図１２】
2019165454.tif 000016
【図１３】
2019165454.tif 000017
【図１４】
2019165454.tif 000018
【図１５】
2019165454.tif 000019
【図１６】
2019165454.tif 000020
【図１７】
2019165454.tif 000021
【図１８】
2019165454.tif 000022
【図１９】
2019165454.tif 000023
【図２０】
2019165454.tif 000024
【図２１】
2019165454.tif 000025
【図２２】
2019165454.tif 000026
【図２３】
2019165454.tif 000027
【図２４】
2019165454.tif 000028
【図２５】
2019165454.tif 000029
【図２６】
2019165454.tif 000030
【図２７】
2019165454.tif 000031
【図２８】
2019165454.tif 000032
【図２９】
2019165454.tif 000033
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のリソースブロックの割振りに少なくとも部分的に基づいて、アップリンク通信のためのアップリンクチャネルの直交周波数分割多元接続（ＯＦＤＭＡ）構成を識別することと、前記アップリンクチャネルが、物理アップリンク共有チャネル（ＰＵＳＣＨ）を備える、
前記識別されたＯＦＤＭＡ構成に基づいて、ＯＦＤＭＡ波形を生成することと、
前記複数のリソースブロックにおいて前記アップリンクチャネルを使用して、信号において、前記生成されたＯＦＤＭＡ波形を通信することと
を備える方法。
【請求項２】
インターレースのビットマップに少なくとも部分的に基づいて、前記ＰＵＳＣＨのためのリソースを割り振ること
をさらに備える、請求項１に記載の方法。
【請求項３】
リソースブロックのビットマップに少なくとも部分的に基づいて、前記ＰＵＳＣＨのためのリソースを割り振ること
をさらに備える、請求項１に記載の方法。
【請求項４】
開始リソースブロックおよびリソースブロックの数に少なくとも部分的に基づいて、前記ＰＵＳＣＨのためのリソースを割り振ること
をさらに備える、請求項１に記載の方法。
【請求項５】
前記ＰＵＳＣＨのための前記リソースを割り振ることが、マルチクラスタ送信のためであり、ここにおいて、前記ＰＵＳＣＨのための前記リソースを割り振ることが、ユーザ機器に割り当てられた前記リソースブロックのうちの２つ以上に部分的に基づく、請求項４に記載の方法。
【請求項６】
１つまたは複数のＯＦＤＭシンボル位置に従って、１つまたは複数のリソース要素に、１つまたは複数の変調シンボルをマッピングすること
をさらに備える、請求項１に記載の方法。
【請求項７】
１つまたは複数の周波数サブキャリアに従って、１つまたは複数のリソース要素に、１つまたは複数の変調シンボルをマッピングすること
をさらに備える、請求項１に記載の方法。
【請求項８】
タイムスロットと周波数サブキャリアとのインターリーブに従って、１つまたは複数のリソース要素に、１つまたは複数の変調シンボルをマッピングすること
をさらに備える、請求項１に記載の方法。
【請求項９】
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じである
をさらに備える、請求項１に記載の方法。
【請求項１０】
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットとは、少なくとも１つの点で異なる
をさらに備える、請求項１に記載の方法。
【請求項１１】
前記識別されたＯＦＤＭＡ構成に基づいて、前記ＯＦＤＭＡ波形を生成するとき、物理リソースブロック（ＰＲＢ）バンドリングを使用すること
をさらに備える、請求項１に記載の方法。
【請求項１２】
前記識別されたＯＦＤＭＡ構成に基づいて、前記ＯＦＤＭＡ波形を生成するとき、プリコーダ循環を使用すること、ここにおいて、プリコーダが、プリコーダのあらかじめ定義されたセットを循環させられ、ここにおいて、前記プリコーダが、アップリンクグラントの一部として基地局によって示される
をさらに備える、請求項１に記載の方法。
【請求項１３】
前記プリコーダが、ダウンリンクチャネル状態情報基準信号（ＣＳＩ−ＲＳ）送信に少なくとも部分的に基づいて、ＵＥによって導出される、請求項１２に記載の方法。
【請求項１４】
前記アップリンクチャネルが、アップリンク多入力多出力（ＵＬ−ＭＩＭＯ）チャネルまたはマルチユーザＭＩＭＯ（ＭＵ−ＭＩＭＯ）チャネルを備える、請求項１に記載の方法。
【請求項１５】
前記識別されたＯＦＤＭＡ構成に基づいて、前記ＯＦＤＭＡ波形を生成するとき、シンボル電力を示すメトリックを低減するために、シンボル並べ替えまたは位相回転を適用すること
をさらに備える、請求項１に記載の方法。
【請求項１６】
前記ＯＦＤＭＡ波形に異なるスクランブリングシーケンスを適用することと、
前記信号において、前記生成されたＯＦＤＭＡ波形を通信するときに使用するために、前記スクランブリングシーケンスのうちの１つを選択することと
をさらに備える、請求項１に記載の方法。
【請求項１７】
前記アップリンクチャネルが物理アップリンク制御チャネル（ＰＵＣＣＨ）を備える、請求項１に記載の方法。
【請求項１８】
前記アップリンクチャネルを使用して、前記生成されたＯＦＤＭＡ波形を通信することが、
複数のインターリーブリソースブロックにおいて前記ＰＵＣＣＨの重複コピーを送信すること
を備える、請求項１７に記載の方法。
【請求項１９】
前記アップリンクチャネルを使用して、信号において、前記生成されたＯＦＤＭＡ波形を通信することが、
符号分割多重化シーケンスまたは他の直交シーケンスに従って、複数のインターリーブリソースブロック内で前記ＰＵＣＣＨを多重化すること
を備える、請求項１７に記載の方法。
【請求項２０】
前記アップリンクチャネルを使用して、信号において、前記生成されたＯＦＤＭＡ波形を通信することが、
拡張リソース要素グループの複数のリソース要素内で前記ＰＵＣＣＨを多重化することを備える、請求項１７に記載の方法。
【請求項２１】
前記アップリンクチャネルが、１つまたは複数の事前に割り振られたインターレース上で送信される物理ランダムアクセスチャネル（ＰＲＡＣＨ）を備える、請求項１に記載の方法。
【請求項２２】
前記アップリンクチャネル上でサウンディング基準信号（ＳＲＳ）を送信すること、前記ＳＲＳが、サブフレームの最後のＯＦＤＭシンボル位置とは異なる前記サブフレームのＯＦＤＭシンボル位置に配置される
をさらに備える、請求項１に記載の方法。
【請求項２３】
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
をさらに備える、請求項１に記載の方法。
【請求項２４】
基地局によって、前記アップリンクＣＳＩ−ＲＳ送信に少なくとも部分的に基づいて、ダウンリンクチャネルにおいて使用されるべきプリコーダを生成すること
をさらに備える、請求項２３に記載の方法。
【請求項２５】
前記ＣＳＩ−ＲＳの送信を調整するために、物理アップリンク共有チャネル（ＰＵＳＣＨ）および物理アップリンク制御チャネル（ＰＵＣＣＨ）のためのレートマッチングを示すこと
をさらに備える、請求項２３に記載の方法。
【請求項２６】
前記アップリンクチャネルにおいてチャネル状態情報干渉測定値（ＣＳＩ−ＩＭ）を送信すること
をさらに備える、請求項２３に記載の方法。
【請求項２７】
前記アップリンクチャネルを使用して、前記信号において、サウンディング基準信号（ＳＲＳ）なしに、前記生成されたＯＦＤＭＡ波形を通信すること
をさらに備える、請求項１に記載の方法。
【請求項２８】
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
をさらに備える、請求項１に記載の方法。
【請求項２９】
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
をさらに備える、請求項２８に記載の方法。
【請求項３０】
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用すること
をさらに備える、請求項２９に記載の方法。
【請求項３１】
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することをさらに備える、請求項２８に記載の方法。
【請求項３２】
前記アップリンクチャネル上で、物理アップリンク制御チャネル（ＰＵＣＣＨ）と物理アップリンク共有チャネル（ＰＵＳＣＨ）とを周波数分割多重化することと、
前記ＰＵＣＣＨの一部として、物理ダウンリンク共有チャネル（ＰＤＳＣＨ）に関係する肯定応答を送信することと、
前記ＰＵＳＣＨの一部として、同時に複数のダウンリンクキャリアのチャネル品質情報（ＣＱＩ）を送信することと
をさらに備える、請求項１に記載の方法。
【請求項３３】
基地局からシグナリングを受信することと、
前記受信されたシグナリングに少なくとも部分的に基づいて、前記アップリンクチャネルの前記ＯＦＤＭＡ構成を選択することと
をさらに備える、請求項１に記載の方法。
【請求項３４】
前記基地局からの前記シグナリングが、前記複数のリソースブロックの前記割振りを示す、請求項３３に記載の方法。
【請求項３５】
前記アップリンクチャネルの前記ＯＦＤＭＡ構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、請求項３３に記載の方法。
【請求項３６】
ワイヤレス通信のための装置であって、
複数のリソースブロックの割振りに少なくとも部分的に基づいて、アップリンク通信のためのアップリンクチャネルの直交周波数分割多元接続（ＯＦＤＭＡ）構成を識別するための手段と、前記アップリンクチャネルが、物理アップリンク共有チャネル（ＰＵＳＣＨ）を備える、
前記識別されたＯＦＤＭＡ構成に基づいて、ＯＦＤＭＡ波形を生成するための手段と、
前記複数のリソースブロックにおいて前記アップリンクチャネルを使用して、信号において、前記生成されたＯＦＤＭＡ波形を通信するための手段と
を備える装置。
【請求項３７】
インターレースのビットマップに少なくとも部分的に基づいて、前記ＰＵＳＣＨのためのリソースを割り振るための手段
をさらに備える、請求項３６に記載の装置。
【請求項３８】
リソースブロックのビットマップに少なくとも部分的に基づいて、前記ＰＵＳＣＨのためのリソースを割り振るための手段
をさらに備える、請求項３６に記載の装置。
【請求項３９】
開始リソースブロックおよびリソースブロックの数、または、開始インターレースおよびインターレースの数に少なくとも部分的に基づいて、前記ＰＵＳＣＨのためのリソースを割り振るための手段
をさらに備える、請求項３６に記載の装置。
【請求項４０】
前記ＰＵＳＣＨのための前記リソースを割り振ることが、マルチクラスタ送信のためであり、ここにおいて、前記ＰＵＳＣＨのための前記リソースを割り振ることが、ユーザ機器に割り当てられた前記リソースブロックのうちの２つ以上に部分的に基づく、請求項３９に記載の装置。
【請求項４１】
１つまたは複数のＯＦＤＭシンボル位置に従って、１つまたは複数のリソース要素に、１つまたは複数の変調シンボルをマッピングするための手段
をさらに備える、請求項３６に記載の装置。
【請求項４２】
１つまたは複数の周波数サブキャリアに従って、１つまたは複数のリソース要素に、１つまたは複数の変調シンボルをマッピングするための手段
をさらに備える、請求項３６に記載の装置。
【請求項４３】
タイムスロットと周波数サブキャリアとのインターリーブに従って、１つまたは複数のリソース要素に、１つまたは複数の変調シンボルをマッピングするための手段
をさらに備える、請求項３６に記載の装置。
【請求項４４】
１つまたは複数のタイムスロットと１つまたは複数の第１の周波数サブキャリアとの第１のセットにおいて、前記アップリンクチャネル上で復調基準信号（ＤＭ−ＲＳ）を送信するための手段、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じである
をさらに備える、請求項３６に記載の装置。
【請求項４５】
１つまたは複数のタイムスロットと１つまたは複数の第１の周波数サブキャリアとの第１のセットにおいて、前記アップリンクチャネル上で復調基準信号（ＤＭ−ＲＳ）を送信するための手段、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットとは、少なくとも１つの点で異なる
をさらに備える、請求項３６に記載の装置。
【請求項４６】
前記識別されたＯＦＤＭＡ構成に基づいて、前記ＯＦＤＭＡ波形を生成するとき、物理リソースブロック（ＰＲＢ）バンドリングを使用するための手段
をさらに備える、請求項３６に記載の装置。
【請求項４７】
前記識別されたＯＦＤＭＡ構成に基づいて、前記ＯＦＤＭＡ波形を生成するとき、プリコーダ循環を使用するための手段、ここにおいて、プリコーダが、プリコーダのあらかじめ定義されたセットを循環させられ、ここにおいて、前記プリコーダが、アップリンクグラントの一部として基地局によって示される
をさらに備える、請求項３６に記載の装置。
【請求項４８】
前記プリコーダが、ダウンリンクチャネル状態情報基準信号（ＣＳＩ−ＲＳ）送信に少なくとも部分的に基づいて、ＵＥによって導出される、請求項４７に記載の装置。
【請求項４９】
前記アップリンクチャネルが、アップリンク多入力多出力（ＵＬ−ＭＩＭＯ）チャネルまたはマルチユーザＭＩＭＯ（ＭＵ−ＭＩＭＯ）チャネルを備える、請求項３６に記載の装置。
【請求項５０】
前記識別されたＯＦＤＭＡ構成に基づいて、前記ＯＦＤＭＡ波形を生成するとき、シンボル電力を示すメトリックを低減するために、シンボル並べ替えまたは位相回転を適用するための手段
をさらに備える、請求項３６に記載の装置。
【請求項５１】
前記ＯＦＤＭＡ波形に異なるスクランブリングシーケンスを適用するための手段と、
前記信号において、前記生成されたＯＦＤＭＡ波形を通信するときに使用するために、前記スクランブリングシーケンスのうちの１つを選択するための手段と
をさらに備える、請求項３６に記載の装置。
【請求項５２】
前記アップリンクチャネルが物理アップリンク制御チャネル（ＰＵＣＣＨ）を備える、請求項３６に記載の装置。
【請求項５３】
前記アップリンクチャネルを使用して、信号において、前記生成されたＯＦＤＭＡ波形を通信するための前記手段が、
複数のインターリーブリソースブロックにおいて前記ＰＵＣＣＨの重複コピーを送信すること
を備える、請求項５２に記載の装置。
【請求項５４】
前記アップリンクチャネルを使用して、信号において、前記生成されたＯＦＤＭＡ波形を通信することが、
符号分割多重化シーケンスまたは他の直交シーケンスに従って、複数のインターリーブリソースブロック内で前記ＰＵＣＣＨを多重化すること
を備える、請求項５２に記載の装置。
【請求項５５】
前記アップリンクチャネルを使用して、信号において、前記生成されたＯＦＤＭＡ波形を通信することが、
拡張リソース要素グループの複数のリソース要素内で前記ＰＵＣＣＨを多重化するための手段
を備える、請求項５２に記載の装置。
【請求項５６】
前記アップリンクチャネルが、１つまたは複数の事前に割り振られたインターレース上で送信される物理ランダムアクセスチャネル（ＰＲＡＣＨ）を備える、請求項３６に記載の装置。
【請求項５７】
前記アップリンクチャネル上でサウンディング基準信号（ＳＲＳ）を送信するための手段、前記ＳＲＳが、サブフレームの最後のＯＦＤＭシンボル位置とは異なる前記サブフレームのＯＦＤＭシンボル位置に配置される
をさらに備える、請求項３６に記載の装置。
【請求項５８】
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信するための手段
をさらに備える、請求項３６に記載の装置。
【請求項５９】
基地局によって、前記アップリンクＣＳＩ−ＲＳ送信に部分的に基づいて、ダウンリンクチャネルにおいて使用されるべきプリコーダを生成すること
をさらに備える、請求項５８に記載の装置。
【請求項６０】
前記ＣＳＩ−ＲＳの送信を調整するために、物理アップリンク共有チャネル（ＰＵＳＣＨ）および物理アップリンク制御チャネル（ＰＵＣＣＨ）のためのレートマッチングを示すための手段
をさらに備える、請求項５８に記載の装置。
【請求項６１】
前記アップリンクチャネルにおいてチャネル状態情報干渉測定値（ＣＳＩ−ＩＭ）を送信するための手段
をさらに備える、請求項５８に記載の装置。
【請求項６２】
前記アップリンクチャネルを使用して、前記信号において、サウンディング基準信号（ＳＲＳ）なしに、前記生成されたＯＦＤＭＡ波形を通信するための手段
をさらに備える、請求項３６に記載の装置。
【請求項６３】
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用するための手段と、
前記アップリンクチャネルが前記ＰＵＳＣＨを備えるが前記ＰＵＣＣＨを備えないとき、前記アップリンクチャネルを送信するために、リソースブロックの第２のセットを使用するための手段と、前記リソースブロックの第２のセットが前記リソースブロックの第１のセットとは異なる
をさらに備える、請求項３６に記載の装置。
【請求項６４】
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うための手段
をさらに備える、請求項６３に記載の装置。
【請求項６５】
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用するための手段
をさらに備える、請求項６４に記載の装置。
【請求項６６】
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化するための手段
をさらに備える、請求項６３に記載の装置。
【請求項６７】
前記アップリンクチャネル上で、物理アップリンク制御チャネル（ＰＵＣＣＨ）と物理アップリンク共有チャネル（ＰＵＳＣＨ）とを周波数分割多重化するための手段と、
前記ＰＵＣＣＨの一部として、物理ダウンリンク共有チャネル（ＰＤＳＣＨ）に関係する肯定応答を送信するための手段と、
前記ＰＵＳＣＨの一部として、同時に複数のダウンリンクキャリアのチャネル品質情報（ＣＱＩ）を送信するための手段と
をさらに備える、請求項３６に記載の装置。
【請求項６８】
基地局からシグナリングを受信するための手段と、
前記受信されたシグナリングに少なくとも部分的に基づいて、前記アップリンクチャネルの前記ＯＦＤＭＡ構成を選択するための手段と
をさらに備える、請求項３６に記載の装置。
【請求項６９】
前記基地局からの前記シグナリングが、前記複数のリソースブロックの前記割振りを示す、請求項６８に記載の装置。
【請求項７０】
前記アップリンクチャネルの前記ＯＦＤＭＡ構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、請求項６８に記載の装置。
【請求項７１】
ワイヤレス通信のための装置であって、
プロセッサと、
前記プロセッサと電子通信しているメモリと、
前記メモリに記憶された命令と
を備え、前記命令が、
複数のリソースブロックの割振りに少なくとも部分的に基づいて、アップリンク通信のためのアップリンクチャネルの直交周波数分割多元接続（ＯＦＤＭＡ）構成を識別することと、前記アップリンクチャネルが、物理アップリンク共有チャネル（ＰＵＳＣＨ）を備える、
前記識別されたＯＦＤＭＡ構成に基づいて、ＯＦＤＭＡ波形を生成することと、
前記複数のリソースブロックにおいて前記アップリンクチャネルを使用して、信号において、前記生成されたＯＦＤＭＡ波形を通信することと
を行うように前記プロセッサによって実行可能である、装置。
【請求項７２】
前記命令が、
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じである
を行うように前記プロセッサによって実行可能である、請求項７１に記載の装置。
【請求項７３】
前記命令が、
前記識別されたＯＦＤＭＡ構成に基づいて、前記ＯＦＤＭＡ波形を生成するとき、シンボル電力を示すメトリックを低減するために、シンボル並べ替えまたは位相回転を適用すること
を行うように前記プロセッサによって実行可能である、請求項７１に記載の装置。
【請求項７４】
前記命令が、
前記ＯＦＤＭＡ波形に異なるスクランブリングシーケンスを適用することと、
前記信号において、前記生成されたＯＦＤＭＡ波形を通信するときに使用するために、前記スクランブリングシーケンスのうちの１つを選択することと
を行うように前記プロセッサによって実行可能である、請求項７１に記載の装置。
【請求項７５】
前記アップリンクチャネルが物理アップリンク制御チャネル（ＰＵＣＣＨ）を備える、請求項７１に記載の装置。
【請求項７６】
前記アップリンクチャネルを使用して、信号において、前記生成されたＯＦＤＭＡ波形を通信することを行うように、前記プロセッサによって実行可能な前記命令が、
複数のインターリーブリソースブロックにおいて前記ＰＵＣＣＨの重複コピーを送信すること
を行うように前記プロセッサによって実行可能な命令を備える、請求項７５に記載の装置。
【請求項７７】
前記アップリンクチャネルを使用して、信号において、前記生成されたＯＦＤＭＡ波形を通信することを行うように、前記プロセッサによって実行可能な前記命令が、
符号分割多重化シーケンスまたは他の直交シーケンスに従って、複数のインターリーブリソースブロック内で前記ＰＵＣＣＨを多重化すること
を行うように前記プロセッサによって実行可能な命令を備える、請求項７５に記載の装置。
【請求項７８】
前記アップリンクチャネルを使用して、信号において、前記生成されたＯＦＤＭＡ波形を通信することを行うように実行可能な前記命令が、
拡張リソース要素グループの複数のリソース要素内で前記ＰＵＣＣＨを多重化することを行うように前記プロセッサによって実行可能な命令を備える、請求項７５に記載の装置。
【請求項７９】
前記命令が、
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
を行うように前記プロセッサによって実行可能である、請求項７１に記載の装置。
【請求項８０】
前記命令が、
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
を行うように前記プロセッサによって実行可能である、請求項７１に記載の装置。
【請求項８１】
前記命令が、
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うように前記プロセッサによって実行可能である、請求項８０に記載の装置。
【請求項８２】
前記命令が、
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用すること
を行うように前記プロセッサによって実行可能である、請求項８１に記載の装置。
【請求項８３】
前記命令が、
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することを行うように前記プロセッサによって実行可能である、請求項８０に記載の装置。
【請求項８４】
前記命令が、
前記アップリンクチャネル上で、物理アップリンク制御チャネル（ＰＵＣＣＨ）と物理アップリンク共有チャネル（ＰＵＳＣＨ）とを周波数分割多重化することと、
前記ＰＵＣＣＨの一部として、物理ダウンリンク共有チャネル（ＰＤＳＣＨ）に関係する肯定応答を送信することと、
前記ＰＵＳＣＨの一部として、同時に複数のダウンリンクキャリアのチャネル品質情報（ＣＱＩ）を送信することと
を行うように前記プロセッサによって実行可能である、請求項７１に記載の装置。
【請求項８５】
ワイヤレス通信のためのコンピュータ実行可能コードを記憶する非一時的コンピュータ可読媒体であって、前記コードが、
複数のリソースブロックの割振りに少なくとも部分的に基づいて、アップリンク通信のためのアップリンクチャネルの直交周波数分割多元接続（ＯＦＤＭＡ）構成を識別することと、前記アップリンクチャネルが、物理アップリンク共有チャネル（ＰＵＳＣＨ）を備える、
前記識別されたＯＦＤＭＡ構成に基づいて、ＯＦＤＭＡ波形を生成することと、
前記複数のリソースブロックにおいて前記アップリンクチャネルを使用して、信号において、前記生成されたＯＦＤＭＡ波形を通信することと
を行うようにプロセッサによって実行可能である、非一時的コンピュータ可読媒体。
【請求項８６】
前記コードが、
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じである
を行うように前記プロセッサによって実行可能である、請求項８５に記載のコンピュータ可読媒体。
【請求項８７】
前記コードが、
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
を行うように前記プロセッサによって実行可能である、請求項８５に記載のコンピュータ可読媒体。
【請求項８８】
前記コードが、
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
を行うように前記プロセッサによって実行可能である、請求項８５に記載のコンピュータ可読媒体。
【請求項８９】
前記コードが、
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うように前記プロセッサによって実行可能である、請求項８８に記載のコンピュータ可読媒体。
【請求項９０】
前記コードが、
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することを行うように前記プロセッサによって実行可能である、請求項８８に記載のコンピュータ可読媒体。
【請求項９１】
ワイヤレス通信のための方法であって、
アップリンクチャネルの少なくとも１つの構成をユーザ機器（ＵＥ）において動的に選択することと、前記ＵＥが、次のオプション：アップリンク通信のための直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成、の各々から動的に選択するように構成される、
前記選択された少なくとも１つの構成に基づいて、波形を生成することと、
前記アップリンクチャネルを使用して、信号において、前記生成された波形を通信することと
を備える方法。
【請求項９２】
基地局からシグナリングを受信することと、
前記受信されたシグナリングに少なくとも部分的に基づいて、前記アップリンクチャネルの前記構成を選択することと
をさらに備える、請求項９１に記載の方法。
【請求項９３】
前記基地局からの前記シグナリングが、リソースブロック割振りを示し、前記アップリンクチャネルの前記構成が、前記リソースブロック割振りに少なくとも部分的に基づいて選択される、請求項９２に記載の方法。
【請求項９４】
前記アップリンクチャネルの前記構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、請求項９２に記載の方法。
【請求項９５】
ワイヤレス通信のための装置であって、
アップリンクチャネルの少なくとも１つの構成をユーザ機器（ＵＥ）において動的に選択するための手段と、前記ＵＥが、次のオプション：アップリンク通信のための直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成、の各々から動的に選択するように構成される、
前記選択された少なくとも１つの構成に基づいて、波形を生成するための手段と、
前記アップリンクチャネルを使用して、信号において、前記生成された波形を通信するための手段と
を備える装置。
【請求項９６】
基地局からシグナリングを受信するための手段と、
前記受信されたシグナリングに少なくとも部分的に基づいて、前記アップリンクチャネルの前記構成を選択するための手段と
をさらに備える、請求項９５に記載の装置。
【請求項９７】
前記基地局からの前記シグナリングが、リソースブロック割振りを示し、前記アップリンクチャネルの前記構成を選択するための前記手段が、前記リソースブロック割振りに少なくとも部分的に基づいて、前記アップリンクチャネルの前記構成を選択するための手段を備える、請求項９６に記載の装置。
【請求項９８】
前記アップリンクチャネルの前記構成を選択するための前記手段が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を選択するための手段を備える、請求項９６に記載の装置。
【請求項９９】
ワイヤレス通信のための装置であって、
プロセッサと、
前記プロセッサと電子通信しているメモリと、
前記メモリに記憶された命令と
を備え、前記命令が、
アップリンクチャネルの少なくとも１つの構成をユーザ機器（ＵＥ）において動的に選択することと、前記ＵＥが、次のオプション：アップリンク通信のための直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成からのアップリンクチャネル、の各々から動的に選択するように構成される、
前記選択された少なくとも１つの構成に基づいて、波形を生成することと、
前記アップリンクチャネルを使用して、信号において、前記生成された波形を通信することと
を行うように前記プロセッサによって実行可能である、装置。
【請求項１００】
前記命令が、
基地局からシグナリングを受信することと、
前記受信されたシグナリングに少なくとも部分的に基づいて、前記アップリンクチャネルの前記構成を選択することと
を行うように前記プロセッサによって実行可能である、請求項９９に記載の装置。
【請求項１０１】
前記基地局からの前記シグナリングが、リソースブロック割振りを示し、前記命令が、前記リソースブロック割振りに少なくとも部分的に基づいて、前記アップリンクチャネルの前記構成を動的に選択することを行うように、前記プロセッサによって実行可能である、請求項１００に記載の装置。
【請求項１０２】
前記命令が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を動的に選択することを行うように、前記プロセッサによって実行可能である、請求項１００に記載の装置。
【請求項１０３】
ワイヤレス通信のためのコンピュータ実行可能コードを記憶する非一時的コンピュータ可読媒体であって、前記コードが、
アップリンクチャネルの少なくとも１つの構成をユーザ機器（ＵＥ）において動的に選択することと、前記ＵＥが、次のオプション：アップリンク通信のための直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成からのアップリンクチャネル、の各々から動的に選択するように構成される、
前記選択された少なくとも１つの構成に基づいて、波形を生成することと、
前記アップリンクチャネルを使用して、信号において、前記生成された波形を通信することと
を行うようにプロセッサによって実行可能である、非一時的コンピュータ可読媒体。
【請求項１０４】
前記コードが、
基地局からシグナリングを受信することと、
前記受信されたシグナリングに少なくとも部分的に基づいて、前記アップリンクチャネルの前記構成を選択することと
を行うように前記プロセッサによって実行可能である、請求項１０３に記載のコンピュータ可読媒体。
【請求項１０５】
前記基地局からの前記シグナリングが、リソースブロック割振りを示し、前記コードが、前記リソースブロック割振りに少なくとも部分的に基づいて、前記アップリンクチャネルの前記構成を動的に選択することを行うように、前記プロセッサによって実行可能である、請求項１０４に記載のコンピュータ可読媒体。
【請求項１０６】
前記コードが、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を動的に選択することを行うように、前記プロセッサによって実行可能である、請求項１０４に記載のコンピュータ可読媒体。
【請求項１０７】
開始インターレースおよびインターレースの数に少なくとも部分的に基づいて、前記ＰＵＳＣＨのためのリソースを割り振ること
をさらに備える、請求項１に記載の方法。
【請求項１０８】
アップリンク通信のための前記アップリンクチャネルが、無認可無線周波数スペクトル帯域に関連付けられる、請求項１に記載の方法。